(57)【要約】      （修正有）【課題】覆いを透過する光の量と質とを調整し、調節することができる、概ね内側垂直支持部材と外側垂直支持部材の間に延びる概ね水平な羽根要素を有する、建築造作用の覆いを提供する。【解決手段】覆い１００は、羽根要素１３０の長さよりも実質的に小さい幅を有する垂直支持部材としての細長い平ひも１１０、１２０を有し、隣接する内側の細長い平ひも１１０と隣接する外側の細長い平ひも１２０とが一定距離だけ離隔されている。羽根要素１３０は多層セル式羽根１３０である。細長い多層羽根１３０は、多層羽根に結合付けされ、結合され、および／または多層羽根１３０内に形成されたポケット内に挿入され得る、細長い補強材１４０を含み得る。操作および製造の方法も開示される。【選択図】図１
2018080568.tif 000002
【特許請求の範囲】
【請求項１】
建築造作を通る光の透過を調節するための覆いであって、
サブアセンブリを含み、前記サブアセンブリは、
第１の端部と、第２の端部と、前記第１の端部と前記第２の端部との間に延びる長さと、前記長さに対して直角な横幅とを有する少なくとも第１の外側の細長い平ひもと、
第１の端部と、第２の端部と、前記第１の端部と前記第２の端部との間に延びる長さと、前記長さに対して直角な横幅とを有する少なくとも第１の内側の細長い平ひもと、
各スラットが第１の端部と、第２の端部と、内側長手方向縁部と、外側長手方向縁部と、前記第１の端部と前記第２の端部との間に延びる長さと、前記内側長手方向縁部と前記外側長手方向縁部との間に延びる幅とを備える少なくとも１つのスラット層を有する複数の可撓性スラットであって、前記複数のスラットは前記第１の外側の細長い平ひもと前記第１の内側の細長い平ひもとの間に延在し、前記第１の外側の細長い平ひもと前記第１の内側の細長い平ひもとのそれぞれの長さに沿って離隔され、各スラットはその長さが前記第１の外側の細長い平ひもと前記第１の内側の細長い平ひものそれぞれの長さに対して横断的となる向きとされ、前記内側および外側の細長い平ひもの動きが前記スラットを複数の位置間で操作するようになされた、前記複数の可撓性スラットとを有し、
少なくとも１つのスラットは内側スラット層と外側スラット層とを有する多層スラットであり、前記内側スラット層および前記外側スラット層は前記多層スラットの長手方向縁部と一致する内側および外側の長手方向縁部を有し、前記内側層と前記外側層とはそれぞれの内側長手方向縁部および外側長手方向縁部に沿って結合され、前記内側スラット層と前記外側スラット層とは、少なくとも１つの前記多層スラットが前記複数の位置のうちの少なくとも１つの位置にあるときに前記内側スラット層と前記外側スラット層とによって囲まれたセル空間を形成するように、結合されたそれぞれの長手方向縁部間で互いに離隔可能であり、
前記第１の内側の細長い平ひもと前記第１の外側の細長い平ひもとのうちの少なくとも一方の平ひもの幅が各スラットの長さよりも実質的に小さいサブアセンブリである、
建築造作を通る光の透過を調節するための覆い。
【請求項２】
各可撓性スラットの長さが、すべての内側の細長い平ひもの幅の和またはすべての外側の細長い平ひもの幅の和の、いずれかのより大きい方の和より実質的に大きい、請求項１に記載の覆い。
【請求項３】
前記少なくとも１つの多層スラットの前記内側スラット層と前記外側スラット層とが超音波カットシールによって互いに結合された、請求項１または２に記載の覆い。
【請求項４】
前記少なくとも１つのスラットの前記内側スラット層および前記外側スラット層の前記内側長手方向縁部と前記外側長手方向縁部とのうちの少なくとも一方に沿って折り目が形成される、請求項１〜３のいずれか一項に記載の覆い。
【請求項５】
前記サブアセンブリは、
第２の内側の細長い平ひもと第２の外側の細長い平ひもとをさらに含み、前記第２の細長い平ひもは、前記可撓性スラットのうちの少なくとも１つのスラットの長さに沿って前記第１の内側の細長い平ひもから少なくとも６インチの距離だけ側方に離隔され、
前記第２の外側の細長い平ひもは、前記可撓性スラットのうちの少なくとも１つのスラットの長さに沿って前記第１の外側の細長い平ひもから少なくとも６インチの距離だけ側方に離隔された、
請求項１〜４のいずれか一項に記載の覆い。
【請求項６】
前記少なくとも１つの多層スラットの前記内側スラット層と前記外側スラット層とのうちの少なくとも一方のスラット層の幅が、その同じ多層スラットの前記内側スラット層と前記外側スラット層とのうちの他方のスラット層の幅よりも広い、請求項１〜５のいずれか一項に記載の覆い。
【請求項７】
前記少なくとも１つの多層スラットの前記内側スラット層は、前記内側スラット層の前記内側長手方向縁部に沿って延び、前記内側スラット層の長さと前記内側スラット層の幅の第１の部分とによって画定される内側縁領域と、前記内側スラット層の前記外側長手方向縁部に沿って延び、前記内側スラット層の長さと前記内側スラット層の幅の第２の部分とによって画定される外側縁領域と、前記内側縁領域と前記外側縁領域との間に延び、前記内側スラット層の長さと前記内側スラット層の幅の第３の部分とによって画定される中央領域とをさらに含み、
前記少なくとも１つの多層スラットの前記外側スラット層は、前記外側スラット層の前記内側長手方向縁部に沿って延び、前記外側スラット層の長さと前記外側スラット層の幅の第１の部分とによって画定される内側縁領域と、前記外側スラット層の前記外側長手方向縁部に沿って延び、前記外側スラット層の長さと前記外側スラット層の幅の第２の部分とによって画定される外側縁領域と、前記内側縁領域と前記外側縁領域との間に延び、前記外側スラット層の長さと、前記外側スラット層の幅の前記第１の部分と前記外側スラット層の幅の前記第２の部分の両方よりも広い前記前記外側スラット層の幅の第３の部分とによって画定される中央領域とをさらに含み、
前記内側スラット層の前記内側縁領域は、前記内側の細長い平ひもの長さに平行であり、前記外側スラット層の前記外側縁領域は前記外側の細長い平ひもの長さに平行であり、
前記内側スラット層の前記内側領域および前記外側縁領域と、前記外側スラット層の前記内側縁領域および前記外側領域と、のうちの少なくとも１つが補強剤と少なくとも１つの細長い補強材とからなるグループのうちの少なくとも１つによって補強された、
請求項１〜６のいずれか一項に記載の覆い。
【請求項８】
前記サブアセンブリは
第１の端部と、第２の端部と、前記第１の端部と前記第２の端部との間に延びる長さと、前記長さに対して直角な厚さとを有する少なくとも第１の細長い補強材をさらに含み、
前記補強材の長さはその厚さの少なくとも１００倍大きく、前記補強材は、少なくとも１つのスラット層に結合付けられ、前記補強材の長さがそのスラット層の前記長手方向縁部の方向に延びるように位置決めされた、
請求項１〜７のいずれか一項に記載の覆い。
【請求項９】
前記少なくとも１つの多層スラットの前記内側スラット層と前記外側スラット層とは、布とフィルムとこれらの組合せとからなるグループのうちの少なくとも１つを含む可撓性の半透明材料で形成され、前記第１の細長い補強材は前記内側スラット層と前記外側スラット層とのうちの少なくとも一方のスラット層の前記半透明材料よりも透明な材料で形成される、請求項７〜８のいずれか一項に記載の覆い。
【請求項１０】
前記第１の細長い補強材はプラスチック材料で形成される、請求項７〜９のいずれか一項に記載の覆い。
【請求項１１】
前記第１の細長い補強材の厚さは、約千分の６インチから千分の３０インチであり、前記第１の細長い補強材の幅は約３／１６インチから約１インチである、請求項７〜１０のいずれか一項の覆い。
【請求項１２】
前記第１の細長い補強材は、
第１の側部と、第２の側部と、前記第１の側部と前記第２の側部との間に延び、その長さに対して直角な幅と、
前記第１の細長い補強材の前記第１の端部と前記第２の端部との間に延びる折り目と、
前記第１の側部と前記折り目との間に延びる、前記第１の表面の第１の面と、
前記第２の側部と前記折り目との間に延びる、前記第１の表面の第２の面と、
前記第１の側部と前記折り目との間に延びる、前記第２の表面の第３の面と、
前記第２の側部と前記折り目との間に延びる、前記第２の表面の第４の面と、
前記第１の面と前記第２の面との間の１８０度未満の角度と
を有する角度付き補強材であり、
前記第１の細長い角度付き補強材の前記折り目は、前記第２の表面上に頂点を有し、前記第１の細長い角度付き補強材は、前記第１の折り目の前記頂点と、前記第１の表面と前記第１の細長い角度付き補強材の少なくとも１つの側部との間の前記第１の細長い補強材の長手方向縁部との間に伸びるクラウン高さを有し、前記クラウン高さは最小約千分の２０インチから約千分の１００インチである、
請求項７〜１１のいずれか一項に記載の覆い。
【請求項１３】
前記第１の角度付き補強材の前記第４の面の少なくとも一部が、前記少なくとも１つの多層スラットの前記内側スラット層に付着され、前記第３の面はいずれのスラット層にも付着されない、請求項１２に記載の覆い。
【請求項１４】
前記少なくとも１つの多層スラットに第２の細長い補強材が結合付けられ、その長さが前記スラット層の前記長手方向縁部の方向に延びるように位置決めされ、前記第２の細長い補強材の幅がその厚さの少なくとも５倍である、請求項７〜１３のいずれか一項に記載の覆い。
【請求項１５】
前記少なくとも１つのスラットは、
第１の端部と、第２の端部と、第１の長手方向縁部と、第２の長手方向縁部と、前記第１の端部と前記第２の端部との間に延びる長さと、前記第１の長手方向縁部と前記第２の長手方向縁部との間に延びる幅とを有する少なくとも第１の補強材ポケットシートをさらに含み、
前記第１の補強材ポケットシートは、前記少なくとも１つの多層スラットの少なくとも１つのスラット層に結合され、前記スラット層と前記第１の補強材ポケットシートとの間に少なくとも第１の補強材ポケットを形成し、
前記第１の細長い補強材の少なくとも一部が前記第１の補強材ポケット内に位置決めされる、
請求項７〜１４のいずれか一項に記載の覆い。
【請求項１６】
前記第１の補強材ポケットシートは実質的に透明な材料で形成される、請求項１５に記載の覆い。
【請求項１７】
前記第１の補強材ポケットシートは、前記少なくとも１つの多層スラットの前記内側スラット層と前記外側スラット層とのうちの少なくとも一方に結合された、請求項１５または１６に記載の覆い。
【発明の詳細な説明】
【技術分野】
【０００１】
著作権表示
本特許文書の開示の一部は、著作権保護の対象となる題材、特にその添付図面を含む。本著作権者は、特許商標庁の特許ファイルおよび記録において示される限りにおいては、本特許文書または特許開示の何人による複製にも異議はないが、それ以外はいかなるものであれすべての著作権を保有する。
【０００２】
本開示は、建築造作のための覆いおよび、関連するシステム、操作方法および製造方法に関する。一実施形態では、引き込み式の覆い、好ましくは、窓開口部用の巻き上げ式の可撓性覆いが開示される。
【背景技術】
【０００３】
建築装備のための引き込み式覆いは、長い間多くの形態をとってきた。当初、窓、ドア、アーチなどの建築装備用の覆いは主に建築造作に垂らしてかける布から成っていた。そのような初期の形態の覆いは、引き込み式ローラシェード、カーテン、ドレーパリなどに発展し、覆いは建築造作（例えば開口部）にわたって伸長させることができ、および／または、建築造作（例えば開口部）の最上部または側部に引き込むことができる。
【０００４】
初期のものであるが今でも広く使われている形態の建築造作用覆いは、ベネチアンブラインドであり、複数の垂直方向に延びた紐はしごが平行な水平方向に延びる複数の羽根またはスラットを、造作（例えば開口部）を透過させる光の量を調節するために、光の透過を妨げる羽根がそれぞれの長手方向軸を中心として旋回可能なように支持し、ブラインド全体を、建築造作の高さの少なくとも一部に延びる伸長位置と、羽根が建築造作の最上部に隣接する垂直方向の重なりとして積み重ねられる引き込み位置との間で移動させることができる。
【０００５】
光の透過を妨げるスラットまたは羽根が垂直方向に延び、その長手方向の縦軸を中心とした旋回運動のためにその上端で吊り下げられる、垂直ブラインドもある。ブラインド全体を、建築開口部にわたって伸長させたり、開口部の１つまたは複数の側部に隣接して垂直方向の重なりとして引き込んだりすることもできる。
【発明の概要】
【課題を解決するための手段】
【０００６】
本開示は、窓などのための、好ましくは引き込み式覆いであって、より好ましくは可撓性巻き上げ式覆いであってよい、建築造作用の覆いを提供する。本開示は、当業者を対象としており、建築造作覆いの目的および利点は以下に記載され、本記載および添付図面から明らかになるであろう。
【０００７】
本開示による覆いは、ローラと、ヘッドレールと、可撓性調光サブアセンブリと、ボトムレールと、駆動機構とを含み得る。可撓性調光サブアセンブリは、複数の羽根と、羽根を動かすための少なくとも２つの概ね垂直な支持部材、好ましくは細長い平ひもとを含み得る。複数の羽根は、非セル式の羽根および／または多層セル式の羽根を含んでよく、一実施形態では、羽根が少なくとも１つの伸展位置にあるときに、水平方向に延びる空間またはセルを間に有するチューブを形成するように構成され、配置された少なくとも２つの羽根層を有する、少なくとも１つの多層羽根を含む。一実施形態では、羽根層は、羽根層が中央領域で分離して、層間に空間またはセルを有する細長い、概ね長手方向のスリーブまたはチューブを形成することができるように、その側縁部に沿って直接または間接的に互いに接続、結合または付着されていてよい。一実施形態では、羽根層は、空間またはセルを有する概ね細長い長手方向のスリーブまたはチューブの形成を促すため、支持部材、例えば平ひもに直接または間接的に接続、結合または付着されてもよい。概ね細長い長手方向のスリーブまたはチューブは、任意の断面形状を有してよい。１つまたは複数の細長い補強材が、羽根に直接または間接的に結合付け、付設、付着、接続および／または結合されてよく、好ましくは２つの細長い補強材が各羽根に結合付けられている。一実施形態では、細長い補強材は、角度が付けられ、比較的薄い。
【０００８】
ローラは、ヘッドレールに結合付けられ、好ましくは直接または間接的に結合され、好ましくはヘッドレールを基準にして回転するようになされてよい。駆動機構は、ローラに結合付けまたは直接または間接的に結合され、好ましくはローラを回転させるようになされてよい。支持部材、例えば細長い平ひもは、ローラに結合付けられ、好ましくは直接または間接的に結合されてよい。複数の羽根は、支持部材、例えば細長い平ひもに結合付けられ、好ましくは直接または間接的に結合されてよい。ボトムレールは、支持部材、例えば細長い平ひも、および／または、１つまたは複数の羽根に結合付けられ、好ましくは直接または間接的に結合されてよい。一実施形態では、巻き上げ式覆いは、駆動機構を使用してローラを回転させて可撓性サブアセンブリを動かすことによって操作可能である。可撓性サブアセンブリは、ローラの周りに巻き付いて光を遮蔽しない巻かれた形態から、光の一部の透過、または透視を抑制、拡散および／または遮断することができる部分的に巻き広げられた畳み形態に移行し、サブアセンブリがローラの周りに巻き付けられなくなり、ローラから完全に垂れ下がった完全に巻き広げられた形態に移行し、さらに、その中央部が、少なくとも一部の光が隣接し合う羽根の間に形成された間隙を通れるようにし、光の一部の透過および透視を抑制、拡散および／または遮断することができる、実質的に水平位置にあるように、１つまたは複数の羽根が旋回した完全に巻き広げられた伸展形態に移行してよい。
【０００９】
本開示において開示される建築造作覆いの様々な態様、特徴および実施形態は、添付図面とともに読めばよりよく理解されよう。窓覆いの態様、特徴、および／または様々な実施形態を例示するために、図面に実施形態を示すが、特許請求の範囲は、図示されている正確な構成、構造、サブアセンブリ、特徴、実施形態、態様および装置には限定されるべきではなく、図示されている構成、構造、サブアセンブリ、特徴、実施形態、態様および装置は、単独で、または他の構成、構造、サブアセンブリ、特徴、実施形態、態様および装置と組み合わせて使用することができる。図面は必ずしも縮尺通りではなく、本発明の範囲を限定することを決して意図しておらず、単に、建築造作覆いの様々な実施形態、態様および特徴を図示し、説明するために示すに過ぎず、これらは単独で、または組み合わせて、または追加の特徴、態様または実施形態とともに使用してもよい。
【図面の簡単な説明】
【００１０】
【図１】巻き広げられ伸展された形態のサブアセンブリを有する巻き上げセル式覆いの一実施形態を示す前面透視図である。
【図２】巻き広げられ伸展された形態のサブアセンブリを有する巻き上げ覆いの別の実施形態を示す前面透視図である。
【図３Ａ】完全巻き上げ形態の巻き上げ式建築造作覆いの一実施形態を示す透視図である。
【図３Ｂ】部分的に巻き広げられた畳み形態の巻き上げ式建築造作覆いの一実施形態を示す透視図である。
【図３Ｃ】完全に巻き広げられた畳み形態の巻き上げ式建築造作覆いの一実施形態を示す透視図である。
【図３Ｄ】完全に巻き広げられた部分的伸展形態の巻き上げ式建築造作覆いの一実施形態を示す透視図である。
【図３Ｅ】完全に巻き広げられた完全伸展形態の巻き上げ式建築造作覆いの一実施形態を示す透視図である。
【図４Ａ】完全に巻き広げられた畳み形態の巻き上げセル式建築造作覆いの一実施形態の端面図を示す概略図である。
【図４Ｂ】完全に巻き広げられた部分的伸展形態の巻き上げセル式建築造作覆いの一実施形態の端面図を示す概略図である。
【図４Ｃ】完全に巻き広げられた完全伸展形態の巻き上げセル式建築造作覆いの一実施形態の端面図を示す概略図である。
【図４Ｄ】光が覆いと相互作用する完全に巻き広げられた完全伸展形態の巻き上げセル式建築造作覆いの一実施形態の端面図を示す概略図である。
【図５Ａ】可撓性材料のシートを示す斜視図である。
【図５Ｂ】図５Ａに示すシートを示す端面図である。
【図５Ｃ】実質的に伸展された位置にある非セル式羽根を示す端面図である。
【図５Ｄ】多層セル式羽根と非セル式羽根の両方を有する可撓性調光サブアセンブリの追加の実施形態の一部を示す透視図である。
【図６Ａ】多層羽根を示す斜視図である。
【図６Ｂ】図６Ａの多層羽根を示す端面図である。
【図６Ｃ】実質的に伸展位置にある図６Ａおよび図６Ｂに示す多層羽根の一実施形態を示す端面図である。
【図６Ｄ】図６Ｃの多層羽根の実施形態を示す斜視図である。
【図７Ａ】多層羽根の一実施形態として形成されるようになされた単一の材料片を示す端面図である。
【図７Ｂ】図７Ａの多層羽根を示す前面図である。
【図７Ｃ】多層羽根の別の実施形態として形成されるようになされた単一の材料片を示す端面図である。
【図７Ｄ】図７Ｃの多層羽根を示す前面図である。
【図８Ａ】多層羽根の一実施形態として形成されるようになされた複数の材料片を示す端面図である。
【図８Ｂ】図９Ａの多層羽根を示す前面図である。
【図８Ｃ】多層羽根の別の実施形態に形成されるようになされた複数の材料片を示す端面図である。
【図８Ｄ】図９Ｃの多層羽根を示す前面図である。
【図８Ｅ】多層羽根の異なる実施形態として形成されるようになされた複数の材料片を示す端面図である。
【図８Ｆ】図８Ｅの多層羽根を示す前面図である。
【図９Ａ】補強材ポケットを有する多層羽根の一実施形態として形成されるようになされた複数の材料片の一実施形態を示す端面図である。
【図９Ｂ】９Ａの多層羽根を示す前面図である。
【図１０Ａ】実質的に平面状の細長い補強材の一実施形態を示す上面斜視図である。
【図１０Ｂ】１０Ａに示すＢ−Ｂ面に沿った図１０Ａの細長い補強材を示す断面図である。
【図１０Ｃ】湾曲した細長い補強材の一実施形態を示す上面斜視図である。
【図１０Ｄ】図１０Ｃに示すＢ−Ｂ面に沿った図１０Ｃの細長い補強材を示す断面図である。
【図１０Ｅ】角度を付けた細長い補強材の一実施形態を示す上面斜視図である。
【図１０Ｆ】図１０Ｅに示す面Ｂ−Ｂに沿った図１０Ｅの細長い補強材を示す断面図である。
【図１１Ａ】角度を付けた細長い補強材を作成するプロセスを示す図である。
【図１１Ｂ】角度を付けた細長い補強材を作成するプロセスを示す図である。
【図１１Ｃ】角度を付けた細長い補強材を作成するプロセスを示す図である。
【図１２Ａ】補強多層羽根の一実施形態を示す分解端面図である。
【図１２Ｂ】図１２Ａに示す補強多層羽根と細長い平ひもとを有する可撓性調光サブアセンブリの一実施形態を示す分解端面図である。
【図１２Ｃ】多層羽根の細長い平ひもへの取り付けを示す、図１２ＢのＡ−Ａ部を示す拡大図である。
【図１２Ｄ】実質的に畳まれた形態の図１２Ｂに示す調光サブアセンブリを示す斜視図である。
【図１２Ｅ】実質的に伸展された形態の図１２Ｂに示す調光サブアセンブリを示す斜視図である。
【図１３Ａ】補強多層羽根の別の実施形態を示す分解端面図である。
【図１３Ｂ】図１３Ａに示す補強多層羽根と細長い平ひもとを有する可撓性調光サブアセンブリの一実施形態を示す分解端面図である。
【図１３Ｃ】多層羽根の細長い平ひもへの付着を示す、図１３ＢのＡ−Ａ部を示す拡大図である。
【図１３Ｄ】多層羽根が実質的に畳まれた位置にある、巻き広げられ、実質的に畳まれた形態の図１３Ｂに示すサブアセンブリを示す斜視図である。
【図１３Ｅ】多層羽根が実質的に伸展された位置にある、巻き広げられ、実質的に伸展された形態の図１３Ｂに示すサブアセンブリを示す斜視図である。
【図１４Ａ】補強多層羽根の別の実施形態を示す分解端面図である。
【図１４Ｂ】図１４Ａに示す補強多層羽根と細長い平ひもとを有する可撓性調光サブアセンブリの一実施形態を示す分解端面図である。
【図１４Ｃ】図１４ＢのＡ−Ａ部を示す拡大図である。
【図１４Ｄ】実質的に畳まれた形態の図１４Ｂに示すサブアセンブリを示す斜視図である。
【図１４Ｅ】実質的に伸展された形態の図１４Ｂに示すサブアセンブリを示す斜視図である。
【図１５Ａ】ドアが開放位置にあるローラの一実施形態を示す斜視図である。
【図１５Ｂ】ドアが閉じた位置にある図１５Ａのローラを示す斜視図である。
【図１５Ｃ】ドアを有するローラに接続されたサブアセンブリの一実施形態を示す斜視図である。
【図１５Ｄ】ドアを有するローラに接続されたサブアセンブリの一実施形態を示す斜視図である。
【図１５Ｅ】様々な配置位置にあるドアを含むローラに接続された、細長い平ひもと羽根材料とを有する建築造作覆いの一実施形態の一部を示す斜視図である。
【図１５Ｆ】様々な配置位置にあるドアを含むローラに接続された、細長い平ひもと羽根材料とを有する建築造作覆いの一実施形態の一部を示す斜視図である。
【図１５Ｇ】様々な配置位置にあるドアを含むローラに接続された、細長い平ひもと羽根材料とを有する建築造作覆いの一実施形態の一部を示す斜視図である。
【図１５Ｈ】様々な配置位置にあるドアを含むローラに接続された、細長い平ひもと羽根材料とを有する建築造作覆いの一実施形態の一部を示す斜視図である。
【図１６】セル式羽根がローラの周りに巻かれた巻き上げセル式建築造作覆いの一実施形態を示す端面図である。
【図１７Ａ】サブアセンブリが部分的に巻き広げられた畳み形態の巻き上げセル式建築造作覆いの一実施形態の一部を示す端面図である。
【図１７Ｂ】サブアセンブリが部分的に巻き広げられた畳み形態の巻き上げセル式建築造作覆いの一実施形態の一部を示す端面図である。
【図１７Ｃ】サブアセンブリが部分的に巻き広げられた畳み形態の巻き上げセル式建築造作覆いの一実施形態の一部を示す端面図である。
【図１７Ｄ】サブアセンブリが部分的に巻き広げられた畳み形態の巻き上げセル式建築造作覆いの一実施形態の一部を示す端面図である。
【図１７Ｅ】サブアセンブリが部分的に巻き広げられた畳み形態の巻き上げセル式建築造作覆いの一実施形態の一部を示す端面図である。
【図１７Ｆ】サブアセンブリが部分的に巻き広げられた畳み形態の巻き上げセル式建築造作覆いの一実施形態の一部を示す端面図である。
【図１７Ｇ】サブアセンブリが部分的に巻き広げられた畳み形態の巻き上げセル式建築造作覆いの一実施形態の一部を示す端面図である。
【図１７Ｈ】サブアセンブリが部分的に巻き広げられた畳み形態の巻き上げセル式建築造作覆いの一実施形態の一部を示す端面図である。
【図１８Ａ】複数の羽根材料片と複数のポケットシート材料片とを示す斜視図である。
【図１８Ｂ】多層羽根の一実施形態として形成されるようになされた、複数の羽根材料片と複数のポケットシート材料片とを示す端面図である。
【図１８Ｃ】補強多層羽根の一実施形態として構成されるようになされた、複数のポケットシート材料片が接続された複数の羽根材料片と、複数の細長い補強材とを示す端面図である。
【図１８Ｄ】補強多層羽根の一実施形態を示す端面図である。
【発明を実施するための形態】
【００１１】
以下の詳細な説明では、建築造作覆い、その操作方法および製造方法を理解することができるように多くの詳細を記載する。この説明は、当業者を対象としたものであり、場合によっては、建築造作覆いの他の態様または特徴が不明瞭にならないように、周知の方法、手順、製造技術、構成要素およびアセンブリについては詳細に述べていない。しかし、当業者は、建築造作覆いの異なる多くの実施形態と、その操作方法および製造方法が、これらの特定の詳細がなくても実施可能であることがわかるであろうし、特許請求の範囲および本発明は、本開示に具体的に記載され、図示されている実施形態、サブアセンブリまたは明記された特徴または詳細に限定されるべきではない。
【００１２】
したがって、本開示に一般的に記載され図示されている実施形態の構成要素、態様、特徴、要素およびサブアセンブリは、記載されている実施形態に加えて様々な異なる構成で構成し、設計することができることは容易に理解されるであろう。覆いは、本発明の趣旨および範囲から逸脱することなく、特定の環境および操作要件に合わせて具体的に適応化され得る、形態、構造、構成、比率、材料および構成要素の多くの追加、代替、または修正とともに使用可能であるものと理解すべきである。以下の説明は、例示のみを意図しており、建築造作覆いの特定の選択された実施形態を単に示しているに過ぎない。例えば、建築造作覆いについて、実施例において光および透視を調節するための窓覆いとしての使用について特に言及しながら図示し、説明するが、覆いには他の用途もあると考えられるものと理解すべきである。さらに、多くの実施例における詳細な説明は一般に、概ね垂直な支持要素を形成する細長い平ひも、および／または、特定の構造の多層羽根からなる覆いを対象としているが、本開示および技術は、例えば、ストッリップ、シート、透き通った織物、パネル、およびこれらの組合せなどの垂直支持要素を形成する他の材料と、多層羽根の他の構成および構造にも適用されることがわかるであろう。本開示に添付されている特許請求の範囲は、特許請求対象の発明を記載しており、また、実施形態を排除するようにより狭義に解釈すべきであることが明記されていない限り広義に解釈すべきである。
【００１３】
本願全体を通して、覆いの総称的要素または特徴を示すために参照番号が使用されている。類似した機能または利点を提供する、形態、形状、構造などが同じではない要素または特徴を示すために同じ参照番号を使用する場合がある。類似した要素または特徴を互いに区別するために、付加参照文字（ダッシュ、文字、上付き文字など）を使用する場合がある。説明の簡単のために、本開示は、覆いのすべての構成要素に言及または列挙するとは限らないことと、要素、部材または構造の単数での言及、例えば平ひも、内側平ひも、外側平ひも、羽根、ストリップ、スラット、ポケット、補強材、垂直支持要素、または水平羽根要素の単数での言及は、文脈が別様に示さない限り、１つまたは複数のそのような要素を指し得ることを理解されたい。
【００１４】
以下の、建築造作覆いの様々な実施形態の説明では、すべての方向の言及（例えば、近接、末端、上部、下部、上方、下方、左、右、側方、長手方向、前面、背面、内側、外側、後部、上部、下部、上、下、垂直方向、水平方向、半径方向、軸方向、時計回り、および反時計回り）は、特許請求の範囲で別様に示していない限り、読者が本開示を理解しやすいように識別を目的として使用しているに過ぎず、特に位置、向きまたは本開示における使用に関して制限を加えるものではないことがわかるであろう。一実施形態に関して説明する特徴は、明示的に示されているか否かを問わず、別の実施形態にも適用可能である。
【００１５】
接続に関する言及（例えば、付着、結合、接続および接合）は広義に解釈すべきであり、特に明記されていない限り、一群の要素間の介在部材および要素間の相対的な動きを含み得る。したがって、接続に関する言及は、２つの要素が直接接続されており、互いに固定された位置関係にあることを必ずしも意味しない。識別に関する言及（例えば、一次、二次、第１、第２、第３、第４など）は、重要度または優先順位を暗示することを意図しておらず、１つの特徴を他の特徴から区別するために使用されている。図面は、例示を目的としているに過ぎず、図面に反映されている寸法、位置、順序および相対的大きさは異なる場合がある。
【００１６】
本開示は、窓開口部、ドア、アーチなどを含み得る建築造作を通る光の透過を調節するための覆いを特徴とする。一実施形態では、覆いは、サブアセンブリを含んでよく、サブアセンブリは、可撓性であって、ローラの回りで巻き上がるのに適し得る。サブアセンブリは、少なくとも第１の外側支持部材、例えば細長い平ひもと、第１の内側支持部材、例えば細長い平ひもとを有し、支持部材はそれぞれ、第１の端部と、第２の端部と、第１の端部と第２の端部との間に延びる長さと、その長さに対して直角な横幅とを有し得る。一実施形態では、支持部材は細長い平ひもであり、第１の内側および第１の外側の細長い平ひものうちの少なくとも一方または両方の幅が、各スラットの長さよりも実質的に小さく、他の実施形態では、すべての内側支持部材の幅の合計（例えば総幅）またはすべての外側支持部材の幅の合計（例えば総幅）が、各スラットの長さよりも小さく、好ましくは実質的に小さい。サブアセンブリは、パネルとも呼び、各スラットが第１の端部と第２の端部と内側長手方向縁端部と、外側長手方向縁端部と、第１と第２の端部との間に延びる長さと、内側長手方向縁端部と外側長手方向縁端部との間に延びる幅とを備える少なくとも１つのスラット層を有する、複数のスラットを含んでよい。支持部材およびスラットは、好ましくは可撓性であり、布およびフィルムを含む任意の材料からなってよい。一実施形態では、羽根は半透明、部分的に不透明、および／または不透明な材料からなる。
【００１７】
一実施形態では、複数のスラットは、第１の外側支持部材と第１の内側支持部材との間に、それぞれの長さに沿って付設、または延在させて離隔してよく、各スラットは、その長さが第１の外側支持部材と第１の内側支持部材のそれぞれの長さに対して横断的に交わる向きとされてよい。内側および外側支持部材の動きは、スラットを複数の位置間で操作するようになされてよい。一態様では、少なくとも１つのスラットが、内側スラット層と外側スラット層とを有する多層スラットであり、内側スラット層および外側スラット層は、多層スラットの長手方向縁端部と一致する内側および外側の長手方向縁端部を有する。内側層と外側層とは、それぞれの内側および外側の長手方向縁端部に沿って結合されてよく、少なくとも１つの多層スラットがその複数の位置のうちの少なくとも１つの位置にあるときに内側層と外側層とはそれぞれの結合された長手方向の縁端部間で、内部スラット層と外部スラット層とによって囲まれたセル空間を形成するように互いに分離され得る。
【００１８】
一実施形態では、第１の内側と第２の外側の細長い平ひものうちの少なくとも一方の平ひも幅が、各スラットの長さよりも実質的に小さい。他の実施形態では、各スラットの長さは、すべての内側支持部材、例えば細長い平ひもの幅の合計よりも実質的に大きいか、またはすべての外側支持部材、例えば細長い平ひものすべての幅の合計よりも大きく、実施形態では、各スラットの長さは、いずれか大きい方の合計よりも大きくてよい。他の態様では、第１の内側および外側の細長い平ひもの両方の幅が各スラットの長さの少なくとも５分の１であり、さらに他の態様では、第１の内側の細長い平ひもと第１の外側の細長い平ひもの幅は、約５ｍｍから約１００ｍｍである。細長い平ひもの幅は一般には美的外見によって決まり、平ひもの強度と厚さと複数の羽根の支持との関係によって決まる場合がある。
【００１９】
別の実施形態では、少なくとも１つの多層スラットの内側と外側スラット層のうちの少なくとも一方の幅が、同じ多層スラットの内側および外側スラット層のうちの他方の幅よりも大きい。他の実施形態では、少なくとも１つの多層スラットの内側スラット層と外側スラット層とは、超音波カットシールによって互いに結合される。一実施形態では、少なくとも１つのスラットの内側および外側スラット層の内側長手方向縁端部と外側長手方向縁端部のうちの少なくとも一方に沿って折り目が形成される。少なくとも１つのスラットの内側スラット層と外側スラット層の幅は、最小約１インチで最大約６インチであってもよい。スラット層の幅は、美的外見、覆いのサイズ、および材料の選択によって左右され得る。
【００２０】
別の実施形態におけるサブアセンブリは、第２の内側の細長い平ひもと第２の外側の細長い平ひもとをさらに含み、第２の内側の細長い平ひもはスラットのうちの少なくとも１つのスラットの長さに沿って第１の内側の細長い平ひもから、少なくとも約６インチ側方に離隔され、これに代えて、またはこれに加えて、第２の外側の細長い平ひもは、スラットのうちの少なくとも１つのスラットの長さに沿って第１の外側の細長い平ひもから側方に少なくとも約６インチ離隔されてもよい。隣接する細長い平ひも間の離隔距離は最小約６インチから最大約２４インチまでであってよく、この間の範囲で約１／４インチ刻みで異なっていてよい。平ひもの離隔距離は、隣接平ひも間の羽根の支持を含む所望の美的外見によって左右される。
【００２１】
さらに他の実施形態では、第１の内側の細長い平ひもは、第１の内側の細長い平ひもの長さと幅とによって画定される表面によって画定される内面と、第１の内側の細長い平ひもの長さと幅とによって画定される表面によって画定される外面とをさらに有し、これに加えて、またはこれに代えて、第１の外側の細長い平ひもは、第１の外側の細長い平ひもの長さと幅とによって画定される表面によって画定される内面と、第１の外側の細長い平ひもの長さと幅とによって画定される表面によって画定される外面とをさらに有し、内面と外面とは第１の外側の細長い平ひもの厚さによって離隔されている。一実施形態における内側スラット層は、内側スラット層の長さと幅とによって画定される表面によって画定される内面と、内側スラット層の長さと幅とによって画定される反対面によって画定される外面とを有してよく、外側スラット層は外側スラット層の長さと幅とによって画定される表面によって画定される内面と、外側スラット層の長さと幅とによって画定される反対面によって画定される外面とを有してよく、内面スラット層と外面スラット層とは、内側スラット層の外面が外側スラット層の内面に向けられて対向し、少なくとも１つの多層スラットの外側スラット層の外面が第１の外側の細長い平ひもの内面に接続され、少なくとも１つの多層スラットの内側スラット層の内面が第１の内側の細長い平ひもの外面に接続されるように、配置および構成されてよい。
【００２２】
他の実施形態では、少なくとも１つの多層スラットの内側スラット層は、内側スラット層の内側長手方向の縁端部に沿って延び、内側スラット層の長さと内側スラット層の幅の第１の部分とによって画定される内縁領域と、内側スラット層の外側の長手方向縁部に沿って延び、内側スラット層の長さと内側スラット層の幅の第２の部分とによって画定される外縁領域と、内縁領域と外縁領域との間に延び、内側スラット層の長さと内側スラット層の幅の第３の部分とによって画定される中央領域とをさらに含む。一態様では、少なくとも１つの多層スラットの外側スラット層は、外側スラット層の内側長手方向縁部にそって延び、外側スラット層の長さと外側スラット層の幅の第１の部分とによって画定される内縁領域と、外側スラット層の外側の長手方向縁部に沿って延び、外側スラット層の長さと外側スラット層の幅の第２の部分とによって画定される外縁部と、内縁領域と外縁領域との間に延び、外側スラット層の長さと、外側領域の幅の第１の部分と第２の部分の両方よりも大きい外側スラット層の幅の第３の部分とによって画定される中央領域とをさらに含む。別の態様では、内側スラット層の内縁領域は、内側の細長い平ひもの長さと平行であり、外側スラット層の外縁領域は外側の細長い平ひもの長さと平行である。一実施形態では、内側スラット層の内縁領域と外縁領域と外側スラット層の内縁領域と外縁領域とのうちの少なくとも１つが、硬化剤と少なくとも１つの細長い補強材とからなるグループのうちの少なくとも１つによって補強される。好ましくは、内側スラット層の内縁領域と外側スラット層の外縁領域とのうちの少なくとも１つが、硬化剤と少なくとも１つの細長い補強材とからなるグループのうちの少なくとも１つによって補強される。
【００２３】
サブアセンブリは、内側の細長い平ひもと外側の細長い平ひもとが互いから離れ、離隔されると伸展形態を有することができ、一実施形態では、内側の細長い平ひもと外側の細長い平ひもとは、ローラの直径にほぼ等しい距離だけ側方に離隔されてよい。サブアセンブリが伸展形態のとき、内側スラット層および外側スラット層の中央領域が実質的に水平となることができ、第１の内側の細長い平ひもおよび第１の外側の細長い平ひもの長さに対して横断的に交わる向きとなり、ある距離だけ離隔されて、内側スラット層の外面と外側スラット層の内面との間に、多層スラットの長さを延長する空間を形成し、内側スラット層と外側スラット層の中央領域の間の距離が第１の細長い補強材の幅より大きくなる。
【００２４】
覆いは、任意選択により、第１の端部および第２の端部と、第１の端部と第２の端部との間に延びる幅と、回転軸と、直径と、曲率半径とを有するローラをさらに含んでよく、少なくとも第１の外側の細長い平ひもの第１の端部と、少なくとも第１の内側の細長い平ひもの第１の端部とはローラに結合付けられ、その回転軸を中心としたローラの回転により、サブアセンブリがローラを基準として動き、サブアセンブリはローラの周りに巻き上がるようになされてもよい。
【００２５】
実施形態におけるサブアセンブリは、第１の端部と、第２の端部と、それぞれの第１の端部と第２の端部との間に延びる長さと、その長さに直角な厚さとを有する、１つまたは複数の（少なくとも第１の）細長い補強材をさらに含んでよく、補強材の長さはその厚さの少なくとも１００倍であり、細長い補強材は少なくとも１つのスラット層に結合付けられ、その長さがそのスラット層の長手方向縁部の方向に延びるように位置決めされている。細長い補強材は、プラスチック材料で形成されてよい。実施形態では、第１の細長い補強材の厚さは最小約千分の６インチから最大約千分の３０インチであり、この間で千分の１インチ刻みで異なってよく、第１の細長い補強材の幅は最小約３／１６インチ、最大約１インチであり、この間で１／３２インチ刻みで異なっていてよい。実施形態では、少なくとも１つの多層スラットの内側スラット層と外側スラット層は、半透明材料で形成され、第１の細長い補強材は、内側スラット層と外側スラット層とのうちの少なくとも一方の半透明材料よりも透明な材料で形成される。他の態様では、複数の細長い補強材が多層スラットのうちの１つまたは複数の多層スラットに結合付けられ、補強材の長さがスラット層の長手方向縁部の方向にあるように位置決めされる。
【００２６】
細長い補強材のうちの１つまたは複数の補強材は、第１の側部と、第２の側部と、第１の側部と第２の側部との間に延び、その長さに対して直角な幅と、細長い補強材の長さと幅とによって画定される第１の表面と、細長い補強材の長さと幅とによって画定される第２の表面とを含んでよく、第１の表面と第２の表面とは細長い補強材の厚さによって離隔され、補強材の幅はその厚さの少なくとも５倍であり、補強材は、スラット層のうちの少なくとも１つのスラット層の長手方向縁部に沿ってその長手方向縁部の方向にある少なくとも１つの多層スラットに結合付けられている。第１の細長い補強材は、第１の細長い補強材の第１の端部と第２の端部との間に延びる折り目と、第１の側部と折り目との間の第１の表面の一部によって画定される第１の面と、第２の側部と折り目との間の第１の表面の一部によって画定される第２の面と、第１の側部と折り目との間の第２の表面の一部によって画定される第３の面と、第２の側部と折り目との間の第２の表面の一部によって画定される第４の面と、第１の面と第２の面との間の１８０度未満の角度とを有する角度の付いた補強材であってよい。実施形態によっては、第１の細長い角度付き補強材の折り目は、第２の表面上に山または頂点を有し、第１の細長い角度付き補強材は、折り目の山または頂点と、第１の表面と第１の細長い角度付き補強材の少なくとも１つの側部との間の第１の細長い角度付き補強材の長手方向縁部との間に延びるクラウン高さを有し、クラウン高さは、約千分の２０インチから約千分の１００インチである。クラウン高さは、この間で約千分の５インチ刻みで異なってよい。
【００２７】
他の実施形態では、第１の内側の細長い平ひもと第１の外側の細長い平ひもとが第１の細長い補強材の幅を上回る距離だけ離隔するように第１の内側の細長い平ひもと第１の外側の細長い平ひもとが互いから離れると、サブアセンブリは畳まれた形態から伸展形態に移行し、サブアセンブリが伸展形態のときは、内側スラット層が湾曲形状を有する。
【００２８】
実施形態によっては、第１の角度付き補強材の第４の面の少なくとも一部が少なくとも１つの多層スラットの内側スラット層に付着され、第３の面はいずれのスラット層にも付着されない。あるいは、第１の角度付き補強材の第２の面の少なくとも一部が少なくとも１つの多層スラットの内側スラット層に付着され、第２の面はいずれのスラット層にも付着されていない。
【００２９】
一実施形態のサブアセンブリは、複数の細長い補強材を有してよく、第２の細長い補強材が少なくとも１つの多層スラットに結合付けられてよく、その長さがスラット層の長手方向縁部の方向に延びるように位置決めされる。第２の細長い補強材は、第１の側部と、第２の側部と、第１の側部と第２の側部との間に延び、その長さに対して直角な幅と、第２の細長い補強材の長さと幅とによって画定される第１の表面と、第２の細長い補強材の長さと幅とによって画定される第２の表面とを有し、第１の表面と第２の表面とは第２の細長い補強材の厚さによって離隔されている。第２の細長い補強材の幅は、その厚さの少なくとも５倍とすることができる。一実施形態における第２の細長い補強材は、第２の細長い補強材の第１の端部と第２の端部との間に延びる折り目と、第１の側部と折り目との間に延びる第１の表面の第１の面と、第２の側部と折り目との間に延びる第１の表面の第２の面と、第１の面と第２の面との間の１８０度未満（より好ましくは、最小約１２０度、最大約１７０度であり、この間において５度刻みで異なってよい）の角度と、第１の側部と折り目との間に延びる第２の表面の第３の面と、第２の側部と折り目との間に延びる第２の表面の第４の面とを有する角度付き補強材である。実施形態によっては、第２の角度付き細長い補強材の第３の面の少なくとも一部が、少なくとも１つのスラットの外側スラット層に付着され、第２の細長い補強材の第４の面は外側スラット層には付着されない。
【００３０】
さらに他の実施形態では、少なくとも１つのスラットは、第１の端部と、第２の端部と、第１の長手方向縁部と、第２の長手方向縁部と、第１の端部と第２の端部との間に延びる長さと、第１の長手方向縁部と第２の長手方向縁部との間に延びる幅とを有する少なくとも第１の補強材ポケットシートをさらに含み、第１の補強材ポケットシートは少なくとも１つの多層スラットの少なくとも１つのスラット層に結合され、そのスラット層と第１の補強材ポケットシートとの間に少なくとも第１の補強材ポケットを形成し、第１の細長い補強材の少なくとも一部が第１の補強材ポケット内部に位置決めされる。一実施形態における第１の補強材ポケットシートは、実質的に透明な材料で形成され、一実施形態ではポリエチレンであってよい。
【００３１】
第１の補強材ポケットシートは、少なくとも１つの多層スラットの内側スラット層に結合されてよく、あるいは、少なくとも１つの多層スラットの外側スラット層に結合されてよい。第１の補強材ポケットシートは、第１の端部と第２の端部との間に延びる折り目と、折り目と第１の補強材ポケットシートの第１の長手方向縁部との間の接触領域とを含んでよく、第１の補強材ポケットシートの接触領域は少なくとも１つの多層スラットの内側スラット層に結合され、内側スラット層の内側の長手方向縁部は第１の補強材ポケットシートの折り目よりも第１の補強材ポケットシートの第１の長手方向縁部により近接している。
【００３２】
実施形態によっては、少なくとも部分的に第１の補強材ポケット内に位置付けられた第１の細長い補強材が、第１の側部と、第２の側部と、第１の側部と第２の側部との間に延び、その長さに対して直角な幅と、細長い補強剤の第１の端部と第２の端部との間に延びる折り目と、第１の側部と折り目との間の第１の表面の一部によって画定される第１の面と、第２の側部と折り目との間の第１の表面の一部によって画定される第２の面と、第１の面と第２の面との間の１８０度未満の角度とを含む。第１の細長い補強剤は、第１の細長い補強剤の角度が第１の補強材ポケットシートの方に向く向きとなるように位置決めされ、あるいは、第１の細長い補強材は、第１の細長い補強材の角度が少なくとも１つの多層スラットの内側スラット層の方に向く向きとなるように位置決めされてよい。実施形態における第１の補強材ポケットシートは、第１の補強材ポケットシートの第１の端部と第２の端部との間に延びる折り目と、折り目と第１の補強材ポケットシートの第２の長手方向縁部との間の重なり領域とをさらに含んでよく、第１の補強材ポケットシートの重なり領域は、少なくとも１つの多層スラットの外側スラット層に付着され、外側スラット層の外側長手方向縁部が第１の補強材ポケットシートの折り目よりも第１の補強材ポケットシートの第２の長手方向縁部により近接し、内側スラット層と第１の補強材ポケットシートとの間に補強材ポケットを形成する。細長い補強材は、補強材ポケット内の第１の補強材の角度が補強材ポケットシートに向けられるように位置決めされてよい。
【００３３】
さらに別の実施形態では、建築開口部を通る光の透過を調節するための覆いはサブアセンブリを含み、サブアセンブリは、第１の端部と、第２の端部と、第１の端部と第２の端部との間に延びる長さと、その長さに対して直角な横幅とを有する少なくとも１つの第１の外側の細長い平ひもと、第１の端部と、第２の端部と、第１の端部と第２の端部との間に延びる長さと、その長さに対して直角な横幅とを有する少なくとも第１の内側の細長い平ひもと、各スラットが第１の端部と、第２の端部と、内側長手方向縁部と、外側長手方向縁部と、第１の端部と第２の端部との間に延びる長さと、内側長手方向縁部と外側長手方向縁部との間に延びる幅とを有する複数のスラットであって、複数のスラットは第１の外側の細長い平ひもと第１の内側の細長い平ひもとの間に第１の外側の細長い平ひもと第１の内側の細長い平ひものそれぞれの長さに沿って離隔されて配置され、各スラットはその長さが第１の外側の細長い平ひもと第１の内側の細長い平ひものそれぞれの長さに横断的に交わる向きとされ、内側および外側の細長い平ひもの動きがスラットを複数の位置間で操作するようになされた複数のスラットと、それぞれの細長い補強材が第１の端部と、第２の端部と、第１の側部と、第２の側部と、第１の端部と第２の端部との間に延びる長さと、第１の側部と第２の側部との間に延びる幅とを有する複数の比較的薄い細長い補強材とを含み、複数のスラットのうちの少なくとも１つのスラットは、内側スラット層と、外側スラット層と、複数の細長い補強材とを有する多層スラットであり、内側スラット層は、内側スラット層の長さと幅とによって画定される表面によって画定される内面と、内側スラット層の長さと幅とによって画定される反対面によって画定される外面とを有し、外側スラット層は、外側スラット層の長さと幅とによって画定される表面によって画定される内面と、外側スラット層の長さと幅とによって画定される反対面によって画定される外面とを有し、内側スラット層と外側スラット層とはそれぞれ、内側スラット層の外面と外側スラット層の内面とが互いの方を向き、互いに対向した状態になされて、それぞれの内側および外側の長手方向縁部に沿って他方に接続され、内側スラット層と外側スラット層とは、多層スラットが複数の位置のうちの少なくとも１つの位置にあるときに、内側スラット層の外面と外側スラット層の内面との間に多層スラットの長さを延長する空間を形成するように、それぞれの内側と外側の長手方向縁部の間の領域において離隔可能に配置および構成され、第１の細長い補強材が、第１の細長い補強材の長さが内側スラット層の長手方向縁部の方向に延びるように結合付けられ、位置決めされ、第２の細長い補強材は、第２の細長い補強材の長さが外側スラット層の長手方向縁部の方向に延びるように結合付けられ、位置決めされ、少なくとも１つの多層スラットの内側スラット層が第１の内側の細長い平ひもに付着され、その多層スラットの外側スラット層が第１の外側の細長い平ひもに付着されることを特徴とする。
【００３４】
さらに他の実施形態では、建築造作を通る光の透過を調節するための覆いが開示され、覆いはサブアセンブリを含み、サブアセンブリは、第１の端部と、第２の端部と、第１の端部と第２の端部との間に延びる長さと、その長さに対して直角な横幅とを有する少なくとも第１の外側の細長い平ひもと、第１の端部と、第２の端部と、第１の端部と第２の端部との間に延びる長さと、その長さに対して直角な横幅とを有する少なくとも第１の内側の細長い平ひもと、各スラットが第１の端部と、第２の端部と、内側の長手方向縁部と、外側の長手方向縁部と、第１の端部と第２の端部との間に延びる長さと、内側の長手方向縁部と外側の長手方向縁部との間に延びる幅とを有する複数のスラットであって、第１の外側の細長値平ひもと第１の内側の細長い平ひもの間に配置され、第１の外側の細長値平ひもと第１の内側の細長い平ひものそれぞれの長さに沿って離隔され、各スラットはその長さが第１の外側の細長い平ひもと第１の内側の細長い平ひものそれぞれの長さに横断的に交わる向きとされた複数のスラットと、少なくとも第１の比較的薄い細長い補強材とを有する。一実施形態における細長い補強材は、第１の端部と、第２の端部と、第１の側部と、第２の側部と、第１の端部と第２の端部との間に延びる長さと、第１の側部と第２の側部との間に延びる幅とを有し、複数のスラットのうちの少なくとも１つのスラットは多層スラットであり、多層スラットは、内側スラット層と、外側スラット層と、少なくとも第１の補強材ポケットシートとを含み、内側スラット層は、内側スラット層の長さと幅とによって画定される表面によって画定される内面と、内側スラット層の長さと幅とによって画定される反対面によって画定される外面とを有し、外側スラット層は、外側スラット層の長さと幅とによって画定される表面によって画定される内面と、外側スラット層の長さと幅とによって画定される反対面によって画定される外面とを有し、内側スラット層と外側スラット層とは、内側スラット層の外面と外側スラットの内面とが互いの方を向き、互いに対向する状態になされてそれぞれ他方に接続され、第１の補強材ポケットシートは、第１の端部と、第２の端部と、第１の長手方向縁部と、第２の長手方向縁部と、第１の端部と第２の端部との間に延びる長さと、第１の長手方向縁部と第２の長手方向縁部との間に延びる幅とを有し、第１の補強材ポケットシートは、内側スラット層と外側スラット層とのうちの少なくとも一方に接続され、内側スラット層と外側スラット層とのうちの少なくとも一方と補強材ポケットシートとの間に少なくとも第１の補強材ポケットを形成し、内側スラット層と外側スラット層とは、多層スラットが複数の位置のうちの少なくとも１つの位置にあるときに内側スラット層の外面と外側スラット層の内面との間に多層スラットの長さを延長する空間を形成するように、それぞれの内側長手方向縁部と外側長手方向縁部との間の領域において離隔可能に配置および構成され、さらに、第１の比較的薄い細長い補強材の少なくとも一部が第１の補強材ポケット内部に位置決めされる。
【００３５】
実施形態によっては、建築造作を通る光の透過を調節するための覆いが開示され、覆いは可撓性サブアセンブリを有し、サブアセンブリは、第１の端部と、第２の端部と、第１の端部と第２の端部との間に延びる長さと、その長さに対して直角な横幅とを有する少なくとも第１の外側の可撓性の細長い平ひもと、第１の端部と、第２の端部と、第１の端部と第２の端部との間に延びる長さと、その長さに対して直角な横幅とを有する少なくとも第１の内側の可撓性の細長い平ひもと、各多層スラットが、第１の端部と、第２の端部と、内側長手方向縁部と、外側長手方向縁部と、第１の端部と第２の端部との間に延びる長さと、内側長手方向縁部と外側長手方向縁部との間に延びる幅とを有する少なくとも１つのスラット層を有する複数の可撓性多層スラットであって、複数の多層スラット層は第１の外側の細長い平ひもと第１の内側の細長い平ひもの間に配置され、第１の外側の細長い平ひもと第１の内側のそれぞれの長さに沿って離隔され、各スラットはその長さが第１の外側の細長い平ひもと第１の内側の細長い平ひものそれぞれの長さに横断的に交わる向きとされ、内側の細長い平ひもと外側の細長い平ひもの動きがスラットを複数の位置間で操作するようになされた、複数の可撓性多層スラットと、第１の端部と、第２の端部と、第１の端部と第２の端部との間に延びる長さと、その長さに対して直角な厚さとを有する少なくとも第１の細長い補強材とを有し、補強材の長さはその厚さの少なくとも５倍であり、少なくとも１つの細長い補強材は少なくとも１つのスラット層に結合付けられ、補強材の長さがそのスラット層の長手方向縁部の方向に延びるように位置決めされ、少なくとも１つのスラット層は半透明材料で形成され、少なくとも１つの細長い補強材はプラスチックの透明材料で形成される。
【００３６】
覆いの一般的操作
本開示は、例えば、窓開口部、ドアフレーム、アーチなどを含む建築造作のための覆いに関する。これらの覆いは、美的外見と、望ましい日除けとプライバシーとを与えるために窓にとって特に有用である。覆いは一般に、概ね水平な前面および背面支持部材または要素に結合された１つまたは複数の概ね水平な羽根要素を含み得る可撓性調光サブアセンブリまたはパネルを含む。言及を簡単にするために、例えば窓覆いとして使用する場合、窓開口部の外部に面するかまたは窓覆いの外面または背面１６５にある概ね垂直な支持部材を、「背面」または「裏面」支持部材、要素または平ひもと呼び、開口部の内部に面するかまたは窓覆いの内面または前面１７５にある支持部材を「前面」支持部材、要素または平ひもと呼ぶ。
【００３７】
概ね水平な羽根要素は、本開示ではスラットまたは羽根とも呼び、好ましくは、概ね垂直な支持要素とは異なる光透過率または半透明度を有し、羽根と支持部材とは共に覆いの透視と光の透過とを調節する。すなわち、羽根要素は、一般に半透明、部分的不透明、不透明、または、光および／または透視を抑制または遮断する遮光性である傾向を有する。平ひもは、透明、半透明、部分的不透明、不透明または遮光性の材料とすることができる。一実施形態では、前面および背面支持部材は細長い平ひもであり、羽根要素は半透明、部分的不透明、不透明または遮光性の材料であり、したがって、開位置と閉位置との間で羽根を動かす、例えば旋回させると、覆いの光透過率を変化させることができる。
【００３８】
羽根の形状および角度向きは、垂直支持要素を互いに基準として側方および垂直方向に動かすことによって制御することができる。具体的には、羽根要素は、光透過と透視とを可能にするために、概ね水平かつ垂直支持部材に対して実質的に直角に延びる角度向きから、光と透視とを抑制または遮断するために概ね垂直かつ垂直支持部材に対して実質的に平行に延びる角度向きへと、異なる角度向き間で調整、例えば回転または旋回させることができ、それにより、その領域に調光と透視、または日除け効果および／またはプライバシーをもたらす。
【００３９】
概ね垂直な支持要素は、例えば、平ひも、ストリップ、シート、パネルなど、およびこれらの要素の組合せを含み得る。各垂直支持要素は、単一または複数の材料片で形成され得る。支持要素は、比較的薄く、長さ（高さ）と幅とを有し得る。特定の実施形態における垂直支持要素は、一般的および典型的には、その長さまたは幅よりもはるかに薄く、その幅は一般的および典型的には、その長さよりもはるかに小さい。垂直支持要素の長さは、一般的および典型的には、覆いまたはパネルの高さまたは垂直寸法に対応し、関連付けられ、垂直支持要素の幅は、一般的に、および本開示で開示される実施形態では、典型的には覆いまたはパネルの幅（および羽根の長さ）よりもはるかに小さい。言及を簡単にするために、本開示では垂直支持要素を細長い平ひもと呼ぶ場合があるが、これは本開示または特許請求の範囲を限定することを意図していない。
【００４０】
羽根要素は、例えば、ストリップ、平ひも、パネルなどからなっていてよく、これらを含み得る。各羽根要素は、単一または複数の材料片、例えばストリップ、平ひもまたはパネルからなり得る。羽根要素は、比較的薄く、一般には、その長さおよび／または幅よりもはるかに薄い材料からなり得る。好ましくは、羽根要素はその幅よりも長い長さを有するが、必ずしもこれには限らない。羽根要素の長さは、一般には覆いの幅に対応する。言及を簡単にするために、本開示では羽根要素をスラットまたは羽根と呼ぶ場合がある。
【００４１】
前面および背面垂直支持要素と、羽根要素とは、実質的に任意の種類の材料であってよく、ニット、織布、不織布などを含む織物、布、およびフィルムなどの可撓性材料からなることが好ましいが、これらには限定されない。言及を簡略にするために、垂直支持要素と羽根とのサブアセンブリまたは組合せを、調光パネル、サブアセンブリまたは略して「パネル」と呼ぶ場合がある。例示の一実施形態では、概ね水平な羽根要素は、一般には可撓性の柔らかい材料からなり、概ね垂直な支持要素も一般には可撓性の柔らかい材料からなり、これらが組み合わさって、覆いのための一般に可撓性のサブアセンブリまたはパネルを形成する。実施形態では、垂直支持要素および／または羽根は、可撓性の垂直支持要素および／羽根を形成するように相互結合された比較的剛性または硬質の材料からなっていてもよい。
【００４２】
図１を大まかに参照すると、覆い１００は、一般にヘッドレール１９０と、ヘッドレールに結合付けられたローラ１５０と、調光パネル１８０と、ボトムレールまたはウェイト１６０と、覆いを操作し、光を遮断またはパネルを透過させる量、質および方式と、パネルの美的外見および外観とを調節するための機構１７０（例えばローラを回転させる機構）とを含む。ローラ１５０は、ヘッドチューブまたはローラチューブとも呼ぶ場合があり、ヘッドレール１９０に結合付けおよび／または接続されてよく、駆動機構１７０は、好ましくはローラ１５０に結合付けまたは接続される。ローラ１５０は、パネル１８０の上端を支持し、直接または間接的に接続され、ボトムレール１６０は、パネル１８０の下端に直接または間接的に接続されている。ローラ１５０の動き、例えば回転により、サブアセンブリ１８０を巻き上げまたはローラ１５０から巻き広げることができる。
【００４３】
より具体的には、図１に示すように、ローラ１５０はそれを中心にローラが回転する回転軸「Ｒ」と、第１の端部１５１と第２の端部１５２との間の幅「Ｗ」と、直径「Ｄ」と、曲率半径「ｒ」とを有する。一実施形態では、ローラの直径は、最小約０．５インチから最大約３インチとすることができ、好ましくは約１．５インチとすることができる。好ましくは、サブアセンブリ１８０は、少なくとも１本の細長い平ひも１０２を介してローラ１５０に接続される。より好ましくは、図２に示すように、１つまたは複数の内側の細長い平ひも２１０の第１の端部または上端２４５は、内側の細長い平ひもの長手方向軸Ｘ１がローラ１５０の回転軸「Ｒ」に対して概ね直交する向きになるように、ローラ２５０に結合付けられ、好ましくは結合される。他の実施形態では、１つまたは複数の外側の細長い平ひも２２０の第１の端部または上端２５５は、外側の細長い平ひも２２０の長手方向軸Ｘ２がローラ２５０の中央回転軸「Ｒ」に対して概ね直交する向きになるように、ローラ２５０に結合付けられ、好ましくは結合される。本開示では、パネルまたは覆いの「内側」の部品および構造体とは、例えば、サブアセンブリがローラの周りに巻き上げられたときに「内側」の細長い平ひもが外側からまたは「外側」の細長い平ひもから半径方向内側に位置するように、パネルがローラの周りに巻き上げられたときに「外側」の部品から半径方向内側に位置する部品および構造体を指す。平ひもは、膠などの接着剤、縫い付け、挿入物、および／または現在知られている方法および将来開発される方法を含むその他の付着方法により、ローラに直接または間接的に結合することができる。ローラの回転は、以下で説明するように、建築造作覆いおよび建築造作を透過する光を調節するためにサブアセンブリの配備、伸展、畳み、および巻き上げを促す。
【００４４】
図１に示すように、ヘッドレール１９０は、ローラ１５０とパネル１８０とを建築造作の上方に支持することができ、したがって、建築造作の最上部の形状および寸法（例えば幅）に概ね対応し得る。一実施形態では、ヘッドレール１９０は、好ましくはローラの回転を可能にし、容易にするように、ローラに結合付けられ得る。ローラ１５０は、現在知られている方法または将来開発される方法によってヘッドレール１９０に直接または間接的に、回転可能に接続され得る。ヘッドレール１９０は、典型的にはローラ１５０を収容し、ローラ１５０の少なくとも一部はヘッドレール１９０内に取り付けることができる。ヘッドレール１９０は、ローラ１５０を隠すことができ、サブアセンブリ１８０が完全に巻き上げられた形態にあるときに平面視でローラ１５０とサブアセンブリ１８０全体とを隠すことができる、装飾的部品またはアセンブリとすることができる。また、ヘッドレールは、覆い１００を取り付けるために使用されるブラケットを隠すかまたは見えにくくすることもできる。ヘッドレールは、一方におけるローラ１５０および／または巻き上げられた可撓性調光サブアセンブリと組合わさったローラと、他方における建築造作の構造体との間の間隙も隠すことができる。ヘッドレールは、隠されなければローラと建築造作との間の間隙を通過し得る光を遮断するために、そのような間隙がヘッドレールの少なくとも一部によって隠されるようになされてもよい。
【００４５】
ボトムレールまたはウェイト１６０は、サブアセンブリ１８０の下端１７８に結合付けおよび／または直接または間接的に結合されてよい。ボトムレールは、建築造作覆いの下部に重みを与え、その際、サブアセンブリがローラから部分的または完全に巻き広げられているときにサブアセンブリを実質的にピンと張らせた状態に維持するようにサブアセンブリに張力を加え、それにより、サブアセンブリの配備と巻き上げとを容易にする一方、サブアセンブリが巻き上げられるときにローラが回転し過ぎるのを抑制する役割も果たす。
【００４６】
ボトムレール１６０は、第１の端部１６１と、第２の端部１６２と、第１の端部１６１と第２の端部１６２との間に画定される長さ１６３と、長さ１６３に対して直角な幅とを有し得る。実施形態によっては、ボトムレールは円筒形（図１）とすることができ、他の実施形態では、ボトムレールは矩形（図２）および／または湾曲形状とすることができるが、その他の大きさ、形状、構成および構造も考えられる。ボトムレール１６０は、１つまたは複数の内側の細長い平ひもの第２の端部または下端に結合付けおよび／または直接または間接的に結合されてよく、または、１つまたは複数の外側の細長い平ひもの第２の端部または下端に結合付けおよび／または直接または間接的に結合されてよく、実施形態では１つまたは複数の内側の細長い平ひもおよび１つまたは複数の外側の細長い平ひもに直接または間接的に結合されてよい。実施形態によっては、図１に示すように、ボトムレール１６０は、内側の細長い平ひも１１０、１１０’の第２の端部１１２、１１２’に直接または間接的に結合される。あるいは、ボトムレール１６０は羽根１３０に直接または間接的に結合されてもよい。実施形態によっては、ボトムレール１６０は１つまたは複数の羽根の１つまたは複数の長手方向縁部の一部または全体に直接または間接的に結合される。ボトムレールは、最下部の羽根の内側長手方向縁部に直接または間接的に結合されてもよく、その羽根が細長い平ひも、好ましくは内側の細長い平ひもに直接または間接的に結合されている最下部の箇所に直接または間接的に結合されてもよい。ボトムレールは、膠などの接着剤、縫い付け、挿入物、仕付け縫い、ステープル、ピン止めおよび／または現在知られている方法および将来開発される方法を含むその他の付着方法により、サブアセンブリまたはサブアセンブリの一部（例えば内側の細長い平ひも）に直接または間接的に結合されてもよい。ボトムレールは、２０１６年１０月２８日に出願され、参照によりその全体が本開示に組み込まれる“Ｃｏｖｅｒｉｎｇ  ｆｏｒ  Ａｒｃｈｉｔｅｃｔｕｒａｌ  Ｆｅａｔｕｒｅｓ，  Ｒｅｌａｔｅｄ  Ｓｙｓｔｅｍｓ  ａｎｄ  Ｍｅｔｈｏｄｓ  ｏｆ  Ｍａｎｕｆａｃｔｕｒｅ”という名称の米国特許出願第６２／４１４，２４８号に図示され、記載されているボトムレールと同様にして構成され、パネルに直接または間接的に結合されてもよい。
【００４７】
駆動機構１７０は、サブアセンブリ１８０の位置および形態を調整するようにサブアセンブリ１８０に結合付けられることが好ましい。駆動機構１７０は、ヘッドレール１９０と結合付け、および／または結合されてもよく、少なくとも部分的にヘッドレール１９０に収容、および／または取り付けられてもよい。駆動機構１７０は、開口部における覆いの高さ、したがってパネル１８０を透過する光の性質および質、透視特性およびパネル１８０の形状および美的魅力を調節するために、調光パネル１８０の引き込みおよび伸長を調節する。駆動または調節機構１７０は、パネル１８０を透過する光の性質および質、透視特性、およびパネル１８０の形状および美的魅力にも影響を与える可能性がある、内側および外側の細長い平ひも１１０、１２０を基準にした水平羽根要素１３０の角度向きを調整してもよい。
【００４８】
例示のサブアセンブリ１８０の駆動機構および引き込みおよび伸長の以下の説明は、サブアセンブリ１８０の引き込みおよび伸長を促すためのローラの使用に言及しながら示すことを理解されたい。しかし、特定の駆動または機構は本開示の態様にとって重要ではないため、本開示の範囲および趣旨から逸脱することなく、調光パネルの動きを調節するために当業者に知られている他の構成、例えば、積み重ねまたはその他の畳み構成を代わりに使用してもよい。ローラの回転は、現在当業者に知られているものを含めて、（図１に１７０として示すような）ローラを回転させるためのプルチェーンまたはコード、係留棒、プーリ、直接駆動機構、歯車列、クラッチ機構、ポンプ機構、電動機構、および／または、電動機構と無線通信する制御装置および将来開発される駆動機構など、任意の所望の駆動機構を使用して実現することができる。ローラ１５０の回転を調節するための駆動機構１７０は電気モータを含んでもよく、電気モータはユーザが手動で制御するか、またはリモートコントロールなどの事前プログラム済みまたはプログラム可能ソフトウェア制御ユニットを介して制御してもよい。
【００４９】
駆動機構は、調光パネルの羽根の引き込み、伸長、または角度向き決めのためにローラを回転することができる。図３Ａ〜図３Ｅに示すように、（図３Ａ〜図３Ｅの矢印で示す）第１の方向のローラ３５０の回転により、調光サブアセンブリ３８０がローラ３５０から巻き広げられ、第１の方向とは反対の第２の方向のローラ３５０の回転により、サブアセンブリ３８０がローラ３５０の周りに巻き上がる。
【００５０】
調光パネルは、一般には、（１）パネルがローラに完全に巻き付けられた完全引き込み位置（図３Ａ）と、（２）パネルがローラから完全に解かれ、羽根が支持要素間に配置されて延び、実質的に垂直な向きとされ、垂直支持要素に対して概ね平行となった状態で垂直支持要素が互いに概ね平行かつ隣接した状態で、開口部に全体的に伸長する完全伸長位置と（図３Ｃ）、（３）羽根の中央部が、垂直支持要素の間に延び、垂直支持要素に概ね横断的に交わる向きとなり、垂直支持要素の長さに沿って離隔され、好ましくは垂直支持要素に対して実質的に水平である完全伸長された完全伸展位置（図３Ｅ）間で移行する。さらに、例示の実施形態の形態は、部分的に巻き広げられた畳み形態（図３Ｂ）と、完全に巻き広げられ伸長された部分伸展形態（図３Ｄ）とを含む。
【００５１】
具体的には、垂直支持平ひも間に水平に延びる羽根からなる巻き上げ型窓覆いにおける羽根の角度向きおよび動きは、前面および背面平ひもの相対的な動きによって左右される。図３Ａ〜図３Ｃのサブアセンブリ３８０は、第１の方向（図３Ａ〜３Ｃの矢印で示す）へのローラ３５０の回転によって巻き広げられ、その際、前面および背面平ひも３１０、３３０が合同して垂直方向に動き、それによってサブアセンブリ３８０を完全巻き上げ引き込み形態（図３Ａ）から、サブアセンブリ３８０が窓開口部において伸長する完全に巻き広げられた畳み形態（図３Ｃ）へと垂直方向に動かす。
【００５２】
窓覆いが完全に伸長され、ローラ３５０から巻き広げられた後（図３Ｃに図示）、図３Ｃにおいて矢印で示すような第１の方向へのローラ３５０のさらなる回転時など、前面平ひも３１０および／または背面平ひも３２０の互いから側方または水平方向に離隔する動きによって、平ひも３１０、３２０の離隔がさらに増し、前面および背面平ひも３１０、３２０を（図３Ｄ〜図３Ｅで３０７として示す）垂直方向に反対の方向にさらに動かし、可撓性サブアセンブリ３８０を伸展させる。前面および背面平ひも３１０、３２０の互いに対するこの垂直方向に反対の方向の動き３０７によって、羽根３３０が平ひも３１０、３２０間で旋回または回転する。平ひもの相対的な垂直方向の動き３０７は、前面平ひも３１０および背面平ひも３２０のうちの１つまたは複数の平ひもによる互いに対する垂直方向の動きの任意の組合せとすることができる。羽根３３０のこの旋回運動または回転運動によって、前面および背面平ひも３１０、３２０に対する羽根３３０の角度向きが変化し、他の要因とともに羽根３３０の形状を調節することもできる。第１の方向と反対の方向（図３の矢印と反対の方向）へのローラ３５０の回転時などの平ひもの相対的な動きによって、サブアセンブリ３８０が畳まれ、ローラ３５０のさらなる回転によってサブアセンブリ３８０がローラ３５０の周りに巻き上がる。
【００５３】
窓覆いの羽根は、パネルを透過する光の量および／または覆いを通した可視度に影響を与えるように、異なる角度向きまたは方向に向けることができ、異なる方向および向きに動かすように操作可能である。日除け向きと呼び、図１および図４Ａ〜図４Ｄに示す第１の向きでは、羽根の上端１１３が前面平ひも１２０に結合付けられ、および／または、直接または間接的に結合され、（図１および図４Ｃに示す）羽根１３０の中央部が背面平ひも１１０に対して横断的に交わる方向におおむね水平に向かって延びる位置、および／または、（図４Ａおよび図４Ｂに示す）前面平ひも１２０から背面平ひも１１０に向かって下方に延びる位置の間で伸長するように動作可能である。一般には、日除け方向では、背面平ひもに結合付けられ、好ましくは直接または間接的に結合された羽根の端部が、前面平ひもに直接または間接的に結合された羽根の端部と同じ高さまたはより低い位置にある。したがって、日除け向きでは、羽根１３０の角度向きに応じて、背面１６５を通って覆いに入射する光は羽根要素１３０に当たることができ、それによって、羽根の材料の不透明度に応じて、図４Ｄに示すように覆い１００を通過する光を遮断または拡散させることができる。
【００５４】
プライバシー向きと呼び、図２および図３Ａ〜図３Ｅに示す第２の向きでは、羽根２３０、３３０の上端２５３、３５３が、背面平ひも２２０、３２０から延び、背面平ひも２２０、３２０に直接または間接的に結合されてよく、羽根２３０、３３０は、（図２に示す）羽根２３０の中央部が前面平ひも２１０に向かって概ね水平に延びる位置、および／または、（図３Ｂ〜図３Ｄに示す）背面平ひも３２０から前面平ひも３１０に向かって下方に延びる位置との間で伸長するように操作可能である。一般に、プライバシー向きでは、前面平ひもに直接または間接的に結合された羽根の端部が、背面平ひもに直接または間接的に結合された羽根の端部と同じ高さまたはより低い位置にある。このプライバシー向きでは、光源（太陽）から外側１６５を通って覆いに入射する光１９５は、（図３Ｅに示す）羽根３３０の間の間隙または空間３２４を透過することができる。プライバシー向きでは、羽根２３０、３３０が、図３Ｄに示す位置にある羽根３３０によって示されるように透視を遮断するため、窓の下に居て見上げている人が室内を見ることを妨げることができる。
【００５５】
当業者は、巻き上げ型覆いにおける羽根の角度向きおよび相対的な動きを含む調光特性および透視特性が、平ひもがローラの背面１１５から延びているかまたはローラの前面１１９から延びているか、および／または、ローラの回転の方向によって影響されることがわかるであろう。図１および図４Ａ〜図４Ｄに示すように窓覆いがローラ１５０の前面１１９から巻き上がるかまたは巻き下がる場合、平ひも１１０、１２０がまず完全伸長位置から引き込まれると、背面平ひも１１０が下がって前面平ひも１２０に向かって側方に移動するにつれて前面平ひも１２０が垂直方向に上方に引き上げられる（図４Ｃ、図４Ｂ、図４Ａを比較）。前面平ひもおよび背面平ひも１２０、１１０のこの相対的な動きにより羽根１３０が回転または旋回し、羽根１３０が前面平ひも１２０から背面平ひも１１０に向かって下方に延び、図４Ａおよび図４Ｂに示すような日除け向きになるように、前面平ひもおよび背面平ひも１２０、１１０に対するそれぞれの角度向きを変化させる。しかし、図２、図３Ａ〜図３Ｅに示すように窓日除けがローラの背面１１５から巻き上がり、巻き下がる場合は、平ひもがまず完全伸長された伸展位置から引き込まれ、前面平ひも２１０、３１０が下がって背面平ひも２２０、３２０に向かって側方に移動するにつれて背面平ひも２２０、３２０が垂直方向上方に引き上げられる。この前面平ひもおよび背面平ひもの動きにより羽根が回転または旋回し、羽根が背面平ひも２２０、３２０から前面平ひも２１０、３１０に向かって下方に延び、図２、図３Ｃ〜図３Ｄに示すようなプライバシー向きになるように前面および背面平ひも２１０、３１０に対するそれぞれの角度向きを変える。したがって、ローラの周りの時計回りか反時計回りかの巻き上げの方向、および／または、ローラの前面または背面の周りの巻き上げの方向は、覆いが日除け向きとプライバシー用向きのいずれの向きに動作するかに少なくとも影響を与える。
【００５６】
サブアセンブリの概要
図１に示す実施形態におけるサブアセンブリ１８０は、好ましくは、１つまたは複数の内側の細長い平ひも１１０、１１０’など（内側の細長い平ひも１１０と総称）と、１つまたは複数の外側の細長い平ひも１２０、１２０’（外側の細長い平ひも１２０と総称）と、複数の羽根１３０、１３０’など（羽根１３０と総称）、と複数の任意選択の補強材１４０、１４０’など（補強材１４０と総称）とを含む、１つまたは複数の平ひも１０２を含む。サブアセンブリ１８０は、示されているよりも多いかまたは少ない数の内側の細長い平ひも１１０、外側の細長い平ひも１２０、羽根１３０、および／または補強材１４０を含んでもよいことはわかるであろう。サブアセンブリ１８０は、内側の細長い平ひも１１０、１１０’の第１の端部１１１、１１１’と、外側の細長い平ひも１２０、１２０’の第１の端部１２１、１２１’とによってローラ１５０（ある場合）に接続される。ボトムレール１６０が、内側の細長い平ひも１１０、１１０’の第２の端部１１２、１１２’のうちの少なくとも１つによってサブアセンブリ１８０に接続される。
【００５７】
平ひもおよび羽根は、好ましくは比較的可撓性の材料で形成され、補強材１４０は、実施形態では平ひも間での羽根のたるみまたは過度のたるみを抑止するように平ひも間の可撓性羽根材料を支持するために接続要素またはブリッジを形成するため、羽根と比較して比較的硬質であることが好ましい。補強材１４０は、破損せずに屈曲可能であり得るという意味では可撓性であってもよいが、羽根１３０のたるみがある場合でも最小限のたるみで羽根１３０を支持するのに十分な構造的保全性および／または剛性を有することはわかるであろう。
【００５８】
支持部材の構造
サブアセンブリは、各支持部材が、第１の端部および第２の端部であってその間で支持部材長さを画定する両端部と、その長さに対して直角な支持部材幅と、その長さおよび幅に対して直角な支持部材厚さとを有する、１つまたは複数の支持部材を含み得る。１つまたは複数の支持部材はそれぞれ、それぞれの支持部材の長さの方向に延びる長手方向軸「Ｘ」を有する。各支持部材は、内面と、好ましくは内面と反対側の外面とを有し、各面はそれぞれの支持部材の幅と長さとによって画定される表面によって画定され、それぞれの支持部材の厚さによって離隔される。一実施形態では、支持部材のうちの１つまたは複数の支持部材は細長い平ひもであってもよい。
【００５９】
より具体的には、図２に示すように、サブアセンブリ２８０は、第１の端部２５５と第２の端部２５６との間の長さと、好ましくは中央に位置する長手方向軸「Ｘ２」と、（好ましくは、回転軸「Ｒ」に対して平行な方向に延びるローラに結合付けられる場合に）長さ２２５に対して直角な幅２２６と、外側の細長い平ひも２２０の長さと幅の両方に対して直角な方向に延びる厚さ２２７とを有する１つまたは複数の外側の細長い平ひも２２０を含む。第１の外側の細長い平ひも２２０は、（図２では見えない）外面２２４と、好ましくは外面とは反対側の内面２２３とを有し、内面および外面２２３、２２４はそれぞれ、第１の外側の細長い平ひも２２０の長さ２２５と幅２２６とによって画定される表面によって画定され、第１の外側の細長い平ひも２２０の厚さ２２７によって離隔されている。サブアセンブリ２８０は、第１の端部２４５と第２の端部２４６との間の長さ２１５と、好ましくは中央に位置する長手方向軸Ｘ１と、（好ましくは回転軸「Ｒ」に平行な方向に延びるローラに結合付けられた場合）長さ２１５に対して直角な幅２１６と、内側の細長い平ひも２１０の長さと幅の両方に対して直角な方向に延びる厚さ２１７とを有する、１つまたは複数の内側の細長い平ひも２１０をさらに含む。内側の細長い平ひも２１０は（図２では見えない）外面２１４と内面２１３とを有し、内面および外面２１３、２１４はそれぞれ内側の細長い平ひも２１０の長さと幅とによって画定される表面によって画定され、第１の内側の細長い平ひも２１０の厚さ２１７によって離隔されている。
【００６０】
図２の実施形態におけるサブアセンブリ２８０は、第１の内側の細長い平ひも２１０および外側の細長い平ひも２２０について上述したように、長さと、幅と、長手方向軸と、内面と外面とを有する第２の外側の細長い平ひも２２０’と第２の内側の細長い平ひも２１０’とをさらに含む。
【００６１】
さらに、建築造作覆いの実施形態では任意の数の細長い平ひもを含んでよく、内側の細長い平ひもの数は外側の細長い平ひもの数と等しくても異なっていてもよいことを理解されたい。所望の機能特性および美的特性に応じて様々な数の細長い平ひもを使用することができる。例えば、そのような一実施形態では、図２に示すように、第３の内側の細長い平ひも２１０”と第３の外側の細長い平ひも２２０”とが、第１および第２の内側および外側の細長い平ひもの間に設けられる。図２に示す第１および第２の内側および外側の細長い平ひもは、羽根の端部に、またはその近傍、またはそれに隣接して配置され、第３の外側平ひも、第３の内側平ひも、または第３の内側平ひもと第３の外側平ひもの両方が、それらの内側平ひもと外側平ひもとの間に、例えば等距離位置に存在してよい。他の実施形態では、第３の外側の細長い平ひもは、第１と第２の外側の細長い平ひもの間に、たとえば等距離位置に存在するが、第３の内側の細長い平ひもは使用せず、それにより３本の外側の細長い平ひもと２本の内側の細長い平ひもとが存在する。サブアセンブリでは、外側および内側の細長い平ひものその他の構成も使用可能である。
【００６２】
図１の実施形態に示すように、内側の細長い平ひも１１０と外側の細長い平ひも１２０とは、サブアセンブリ１８０がローラの周りに巻かれたときに互いに重なり合うように、サブアセンブリ１８０の幅に沿って互いに側方に位置合わせされ得る。別の実施形態（図示せず）では、内側の細長い平ひものうちの１つまたは複数の内側の細長い平ひもと外側の細長い平ひものうちの１つまたは複数の外側の細長い平ひもとが互いに位置合わせされないようにサブアセンブリの幅に沿って互いに側方にずらされてよく、したがってサブアセンブリがローラの周りに巻かれたときに互いに重なり合わない。図１および図２に示すように、第１の外側の細長い平ひもは、サブアセンブリが様々な形態にあるときおよび様々な形態間を移行するときに、平ひもの長さに沿って第１の内側の細長い平ひもと実質的に平行であってよい。好ましくは、第１の内側の細長い平ひもの面は第１の外側の細長い平ひもの面と平行である。より好ましくは、内側の細長い平ひもの外面と外側の細長い平ひもの内面とは反対方向であり、より好ましくは互いの方に向いている。別の実施形態では、平ひもは平ひもの長さの少なくとも一部に沿って平行な面を有しないようになされることができる。
【００６３】
（図３Ａ〜図３Ｂに示すように）サブアセンブリ３８０がローラ３５０の周りに巻かれると、内側平ひも３１０の長さは、ローラ３５０の周囲で完全に一回転する（ローラを囲む）ように、外側平ひも３２０の長さより短い。サブアセンブリがローラ３５０の周りで回転するときに内側平ひも３１０と外側平ひも３２０のこのような異なる長さに対応するために、内側平ひも３１０は座屈してよく、状況によっては、内側平ひもは重ね合わさってもよい。一実施形態では、内側平ひも３１０は、１つまたは複数のヒンジ部分またはヒンジ線で実質的に畳まってもよい。例えば、一実施形態では、１つまたは複数の内側の細長い平ひもが、内側の細長い平ひもの長さに沿って配置された複数の折り畳み可能ヒンジ部分を画定してもよい。実施形態によっては、各ヒンジ部分は、内側の細長い平ひもの幅に沿って延びる１つまたは複数の離隔された折り目によって画定することができる。実施形態によっては、ヒンジ部分は、内側の細長い平ひも内に作り込むことができる。例えば、折り目がつくように内側平ひもを処理し、ヒートセットして、選択的折り目を形成することができる。内側平ひもの座屈、重なり合い、および／または折り曲げは、外側平ひも３２０から半径方向内側に配置されるのを補償し、サブアセンブリ３８０がローラ３５０により整然と、より均一に巻き上がることができるようにするために、巻き上げられるときに内側平ひも３１０の長さを短くするように行うことができる。したがって、内側の細長い平ひもがローラの周囲に巻き上げられるときに、内側の細長い平ひもの長さを短縮された「有効長」まで短くするために、内側平ひもは、その長さに沿って座屈、重なり合い、および／または折り曲げられるようになされてもよい。内側平ひもは、巻き上げ式覆いがローラから巻き広げられるときに、内側の細長い平ひもをその全長に戻すために、座屈の展開、および／または畳みの展開をするようにさらになされる。この座屈、折り曲げ、および／または折り畳み可能ヒンジ部分により、サブアセンブリが巻き広げられるときに外側平ひもおよび内側平ひもは同じ、または実質的に同じ幾何学長さを有すると同時に、サブアセンブリが巻き上げられるときに実質的に異なる長さを有し、それによって巻き上げ式覆いがより整然と確実に巻き上がることを可能にする。
【００６４】
隣接する内側の細長い平ひも間、および／または、隣接する外側の細長い平ひも間のサブアセンブリの幅に沿った側方の間隔は、所望の機能特性および美的特性に応じて異ならせてもよい。具体的には、第１および第２の内側の細長い平ひもを使用し、第１および第２の外側の細長い平ひもを使用する場合、サブアセンブリの幅に沿った内側の細長い平ひも間の側方の間隔は、任意の所望の距離に設定してよく、サブアセンブリの幅に沿った外側の細長い平ひも間の間隔は、任意の所望の距離に設定してよく、これらの間隔は同等距離または異なる距離であってもよい。
【００６５】
上述のように、サブアセンブリの幅に沿った１対の隣接する平ひも間の側方の間隔（例えば距離）は、サブアセンブリの幅に沿った別の１対の隣接する平ひも間の間隔と異なっていてもよいことを理解されたい。好ましくは、第１の内側の細長い平ひも１１０と隣接する第２の内側の細長い平ひも１１０’との間の距離、および／または、第１の外側の細長い平ひも１２０と隣接する第２の外側の細長い平ひも１２０’との間の距離は、６インチより大きい。より好ましくは、第１の内側または外側の細長い平ひもと対応する隣接する第２の内側または外側の細長い平ひもとの間の距離は、９インチより大きく、１２インチより大きく、好ましくは１８インチより大きく、サブアセンブリおよび羽根の構造の所望の機能特性および／または美的特性によっては２４インチ以上であってもよい。
【００６６】
内側の細長い平ひもと外側の細長い平ひもの長さに垂直方向に沿った羽根の間隔は、所望の機能特性および美的特性に応じて異なってもよい。より具体的には、一実施形態では、外側の細長い平ひものうちの１つまたは複数、好ましくは全部の長さが、少なくとも１対の隣接する羽根間で、同じ１対の隣接する羽根間の内側の細長い平ひもの長さと同じかまたはより長くてもよく、またはその逆に、少なくとも１対の隣接する羽根間で内側の細長い平ひもの長さが、同じ１対の隣接する羽根間の外側の細長い平ひもの長さよりも長くてもよい。希望する場合には、外側の細長い平ひものうちの少なくとも１つ、好ましくは全部が、最上部の羽根とローラとの間で内側の細長い平ひものうちの少なくとも１つ、好ましくは全部の長さと同じであるかまたはより長くてもよい。あるいは、内側の細長い平ひものうちの１つまたは複数、好ましくは全部の、最上部の羽根とローラとの間の長さが、その最上部の羽根とローラとの間の外側の細長い平ひものうちの少なくとも１つ、好ましくは全部の長さよりも長くてもよい。希望する場合は、内側の細長い平ひものうちの少なくとも１つ、好ましくは全部の最下部の羽根とボトムレールとの間の長さが、外側の細長い平ひものうちの少なくとも１つ、好ましくは全部の最下部の羽根とボトムレールとの間の長さと同じかまたはより長くてもよく、または逆に、外側の細長い平ひものうちの１つまたは複数、好ましくは全部の最下部の羽根とボトムレールとの間の長さが、内側の細長い平ひものうちの少なくとも１つ、好ましくは全部の最下部の羽根とボトムレールとの間の長さより長くてもよい。隣接する羽根、ローラ、および／またはボトムレール間の外側平ひもの長さと比較した内側の平ひもの長さの変更は、サブアセンブリ１８０の最下部に対する羽根の垂直距離に影響を与え得る。
【００６７】
細長い平ひもは、好ましくは可撓性材料からなる。例えば、可撓性材料は、フィルム、織物、布、プラスチックまたはその他の材料およびこれらの組合せを含むグループから選択することができる。希望する場合は、布はニット、織布または不織布材料であってもよい。細長い平ひもは、透明、半透明または不透明であってもよい。細長い平ひもは、屈曲し、ローラの周りに巻き上がることが可能な可撓性の細長い平ひもを形成するように、比較的に可撓性の材料によって相互に接続された比較的に剛性の材料、および／または、相互に接続された複数の剛性材料の組合せからなってもよい。
【００６８】
細長い平ひもは、一般には、サブアセンブリが、構造体および／または開口部などの建築造作全体を上から下まで覆うように延びるような長さを有するように選択される。細長い平ひもは、最小約５ｍｍから最大約１００ｍｍの幅を有してよく、この間において約１ｍｍ刻みで様々な長さであってよい。好ましくは、細長い平ひもの幅は、最小約８ｍｍ、最大約２５ｍｍであり、より好ましくは最小約８ｍｍ、最大約１２ｍｍである。細長い平ひもの幅は、美観と、構造と、材料と、窓覆いを支持する強度と、羽根の支持とに応じてよい。細長い平ひもの厚さは、好ましくは、最小約０．２５ｍｍ、最大約０．５ｍｍであり、この間において約０．０１ｍｍ刻みで様々であるが、他の厚さも使用してよく、使用する材料と、その幅と、紫外線劣化し易さとを含むいくつかの要因に基づいて選定されることになる。
【００６９】
羽根要素の構造
図１および図４Ａないし図４Ｄに示すように、覆いの実施形態によっては、垂直支持部材、例えば垂直平ひも１１０、１２０の位置に応じて容積を変化させるセル１０３を形成する複数の好ましくは独立して形成された多層羽根１３０を有してもよい。多層羽根１３０は、それぞれの垂直支持部材の間に延び、垂直支持部材の長さに沿って離隔されている。建築造作覆いにおける１つまたは複数の位置にあるとき、および好ましくは少なくともサブアセンブリが伸展形態にあるときに、２層以上の層の間に空間（セル）を有するようになされた多層羽根を、本開示では、多層セル式羽根または「セル式羽根」と呼び、多層でない羽根、および／または、層間に空間（セル）を形成または有しない羽根を本開示では「非セル式羽根」と呼ぶ。
【００７０】
図１に、すべてセル式の羽根を有するサブアセンブリを示し、図２に、非セル式の羽根を有するサブアセンブリを示す。図５Ｄに、セル式羽根と複数の非セル式羽根の両方を有するサブアセンブリの実施形態の一部の斜視図を示す。非セル式羽根５３０は、第１と第２の端部５３１、５３２の間に延びる長さ５３８と、両側縁部５３３、５３４間に延びる幅５３７と、厚さ５３９を画定する内面５３５および外面５３６とを有する１枚のシート材料からなってよい。当業者は、異なる形状、大きさ、および／または構成の非セル式羽根も、建築造作覆いのサブアセンブリ内での使用に適し得ることは容易にわかるであろう。例えば、非セル式羽根は大部分隣り合わせて位置合わせされ結合された複数の材料片からなっていてもよく、および／または、非セル式羽根は、接着または積層された材料の複数の層を含んでいてもよい。図５Ｄには、側縁部５４３、５４４間に延びる多層セル式羽根５４０も示す。
【００７１】
平ひもの側方および垂直方向の動きによって、多層羽根１３０の形状および角度向きが調節される。その結果、羽根１３０は、畳み位置または形態（図４Ａ参照）と、開位置、または羽根１３０が羽根材料の層の間にセルまたは空間１０３を有する三次元多層セル式羽根１３０（図１Ａ、図４Ｃ〜４Ｄ参照）を形成する形態との間で変化する。
【００７２】
畳み位置では、図４Ａに示すように、各セル１０３が実質的に平坦になってよく、多層羽根１３０を形成する材料が概ね垂直に、互いに対して実質的に平行であり、支持要素１１０、１２０のそれぞれに対して実質的に平行であってよい。実施形態によっては、畳み位置では、羽根１３０が前面および背面支持要素、例えば細長い平ひも１２０、１１０の間に位置する擬似中間シートを形成し得るようにセルが畳まれまたは平坦化された閉位置にあるときに、多層羽根１３０が互いに隣接するかまたは部分的に重なり合う（全体として図４Ａ参照）。実施形態によっては、隣接する羽根の間の間隙を通した光透過または透視を可能とし得るように、羽根が閉位置または畳み位置にあるときに羽根の重なりがなくてもよく、隣接する羽根の間に間隙が存在してもよい。
【００７３】
パネル１８０の使用材料および構造に応じて、支持部材、例えば平ひもの動きによって、多層羽根１３０によって形成されるセル１０３を開いたり閉じたりすることができ、その容積が変化し、それによってパネル１８０の光透過および透視が変化し得る。１つまたは複数の実施形態では、多層羽根は、図４Ａに示すようにサブアセンブリが巻き広げられた畳み形態のときなど、羽根が閉位置にあるときでも、多層羽根の層によってセルが形成されるような方式で製作され、構成されてよく、好ましくは支持部材、例えば細長い平ひもに直接または間接的に結合される。実施形態では、多層羽根における外側羽根層１３２のより広い幅とその構造によって、外側羽根層１３２を湾曲させ、内側羽根層１３１からわずかに側方に位置させるかまたは離隔させることができる一方、内側羽根層１３１はサブアセンブリが畳み形態にあるときでも実質的にまっすぐでピンと張られた状態のままであり、層１３１、１３２間に間隔１０３を生じさせる。内側羽根層１３１と外側羽根層１３２との間の間隔によって、空間とも呼ぶセル１０３が形成される。一実施形態のサブアセンブリが完全に巻き広げられるか、または部分的に巻き広げられると、サブアセンブリは図４Ａに示すような畳み形態になることができ、複数の羽根が重なり領域「ＯＡ」で互いに重なりあってよい。好ましくは、羽根がサブアセンブリを通した光の透過を調節、抑制、および／または、羽根の材料によっては遮断することができるように、隣接する羽根が重なり合う。多層羽根はパネルが畳み形態の時であってもセルを形成するように製作されてよいが、羽根は、パネルが畳み形態のときに多層羽根においてセル状の間隔がまったくまたは実質的に形成されないようになされてよい。
【００７４】
セル１０３が開くかまたは少なくとも部分的に開くように多層羽根１３０が位置決めされると、各羽根１３０の中央部分が少なくとも１つの支持部材、例えば平ひも１１０、１２０に対して実質的に直角となるか（図１、図４Ｃ〜図４Ｄ参照）、または角度をなしてもよい（図４Ａ〜図４Ｂ参照）。多層羽根１３０は、開くかまたは実質的に開くと、好ましくは、開口端のある空間またはセル１０３に外接して取り囲む壁を形成する。多層羽根１３０は、羽根が共通の壁または材料を別の羽根と共有しないように、互いに隣接し、離隔された平ひもに別々に結合されてよい。言い換えると、羽根１３０はそれぞれ分離し、独立し、垂直支持要素、例えば細長い平ひもの長さに沿って隣接する羽根１３０から離隔されている。例えば隣接する多層セル式羽根１３０が前面および背面支持要素１２０、１１０によって分離され、その長さにそって離隔されるように、隣接する羽根１３０の間に間隙または間隔１２４が形成されてよい。すなわち、間隙１２４は、透視を可能にし、光が羽根１３０に当たらずにパネルを透過することを可能にすることができる。開放形態では、多層羽根は各セル内に空気を閉じ込めることによって遮断をもたらすことができるセルを形成する。また、セルは、覆いの外側１６５に形成される影を、覆いの内側１１１で目立たないように低減または拡散することができる。言い換えると、覆いの内側から見たときに、特定の入射角であるか否かを問わず覆いの構造体または覆いの外側の物体（例えばごみ）に入射する光による影の線を低減することができる。
【００７５】
一実施形態では、図４Ｂに示すように、サブアセンブリが巻き広げられた部分的伸展形態であるとき、内側羽根層１３１と外側羽根層１３２との間の距離が大きくなるにつれて、内側羽根層と外側羽根層との間の間隔（セル１０３）が伸展または拡大する。本開示では、内側羽根層は内側スラット層とも呼び、外側羽根層は外側スラット層とも呼ぶ。組み立て済み覆いの一実施形態では、パネルサブアセンブリがローラの周りに実質的に巻き上げられると、内側スラットまたは羽根層がそれに対応する外側スラットまたは羽根層から半径方向内側に配置される。サブアセンブリが部分的に伸展された形態のときに、拡大されたセル１０３は、サブアセンブリが完全に巻き上げられた畳み形態のときよりも光を拡散する度合いが大きい。
【００７６】
図４Ｃに示すように、ローラのさらなる回転により、サブアセンブリをさらに、部分的に伸展された形態から完全に伸展された形態に配備することができる。図４Ｃに示すようにサブアセンブリがさらに完全伸展形態に伸展されると、細長い平ひもがさらに離隔し、それによって、羽根は多層セル式羽根１３０が二重の「Ｓ」字形の断面形状となる位置に動き、外側羽根層１３２と内側羽根層１３１とがさらに離隔され、それによって羽根セル１０３を拡大する。完全伸展形態のとき、複数の羽根が互いに完全に分離され、より高い羽根１３０の外側羽根層１３２とより低い羽根１３０’の内側羽根層１３１’との間に間隙１２４ができる。その結果、一部の直射日光が遮断され得ず、隣接する羽根の間の間隙１２４を通過し、したがってサブアセンブリと建築開口部とを通過する。
【００７７】
図４Ｄに示すように、日除け形態のときに多層セル式羽根１３０に形成されたセル１０３は、内側羽根層１３１の内面１３３に入射する直射日光１１０を、外側羽根層１３２まで透過される分散光１７５に分散させる。この結果、羽根セル１０３は直射日光１９５を拡散させ、その結果、セル１０３は、ごみ、ほこり、虫またはその他の物の影と、不具合が図４Ｄの実施形態では外側羽根層１３２である光源から最も遠い多層羽根の羽根層上に現れないように最小限にする。
【００７８】
図４Ｄに示すように、直射日光１９５は内側羽根層１３１、１３１’の内面１３３、１３３’の全体を照射しない。その結果、内側羽根層１３１’の一部分１０５’が内側羽根層１３１’の照射部分１０４’よりも暗くなる。多層羽根１３０、１３０’の複数層と、内側羽根層１３１、１３１’の半透明性とにより、内側羽根層１３１、１３１’を通過する直射日光１９５は、内側羽根層１３１、１３１’と外側羽根層１３２、１３２’との間を通るときに分散され、拡散し、分散光１７５、１７５’となる。羽根層間での直射日光１９５の分散の結果、分散光１７５は外側羽根層１３２の内表面１３５を照射し、外側羽根層１３２の外表面１３６が目に見えてより明るい部分１７６を有し、外側羽根層１３２の明るい領域と暗い領域との間の遷移が散開して相当により柔らかく見えるように、中間部分１７７においてより暗い部分１７８へと緩やかに遷移する。もし羽根が多層羽根でなかったとすれば、暗い部分１７８と明るい部分１７６との間の遷移はより急激になり、コントラストが大きくなる。セル１０３（内側と外側の羽根層１３１、１３２の間の間隙）の大きさは、建築造作覆い１００が（図４Ｄに示すように）完全に伸展された巻き広げ形態にあるときに、建築造作覆い１００が（図４Ｂに示すように）部分的に伸展された巻き広げ形態にあるときよりも光の拡散が大きくなるように、光の拡散量に比例する。
【００７９】
覆いの１つまたは複数の実施形態では、羽根のうちの１つまたは複数の羽根が、一般に可撓性材料の上部ストリップまたは層と可撓性材料の下部ストリップまたは層とを含む多層羽根であってもよい。一実施形態における多層羽根はそれぞれ独立して作成することができ、結合することができ、実施形態によっては、平ひもに好ましくは直接結合されて多層羽根を形成する。多層羽根は、いくつかの異なる方式で形成することができ、異なる構造を有する。一般に、多層羽根は、上部ストリップと下部ストリップとを形成し、各ストリップは長さを画定する２つの端部と、幅を画定する２つの側縁部とを有し、側縁部は、支持要素に直接または間接的に結合される扁平なチューブまたは多層羽根を形成するように、折り曲げ、結合、折り目付け、ヒートセット、処理、および／または相互接続することができ、セル式羽根となることができる。
【００８０】
図６Ａ〜図６Ｄに示すように、セル式羽根は、多層羽根が少なくとも１つの位置にあるとき、好ましくは少なくとも多層羽根の層が実質的に伸展された位置に分離するときに、間に空間（セル）を形成する少なくとも２つの羽根層を含み得る。羽根層は、層が空間を完全に取り囲むように分離し得る、完全に原型を保った多層羽根を形成するように構成および／または接続することができる。
【００８１】
多層羽根６００は、内側または第１の羽根層６１０（内側スラット層とも呼ぶ）と外側または第２の羽根層６２０（外側スラット層とも呼ぶ）とを含む。内側羽根層６１０は、第１の端部６１１および第２の端部６１２と、第１の端部６１１と第２の端部６１２との間の第１の長手方向縁部６１３および第２の長手方向縁部６１４とを有する。内側羽根層６１０は、第１の端部６１１と第２の端部６１２との間に（長手方向縁部６１３、６１４の方向に）延びる長さ６１６と、長手方向縁部６１３と長手方向縁部６１４との間に（縁部６１３、６１４に対して横断的に交わる方向、好ましくは概ね直角な方向に）延びる幅６１５とを有する。内側羽根層６１０は、長さ６１６および幅６１５に対して直角な厚さ６１９を有する。内側羽根層６１０は、第１の長手方向縁部６１３に沿って延びる内側縁領域６９１と、第２の長手方向縁部６１４に沿って延びる外側縁領域６９５と、内側縁領域６９１と外側縁領域６９５との間に延びる中央領域６９３とを有する。
【００８２】
図６Ａ〜図６Ｄでは、外側羽根層６２０は、第１の端部６２１および第２の端部６２２と、第１の端部６２１と第２の端部６２２との間の第１の長手方向縁部６２３および第２の長手方向縁部６２４とを有する。外側羽根層６２０は、第１の端部６１２と第２の端部６２２との間に（長手方向縁部６１４、６２４の方向に）延びる長さ６２６と、長手方向縁部６２３と長手方向縁部６２４との間に延びる幅６２５とを有する。外側羽根層６２０の幅６２５は、好ましくは内側羽根層６１０の幅よりも広い。外側羽根層６２０は、長さ６２６および幅６２５に対して直角な厚さ６２９を有する。外側羽根層６２０は、第１の長手方向縁部６２３に沿って延びる内側縁領域６９２と、第２の長手方向縁部６２４に沿って延びる外側縁領域６９６と、内側縁領域７９２と外側縁領域６９６との間に延びる中間領域６９４とを有する。
【００８３】
内側羽根層６１０は、好ましくは内側羽根層６１０の厚さ６１９によって離隔された、内面６１７（図６Ｃ）と（好ましくは内面６１７とは反対側の）外面６１８とを有する。外側羽根層６２０は、好ましくは外側羽根層６２０の厚さによって離隔された、内面６２７（図６Ａ〜図７Ｄでは見えない）と（好ましくは内面６２７とは反対側の）外面６２８とを有する。
【００８４】
羽根は、それぞれの長手方向縁部の間で「たわみ」または屈曲して全体的に平坦な向きから全体的に湾曲した、例えばほぼ「Ｓ」字形の断面形状に変化するようになすことができ、他の形状も考えられるが「Ｓ」字形は美的外見上の理由で好ましい。羽根１３０のこのような可撓性は、巻き上げ式覆いに融通性のある幾何形状を与える。サブアセンブリは、サブアセンブリが初めにローラから巻き広げられるときに光が羽根を通過しないように抑制または遮断するように羽根が実質的に畳まれている畳み形態にあるように、またはその形態に付勢されるようになされ得る。
【００８５】
当然ながら、内側羽根層と外側羽根層の長さは同じである必要はなく、各羽根層の幅または厚さも同じである必要はなく、内側羽根層と外側羽根層は異なる材料、たとえば布からなると考えられるが、必ずしもその必要はない。外側羽根層６２０および内側羽根層６１０は、外側羽根層６２０と内側羽根層６１０との間に空間６３０が存在することができ、それによって、羽根が少なくとも１つの位置にあるとき、好ましくは少なくとも羽根が実質的に伸展位置にあるときに、好ましくは外側羽根層６２０の内面６２７と内側羽根層６１０の外面６１８との間に羽根セル６３０を形成するような寸法とされ、構成されることが好ましい。内側羽根層６１０の幅６１５より広い外側羽根層６２０の幅６２５により、セル６３０の形成を促すことができる。セル６３０の形成に影響を及ぼす可能性のあるその他の要因は、羽根層６１０、６２０が形成される材料、羽根材料および／または羽根層の構造および／または付着と、羽根層の寸法（厚さ、幅および長さ）である。以下で説明する細長い補強材およびそれらの補強材と羽根との相互作用もセル６３０の形成に影響を与えるであろう。
【００８６】
好ましくは、セル６３０は羽根層の長さを伸長させ、一実施形態では、羽根層は、細長い概ね長手方向のスリーブまたはチューブを形成するようにそれぞれの長手方向縁部に沿って直接または間接的に互いに接続、結合または付着されてもよい。一実施形態では、羽根層は、空間またはセルを有する概ね細長い長手方向のスリーブまたはチューブの形成を促すように、平ひもの近傍において直接または間接的に互いに接続、結合または付着されてもよい。全般に細長い長手方向のスリーブは、任意の断面形状を有してよい。
【００８７】
羽根層は、好ましくは可撓性材料から形成される。羽根層は、所望の光透過特性または抑制特性と、所望の可撓性および強度特性とを有する、布、織物、ニット、織布、不織布、プラスチック、フィルムおよびその他の任意の材料のうちの１つまたは複数で形成され得る。羽根には異なる色、および／または、異なる模様の材料を使用してもよい。羽根材料として、不透明、半透明または透明な材料を使用することができる。単一の多層羽根の外側羽根層と内側羽根層を形成するために異なる材料を使用してもよい。例えば、１つの羽根層を半透明な織物で形成し、他方の羽根層を不透明または比較的透明な異なる材料、例えば金属またはプラスチックで形成してもよい。１つの羽根層を複数の材料で形成してもよい。
【００８８】
一実施形態では、覆いは、閉じた形態、例えば多層羽根を使用して室内を暗くする形態において、建築開口部を光が透過するのを実質的に遮断するように設計してよく、この室内を暗くする形態を以下では便宜上、「遮光」とも呼ぶがこれは本開示を限定しない。例えば、外部または背面に対向するストリップまたは層を、黒または他のストリップまたは層よりも暗い色としてもよい。例えば、背面対向ストリップを、どのような光も材料を通るのを実質的に遮断する遮光材料としてもよく、他の前面ストリップは半透明材料で形成することができる。背面または外部に対向する黒色ストリップと前面に対向する半透明ストリップとを有する多層羽根を使用することにより、背面ストリップに不具合があっても、または背面層を透過した光があっても、前面対向層によって拡散される。プライバシー向きまたはプライバシー形態では、背面に対向する遮光ストリップまたはより暗いストリップは、下部ストリップである。日除け形態では、背面に対向する遮光ストリップまたはより暗いストリップは多層羽根の上部ストリップである。あるいは、背面ストリップ、好ましくは下部ストリップにはきわめて光拡散性の高い材料を使用することができ、前面対向ストリップ、好ましくは上部ストリップには織り目のある布が好ましい場合があり、またはその逆もあり得る。
【００８９】
羽根は、上部および下部のストリップの他に、１つまたは複数の追加の層も含んでよい。例えば、上部ストリップと下部ストリップとの間に位置する第３のストリップの使用は、多層羽根における中間層であってもよい。第３の層または中間層と、任意選択により追加の層とは、フィルム、および、多層羽根を形成する他のストリップに使用可能な他のポリエステル材料とよく接着および／または溶接されるポリエステルからなるフィルムまたは布とすることができる。多層羽根における追加の層は、よりよい日除け効果をもたらし得る。例示の一実施形態では、上部ストリップの第１の１巻きの布と、中間層材料の第２の１巻きの布と、下部ストリップの第３の１巻きの布とがそれぞれ巻き広げられ、それによって、上部ストリップと中間層材料と下部ストリップとが層として配置され、超音波溶接機またはその他の付着処理に送られて多層羽根を形成する。特定の形態では、多層羽根における第３の層の使用により、改良型遮光羽根を提供することができる。一実施形態では、第３の層は中間層を形成し、光が多層羽根を通過しないように遮光をもたらす材料を選択してもよい。遮光効果をもたせるためにＤｕＰｏｎｔ（登録商標）＃３２９およびＭｙｌａｒ（登録商標）などの金属化フィルムを第３の中間層の材料として使用してもよい。好ましくは３層すべてを同時にカットシールしてよく、それらの端部で結合されてよい。第３の層はその縁部が接着されるのみであり、セルまたは間隔を形成するかまたは形成に寄与するように他の層から自由に分離する。
【００９０】
静電気の蓄積は、羽根層の分離と羽根の開きとに影響を及ぼす可能性がある。これは、薄い滑らかなセルを形成する多層羽根の場合に特に問題である。したがって、特に互いに対向して空洞を形成するストリップの表面において静電防止合成物で羽根材料を処理することにより、この静電気作用を軽減し、セルが開くのを容易にしてもよい。例えば静電防止材料を羽根ストリップの表面にプリントすることによって、ストリップに静電防止材料を添合してもよい。
【００９１】
希望する場合には、羽根材料に登録マークを付けることができ、画像または意匠の個々の部分をプリントすることができ、巻き上げ式覆いが巻き広げられた畳み形態であるときに完成形の意匠が形成される。さらに、画像は、特注の巻き上げ式窓覆いを提供するために、製造工程で羽根材料に登録マークとともにプリントすることができる。
【００９２】
好ましくは、内側羽根層および外側羽根層はそれぞれ、約１０インチから約１４４インチの長さを有し、この間で約１／８インチ刻みで異なってよい。これより短いかまたは長い長さも考えられる。羽根層の幅は、任意の所望の幅であってよいが、一般には、約１インチから６インチ、好ましくは約２インチから約５インチであり、最も好ましくは約３インチから４インチであり、この間で約１／８インチ刻みで異なってよい。羽根は均一で一定した幅としてよく、または１つのサブアセンブリにおける羽根の幅が異なってもよく、１つまたは複数の幅を有することができる。好ましくは、羽根層の第１の部分の幅、すなわち、内側縁領域の幅は、最小約１／１６インチから最大約３／８インチであってよく、羽根層の第２の部分の幅、すなわち外側縁領域の幅は最小約１／１６インチから最大約３／８インチであってよく、羽根層の第３の部分の幅、すなわち中央領域の幅が羽根層の残りの幅を構成する。一実施形態における内側縁領域の幅と外側縁領域の幅は、任意選択の細長い補強材とほぼ同じ幅であってもよく、または、以下で説明する角度の付いた細長い補強材の幅の約半分であってもよく、および／または、羽根層と細長い平ひもとの付着領域とほぼ同じであってもよい。内側縁領域の幅について、最小１／１６インチから最大約３／８インチと記載したが、この幅は約１／３２インチ刻みでこの間で異なってよく、より小さい幅とより大きい幅の両方の他の異なる幅が可能であるものと企図される。好ましくは、羽根層の長さはそれぞれの細長い平ひもの幅よりも大きく、より好ましくは、それぞれの内側の細長い平ひもの幅の和、および／または、それぞれの外側の細長い平ひもの幅の和より大きい。羽根層の厚さは、好ましくは最小約０．００５インチから最大約０．０００５インチであり、約０．０００１インチ刻みでこの間で異なり得る。各羽根層の厚さは、一般に、羽根層の長さおよび／または幅の少なくとも５０分の１である。一実施形態では、羽根層の厚さは好ましくはその長さおよび／または幅の少なくとも１００分の１とすることができ、より好ましくその長さおよび／または幅の少なくとも３００分の１である。
【００９３】
多層羽根を形成するために、単一または複数の材料片を使用して内側羽根層と外側羽根層とを形成してもよい。単一の材料片は、羽根層を製作するために折り目付け、折り曲げ、および／またはヒートセットしてその材料片自体に直接または間接的に結合してよい。あるいは、内側層および／または外側層を形成するために複数の材料片を使用してよく、一実施形態では、複数の材料片をそれらの端部で結合して内側羽根層を形成してよく、複数の材料片をそれらの端部で結合して外側羽根層を形成してもよい。多層羽根の形成の仕方は、形成されるセル型空間の側面（断面）に影響を与える可能性があり、羽根を支持する細長い平ひもの間から見たときに美的に感じがよいきれいな縁部を備えた多層羽根を形成することと、様々な美的効果を得るために羽根をその他の仕方で形成することが望ましい場合があることはわかるであろう。
【００９４】
次に図７Ａ〜図９Ｂを参照して、多層羽根の様々な実施形態の構造について以下に説明する。具体的には、図７Ａ〜図７Ｂに単一材料片からなる多層羽根の一実施形態の構造を示し、図７Ｃ〜図７Ｄに単一材料片からなる多層羽根の別の実施形態の構造を示す。図８Ａ〜図８Ｂに２つの材料片からなる多層羽根の一実施形態の構造を示し、図８Ｃ〜図８Ｄに、２つの材料片からなる多層羽根の別の実施形態の構造を示し、図８Ｅ〜図８Ｆに２つの材料片からなる多層羽根のさらに別の実施形態の構造を示す。図９Ａ〜図９Ｂに、４つの材料片からなり、補強材ポケットを含む多層羽根の一実施形態の構造を示す。より多いまたはより少ない数の材料片からなる多層羽根のその他の構造および図７Ａ〜図９Ｂに示すものとは異なる構造も考えられる。例えば、１つまたは複数の材料シートを含む１つまたは複数の材料を組み合わせて単一の羽根層を組み立てることもできる。
【００９５】
図７Ａ〜図７Ｂに示すように、第１の端部７１１と、第２の端部７１２と、第１の端部７１１と第２の端部７１２との間に延びる第１の長手方向縁部７１３と、第１の端部７１１と第２の端部７１２との間に延び、第１の長手方向縁部７１３に対して実質的に平行であってよい第２の長手方向縁部７１４とを有するシートとすることができる単一の連続した（一体の）材料片から多層羽根７００を形成することができる。シート７１０は、第１の端部７１１と第２の端部７１２との間に延びる長さ７１６を有する。シート７１０は、折り目付け、折り曲げ、穿孔、ヒートセット、および／またはその他の処理がなされ、それ自体に結合されて多層羽根７００を形成する。
【００９６】
より具体的には、多層羽根７００を形成するために、単一材料片７１０を、折り目付け、折り曲げ、穿孔、ヒートセット、および／またはその他の方法によって第１の折り目７２１を付け、シートをその長さ７１６に沿って折り目付け、折り曲げおよび／またはヒートセットすることによって第２の折り目７２２を付け、それによって単一材料片７１０を第１の長手方向縁部７１３と第２の長手方向縁部７１４間の領域７３０および端部７１１、７１２において重なり合わせ、および／または、接触させることによって、その長さ８１６に沿って処理を施し得る。シート材料７１０は、領域７３０でそれ自体に結合して、例えば単一シート材料７１０の長さ７１６と同等であってよい羽根長を有する多層羽根７００を形成することができる。材料７１０は、溶接（超音波溶接、ホットナイフ溶接など）、膠、縫い付け、またはその他の付着方法により、領域７３０内の１本の線に沿って、または別々の点または領域で直接または間接的にそれ自体に結合することができる。
【００９７】
材料７１０が折り曲げられ、直接または間接的にそれ自体に結合された後は、セル式羽根７００は、内側羽根層７０１と外側羽根層７０２との間のセル型間隔７０３を、好ましくは建築造作覆い形態における少なくとも伸展状態において形成するようになし得る。その結果の内側羽根層７０１は、第１の折り目７２１と第２の折り目７２２との間に延びる幅を有する。外側羽根層７０２は、第１の折り目線７２１と第２の折り目線７２２との間に延びる。重なり領域７３０は内側羽根層７１０の一部として示されているが、別法として、重なり領域７３０は外側羽根層７２０の一部をなしてもよく、内側羽根層または外側羽根層７１０、７２０の異なる位置に配置されるようになしてもよいことがわかる。
【００９８】
あるいは、図７Ｃ〜図７Ｄに示すように、単一シート材料は、シートをその長さ７１６に沿って折り目付け、折り曲げ、および／またはヒートセットして第１の折り目７２１を形成し、材料７１０の長手方向縁部７１３、７１４を溶接（超音波溶接、ホットナイフ溶接など）、膠、縫い付けまたはその他の付着方法により互いに付着させることによって、多層羽根７００を形成してもよい。シートの長手方向縁部７１３、７１４が結合される領域は小さく、幅が限定されていることが好ましい。図７Ｃでは、折り曲げられ結合されると、内側羽根層７０１が第１の長手方向縁部７１３と第１の折り目７２１との間に延び、外側羽根層７０２が第１の折り目７２１と第２の長手方向縁部７１４との間に延びる。多層羽根７００の実施形態を単一材料片からなるものとして図示し、説明したが、多層羽根７００は複数材料片で形成されてもよい。
【００９９】
次に、複数材料片からなる多層羽根の一例について説明する。図８Ａ〜図８Ｂの実施形態に示すように、２枚の個別シート材料を互いに直接または間接的に結合して多層羽根８００を形成することができる。シート８１０は、第１の端部８１１と第２の端部８１２との間に延びる長さ８１６と、第１の長手方向縁部８１３と第２の長手方向縁部８１４との間に延びる幅とを有する。第２のシート８２０は、第１の端部８２１と第２の端部８２２との間に延びる長さ８２６と、第１の長手方向縁部８２３と第２の長手方向縁部８２４との間に延びる幅とを有する。
【０１００】
２枚のシート材料８１０、８２０は、第１のシート８１０をその長さ８１６に沿って折り目付け、折り曲げ、および／またはヒートセットによって第１の折り目８１７を形成し、第２のシート８２０をその長さ８２６に沿って折り目付け、折り曲げ、および／またはヒートセットすることによって第２の折り目８２７を形成することによって処理を施すことができる。シート８１０、８２０は、第１のシート８１０の第２の縁部８１４が第２のシート８２０の第２の長手方向縁部８２４を超えて位置決めされてシート８１０、８２０が好ましくは互いに重なり合って直接または間接的に結合される第１の重なり領域８４０を形成し、第１のシート８１０の第１の長手方向縁部８１３が第２のシート８２０の第１の長手方向縁部８２３を超えて位置決めされてシート８１０、８２０が好ましくは互いに重なり合い結合される第２の重なり領域８３０を形成するように、互いに重なり合い、互いを基準とした位置関係に位置決めされる。２枚のシート材料８１０、８２０は、溶接（超音波溶接、ホットナイフ溶接など）、膠、縫い付け、および／または現在知られている方法および将来開発される方法を含むその他の付着方法により、１本の線に沿って、重なり領域８３０、８４０内の複数の別々の場所、または重なり領域８３０、８４０全体で互いに直接または間接的に結合されてよい。２枚のシート材料８１０、８２０は、第１の重なり領域８４０内および第２の重なり領域８３０内で互いに直接または間接的に結合されてよいが、好ましくは他の領域または部分では結合されず、それによって、これらの付着されない領域が互いから分離して空間またはセル８０３を形成する。付着領域８３０、８４０は図８Ａ〜図８Ｂに示す位置以外の位置に配置されてもよい。互いに結合されると、第１のシート材料８１０と第２のシート材料８２０は、第１の折り目８１７と第２の折り目８２７との間に延び、内側層８０１と外側層８０２との間の空間またはセル８０３の形成を促す内側羽根層８０１と外側羽根層８０２とを有する多層羽根８００を形成することができる。
【０１０１】
あるいは、第１および第２のシート材料８１０、８２０は、多層羽根８００が形成され得るが、いずれのシートも折り目付けおよび／または折り曲げされないように処理を施されてもよい。図８Ｃ〜図８Ｄに示すように、第１の端部８１１と第２の端部８１２とを有する第１のシート８１０と、第１の端部８２１と第２の端部８２２とを有する第２のシートとが互いに重なり合うことができ、前面シート８１０の第１の長手方向縁部８１３が第２のシート８２０の第１の長手方向縁部８２３と端部同士がほぼ位置合わせされて第１の重なり領域８３１を形成し、第１のシート８１０の第２の長手方向縁部８１４が第２のシート８２０の第２の長手方向縁部８２４と端部同士がほぼ位置合わせされて第２の重なり領域８４１を形成する。２枚のシート材料８１０、８２０は、溶接（超音波溶接、ホットナイフ溶接など）、膠、縫い付け、および／または現在知られている方法および／または将来開発される方法を含むその他の付着方法により、重なり領域８３１、８４１内の１本の線に沿って、または重なり領域８３１、８４１内の別々または個別の領域において、または重なり領域８３１、８４１全体にわたって直接または間接的に互いに結合されてよい。結合されると、第１のシート材料８１０は内側層８０１を形成し、第２のシート材料８２０は外側層８０２を形成する。第１のシートと第２のシートは、好ましくは領域８３１、８３４以外の領域では結合されず、それによって、これらの付着されない他の領域は図８Ｃに示すように分離することができる。このようにして、シート８１０、８２０は、内側羽根層８０１と外側羽根層８０２との間に空間８０３を有する多層羽根８００を、好ましくは建築造作覆い形態における少なくとも伸展状態において形成するようになされ得る。
【０１０２】
別の実施形態では、図８Ｅ〜図８Ｆに示すように、シート８１０、８２０が互いに重なり合うように位置合わせされ、配置され、シート８１０、８２０がそれぞれの長手方向縁部に沿った限定された領域で結合されるように切削溶接される。複数の材料シート８１０、８２０は、それぞれのシート８１０、８２０の第１の長手方向縁部８１３、８２３に沿って互いに直接または間接的に結合されてよく、それぞれのシート８１０、８２０の第２の長手方向縁部８１４、８２４に沿って直接または間接的に結合されてよい。結合および付着は、例えば超音波カット溶接シール、ホットナイフ溶接などの溶接、またはその他の付着方法により行うことができる。結合されると、第１のシート材料８１０は内側羽根層８０１を形成し、第２のシート材料８２０は外側羽根層８０２を形成する。好ましくは、第１の羽根層８０１および第２の羽根層８０２は、内側層と外側層８０１、８０２の間に空間またはセル８０３を有する多層羽根８００の形成を促すような寸法とされ、構成され、製作される。
【０１０３】
多層羽根は、参照によりその全体が本開示に組み込まれる米国特許出願第１３／８３０，２４１号に図示され、記載されているように、または、参照によりその全体が本開示に組み込まれる、２０１６年１０月２８日に出願された「Ｃｏｖｅｒｉｎｇ  ｆｏｒ  Ａｒｃｈｉｔｅｃｔｕｒａｌ  Ｆｅａｔｕｒｅｓ，  Ｒｅｌａｔｅｄ  Ｓｙｓｔｅｍｓ  ａｎｄ  Ｍｅｔｈｏｄｓ  ｏｆ  Ｍａｎｕｆａｃｔｕｒｅ」という名称の米国特許出願第６２／４１４，２４８号に図示され記載されているように構成され、組み立てられてもよい。シートの付着８Ｅ〜８Ｆは、限定された付着領域に沿っており、好ましくは、上記の、２０１６年１０月２８日に出願された「Ｃｏｖｅｒｉｎｇ  ｆｏｒ  Ａｒｃｈｉｔｅｃｔｕｒａｌ  Ｆｅａｔｕｒｅｓ，  Ｒｅｌａｔｅｄ  Ｓｙｓｔｅｍｓ  ａｎｄ  Ｍｅｔｈｏｄｓ  ｏｆ  Ｍａｎｕｆａｃｔｕｒｅ」という名称の米国特許出願第６２／４１４，２４８号に記載されているように、内側層と外側層とが容易に分離するようにヒンジを形成する。
【０１０４】
好ましくは、多層羽根７００、８００の実施形態のそれぞれにおいて、少なくとも伸展位置では、セル型間隔が羽根の長さを伸長させ、羽根層とともに、羽根層が開口端を備えた細長いチューブまたはスリープを形成する。好ましくは、外側羽根層の幅が内側羽根層の幅より広く、それによってセル型空間の形成を促すように、外側層の（例えば付着領域または折り目によって形成される）長手方向縁部間の距離（幅）は、内側層の（例えば付着領域または折り目によって形成される）長手方向縁部間の距離（幅）よりも長い。
【０１０５】
さらに他の実施形態では、多層羽根は、細長い補強材を多層羽根内に保持するために少なくとも１つの補強材ポケットも含んでよい。他の実施形態は、２つ以上の補強材ポケットを含んでもよい。図９Ａ〜図９Ｂに示すように、多層羽根９００は、第１の面９１７と第２の面９１８とを有する第１のシート材料と、第１の面９１７と第２の面と９２８とを有する第２のシート材料９２０と、少なくとも１つの補強材ポケット９６０を形成するようになされ第１の面９４８と第２の面９４９とを有する少なくとも第３のシート材料９３０（本開示では「ポケットシート」とも呼ぶ）とから製作され得る。これらのシート材料は、第１の長手方向縁部９１３、９２３、９３３と、第２の長手方向縁部９１４、９２４、９３４とを有する。シート９１０、９２０は、第１の端部９１１、９２１および第２の端部９１２、９２２と、それぞれの端部９１１、９１２と端部９２１、９２２との間に延びる長さ９１６、９２６と、それぞれの長手方向縁部９１３、９１４と９２３、９２４との間に延びる幅とを有する。第３の材料片９３０（本開示ではポケットシート９３０とも呼ぶ）、好ましくはシートは、第１の端部９３１と第２の端部９３２との間に延びる長さ９３６と、その長さに対して概ね横断的、好ましくは直角であり、第１の長手方向縁部９３３と第２の長手方向縁部９３４との間に延びる幅とを有する。第３のシート９３０は、例えば折り曲げ、折り目付け、穿孔、ヒートセットおよび／またはその他の方法によって第１の折り目９３７を形成し、それによって第１の長手方向縁部９３３と折り目９３７との間に重なり領域９６１を形成するように、その長さ９３６に沿って処理が施されてよい。シート９３０は。重なり領域９６１において第２のシート材料９２０の第１の面９２７に結合されてよい。第２の長手方向縁部９３４は、第２のシート９２０の第１の面９２７とポケットシート９３０との間に補強材ポケット９６０を形成するように第１のシート材料９１０の長手方向縁部９１４、および／または、第２のシート材料９２０の長手方向縁部９２４に対してまたは沿って結合されてもよい。
【０１０６】
第２の補強材ポケット９７０を、折り曲げ、折り目付け、穿孔、ヒートセットおよび／またはその他の方法で折り目９４７を形成することによって処理された少なくとも１枚のシート材料９４０（本開示では「ポケットシート」とも呼ぶ）を、第１のシート９１０に付着させることにより、同様にして形成してもよい。第１の長手方向縁部９４３とポケットシート９４０の折り目９４７との間には、ポケットシート９４０が好ましくは第１のシートと重なり合う重なり領域９７１が形成される。第２のポケットシート９４０は、重なり領域９７１において第１のシートの第２の面９１８に結合されてよい。第２のポケットシート９４０の第２の長手方向縁部９４４は、第１のシート９１０の第２の面９１８と第２のポケットシート１０４０との間に第２の補強材ポケット９７０を形成するように、第２のシート９２０の第１の長手方向縁部９２３、および／または、第１のシート材料９１０の第１の長手方向縁部９１３に対してまたは沿って結合されてもよい。
【０１０７】
あるいは、ポケットシート９３０の長手方向縁部９３３と第２のポケットシート９４０の長手方向縁部９４３とは、基本的にシート９２０、９１０に平行かつ、細長い補強材のための空間を設けるようにして、ポケットシート９３０、９４０を伸長することにより、折り目９３７、９４７を使用せずにそれぞれのシート９２０、９１０に直接または間接的に結合されてもよい。
【０１０８】
第１のシート材料９１０は、好ましくは、第１のシート材料９１０の第１の長手方向縁部９１３と第２の長手方向縁部９１４との間に延びる内側羽根層９０１を形成し、第２のシート材料９２０は、好ましくは、第２のシート材料９２０の第１の長手方向縁部９２３と第２の長手方向縁部９２４との間に延びる外側羽根層９０２を形成する。好ましくは、外側羽根層９０２および内側羽根層９０１は、羽根層９０１、９０２間にセルまたは空間９０３を形成するような寸法とされ、構成される。好ましくは、少なくとも伸展位置において、セル型間隔９０３が羽根の長さを伸長させ、羽根層とともに、開放端部を備えた細長いチューブまたはスリーブを形成する。好ましくは、外側羽根層９０２の幅が内側羽根層９０１の幅よりも広くなり、セル９０３の形成を促すように、第２のシート９２０の長手方向縁部９２３、９２４間の距離は、第１のシート９１０の長手方向縁部９１３、９１４間の距離よりも長い。図９Ａ〜図９Ｂの実施形態では、シート９１０、９２０について単一の一体なシート材料として説明し、図示したが、シート９１０、９２０は複数の材料片から形成されてもよい。
【０１０９】
ポケットシートは、接着剤、膠、接合、溶接、ヒートシール、縫い付け、ステープリング、超音波溶接、または超音波カットシールなどにより、羽根の面、および／または、羽根を形成する材料片の面に、直接または間接的に結合されてよい。補強材ポケットは、好ましくは、その中に細長い補強材が配置されるような大きさおよび構成とされ、さらに、補強材がねじれまたは回転するのを抑制する大きさおよび構成とされてもよい。補強材ポケットは、補強材と羽根材料との間の異なる熱膨張率によって生じる羽根材料の皺、膨れ、およびその他の望ましくない変形を避けるために、好ましくは、補強材がポケット内で側方移動、膨張および収縮することができるようにし、補強材が羽根層を含む羽根とは異なる割合で膨張および収縮できるようにする。ポケットシートは、布、織物、織布および不織布材料、編地、およびフィルムを含むプラスチック材料などの可撓性材料から形成されてよい。ポケットシートは、透明、不透明または半透明の材料で形成され得る。ポケットシートは、好ましくは、薄い不織布からなってよい。好ましくは、ポケットシートは、薄い透明（好ましくはきわめて透明な）可撓性の熱可塑性フィルムからなり、好ましくは一実施形態では、厚さが最大約０．００５インチ、最小約０．０００５インチであり、この間で約０．０００１インチ刻みで異なる厚さを有し、最も好ましくは約０．０００５インチの厚さを有する、ポリエチレンフィルムで形成される。
【０１１０】
細長い補強材の構造
サブアセンブリは、１つまたは複数の細長い補強材をさらに含んでもよい。好ましくは、図１に示すように、サブアセンブリ１８０は、複数の細長い補強材１４０をさらに含み、より好ましくは各羽根が２つの比較的薄い細長い補強材を有する。細長い補強材は、羽根に結合付けられ、羽根に付設され、実施形態によっては直接または間接的に結合されて、例えば、羽根が好ましくは直接または間接的に羽根支持部材に結合され得る羽根の長手方向縁部に沿った場所などの特定の場所において、羽根に剛性および／またはねじり剛性を与える。細長い補強材は好ましくは、羽根がその長さに沿って、垂直支持要素、たとえば細長い平ひもの間でたるみ、下垂するのを抑制または防止する。また、補強材は、羽根がより確実に動き、回転し、屈曲し、および／または旋回することができるように、羽根の調節と動きを向上させることもできる。例えば、補強材は、羽根がより確実に回転、屈曲および旋回するように、羽根の長さに沿って細長い平ひもによって羽根に加えられるねじれを容易にする。細長い補強材は一般には、羽根の長さに概ね対応するか、またはほぼ同じであるか、または同じである長さを有する、単一の一体の材料であるが、複数の材料片が細長い補強材を形成してもよく、その長さは羽根の長さと対応、またはほぼ同じ、または同じ長さである必要はない。これらおよびその他の利点は、当業者には明らかであろう。
【０１１１】
以下、上記で概説した細長い補強材の様々な実施形態の詳細を、図１０Ａ〜図１０Ｆを参照しながらさらに詳細に説明する。具体的には、図１０Ａ〜図１０Ｂは平面状の細長い補強材の一実施形態の詳細を示し、図１０Ｃ〜１０Ｄは湾曲した細長い補強材の一実施形態の詳細を示し、図１０Ｅ〜１０Ｆは角度付きの細長い補強材の一実施形態の詳細を示す。細長い補強材のその他の形状および大きさも考えられる。
【０１１２】
図１０Ａ〜図１０Ｆに示すように、細長い補強材１０００は、好ましくは、第１の端部１００１および第２の端部１００２と、第１の端部１００１と第２の端部１００２との間に延びる長さ１００８と、その長さ１００８に沿って好ましくは中央に位置する横軸「Ｙ」と、第１の側部１００３および第２の側部１００４と、幅１００７が長さ１００８に対して概ね直角となるように第１の側部１００３と第２の側部１００４との間に延びる幅１００７とを有する。細長い補強材１０００は、好ましくは、その長さ１００８および幅１００７に対して概ね直角な、最小約千分の６インチから最大約千分の３０インチでその間で約千分の１インチ刻みで異なる厚さ、好ましくは約千分の１５インチから千分の２０インチの厚さ１００９を有する。厚さ１００９は、一般には、長さおよび／または幅１００９の少なくとも５分の１である。一実施形態では、補強材１０００の厚さ１００９は、好ましくはその長さ１００８および／または幅１００７の少なくとも１０分の１であり、より好ましくは、その長さ１００８および／または幅１００７の少なくとも３０分の１である。細長い補強材は、羽根の長さに概ね対応するか、ほぼ同じであるか、または同じ長さを有する。
【０１１３】
実施形態によっては、細長い補強材１０００は、第１の面１００５と第２の面と１００６を有し、各面１００５、１００６は、補強材の長さ１００８と幅１００７とによって画定される表面によって形成され、厚さ１００９によって分離される。補強材は、実質的に平坦、または湾曲し、またはその長さ１００８に沿った折り目を有する角度の付いた表面を有し、または角度の付いた表面と湾曲した表面の両方を有し、またはその長さ１００８に沿って断面が湾曲し、またはその他の形状および断面形態を有してよい。図１０Ａ〜図１０Ｆの細長い補強材１０００について第１の側部１００３と第２の側部１００４とを有するものとして説明したが、これらの側部は面１００５、１００６の交差部において長手方向縁部に達し得ることはわかるであろう。
【０１１４】
図１０Ａ〜図１０Ｂに示すように、実質的に平坦な補強材１０００は、第１の平面状の面１００５と第２の平面状の面１００６とを有する。第１の面１００５は好ましくは図のように第２の面１００６の平面と平行な平面内にある。あるいは、第１の面１００５は比較的平坦であり、第２の面１００６の平面に平行ではない平面内にあってもよい。第１の面１００５および第２の面１００６はコンタリング加工部も有し得る。
【０１１５】
図１０Ｃ〜図１０Ｄに示すように、細長い補強材１０００は、その長さに沿って湾曲してよく、それによって湾曲補強材を形成してもよい。図１０Ｃ〜図１０Ｄの湾曲補強材は、好ましくは、細長い補強材の第１の湾曲表面１００５が凹面状であり、細長い補強材の反対側の第２の湾曲表面１００６が凸面状となり得るように、横軸Ｙに対して直角な面Ｂ−Ｂにおいて湾曲断面を有する（例えば「クラウン状」である）。補強材の凹面状表面１００５は、建築造作覆いにおいて使用されるローラの曲率半径と実質的に一致するかまたはそれに近い曲率半径「ｒ」を有し得る。湾曲補強材の曲率半径「ｒ」は、例えば最小約１インチから最大約４インチであってよく、この間で１／１６インチ刻みで変化してよい。湾曲補強材の曲率半径のその他の値も考えられ、使用されるローラの曲率半径により左右される。細長い補強材の凸面状の表面１００６は、第１の表面１００５の曲率半径と同じか、またはほぼ同じ、または異なる曲率半径を有し得る。
【０１１６】
湾曲補強材は、１つまたは複数の長手方向縁部１０１３、１０１４と第２の表面１００６に沿った頂点または最高点／線との間の最大垂直距離であるクラウン高さ「ＣＨ」を有する。長手方向縁部１０１３、１０１４は、側部１００３、１００４と第１の表面１００５との間に形成することができる。図１０Ｄに示すように、湾曲した細長い補強材のクラウン高さＣＨは、約０インチから約千分の１００インチの間で異なってよく、この間で千分の５インチ刻みで異なってよい。より好ましくは、クラウン高さＣＨは、約千分の２０インチから約千分の７０インチであり、より好ましくは、約千部の５０インチである。
【０１１７】
１つまたは複数の面１００５、１００６は、凹面状、凸面状、または実質的に平面状（平坦）であってよい。例えば、細長い補強材は、図１０Ｂに示すような湾曲した凹面の面１００５および図１０Ａに示すような実質的に平坦な平面を有してもよい。その他の組合せおよび形状も考えられる。
【０１１８】
図１０Ｅ〜図１０Ｆに示すように細長い補強材１０００は、その長さに沿ってまたは長さの周りで折り目を付け、または折り曲げて細長い角度付き補強材を形成してもよい。角度付き補強材は、折り目「Ｃ」と、第１の表面１００５に沿った第１の面１０１５（図１０Ｆ参照）と、第１の表面に沿った第２の面１０２５（図１０Ｆ参照）と、第２の表面１００６に沿った第３の面１０３６と、第２の表面１００６に沿った第４の面１０４６とを有し得る。細長い補強材は、横軸Ｙに対して直角な面Ｂ−Ｂにおける断面において角度が付いていてよい（例えば「クラウン状」としてよい）。図１０Ｆに示す角度付き補強材は、第１の面１０１５と第２の面１０２５との間に好ましくは１８０度未満、より好ましくは約１２０度から約１７０度の角度「Ａ」を有する。第１の面１０１５と第２の面１０２５とが交わる角度Ａの頂点または山は、補強材の長さに沿った中央部に位置してよく、または角度Ａの頂点（例えば山）は側部１００３、１００４のうちの一方により近くなるように側方にずれていてもよい。角度付き補強材は、第１の表面１００５の１つまたは複数の長手方向縁部１０１３、１０１４と第２の表面１００６に沿った頂点または頂線（好ましくは折り目Ｃの山）との間の最大垂直高さであるクラウン高さ「ＣＨ」を有する。長手方向縁部１０１３、１０１４は、側部１００３、１００４と第１の表面１００５との間に形成され得る。角度付き補強材のクラウン高さＣＨは、約千分の２０インチから約千分の１００インチの間で異なってよく、より好ましくは約千部の５０インチである。クラウン高さは、所望の特質および特性に応じて異なってよく、細長い補強材の形成材料、羽根の形態、および羽根の材料の特質に応じ得る。
【０１１９】
図１０Ｅ〜図１０Ｆには、実質的に平坦な平面状の面１０１５、１０２５、１０３６および１０４６を有する角度付きの細長い補強材を示したが、面１０１５、１０２５、１０３６、および１０４６の１つまたは複数の面が異なる形状をとり得ることはわかるであろう。これらの面は、丸みのある形状または湾曲形状または任意のその他の形状であってよく、平坦または実質的に平面状でなくてもよい。面１０１５、１０２５が交差する角度の頂点は、中央部に位置するかまたは中央からずれた異なる位置にあってもよい。
【０１２０】
細長い補強材の幅は比較的小さく、サブアセンブリがローラの周りに巻き上げられるときに補強材の巻き上げを容易にするように、ローラの直径よりも概ね小さい。実施形態によっては、補強材の幅は最小約３／１６インチから最大約５／８インチであってよく、最大約１インチとすることができ、約１／３２インチ刻みで異なってよい。特により幅の広い羽根（例えば４インチ、４．５インチ、５インチ、５．５インチまたは６インチ）には、より広い補強材幅が適切な場合もある。補強材の幅は、羽根および羽根の間に形成されるセルの美的外見、所望の形状、および支持要素（例えば比較的薄い平ひもまたはより広いストリップまたはシート）の間隔または形態に応じて異なり得る。
【０１２１】
細長い補強材は半透明または不透明な材料から形成されてもよいが、実施形態によっては透明または実質的に透明な補強材が好ましい。補強材は、好ましくは、羽根の構造に比較して比較的硬質または剛性であり、プラスチックまたはポリマー材料、金属材料（例えばアルミニウム、チタン、真ちゅう、またはスチールなど）、セラミック、硬質フォーム、木材などのうちの少なくとも１つの材料から形成されてもよい。あるいは、図１０Ａ〜図１０Ｆに示す構成に加えて、補強材はワイヤ、ケーブルまたは細い棒状に形成し、成形してもよい。好ましくは、角度付きの細長い補強材は、透明なプラスチックで形成され、より好ましくはポリカーボネートで形成される。
【０１２２】
図１１Ａ〜図１１Ｃを参照しながら、図１０Ｅ〜１０Ｆに示すような角度付き補強材の一実施形態の形成について以下により詳細に説明する。角度付き補強材は、矩形形状であってもよい実質的に薄い平坦な平面状のプラスチック材料片１１００を冷間成形により曲げることにより作成してもよい。実質的に薄い平坦なプラスチック材料片１１００は、第１の面１１０５と第２の面１１０６とを有し、図１１Ａに示す約９０度の角度Ａ１を有する少なくとも１つの型１１３０から抜かれる。プラスチック補強材材料１１００が約９０度の角度を有する少なくとも１つの型１１３０から抜かれた後で、プラスチック材料の第１の面１１０５の第１の部分１１１５と第１の面１１０５の第２の部分１１２５との角度は、図１１Ｃに示す約１１０度と約１７０度の間の角度Ａ２に緩和し、それによって角度Ａ２とクラウン高さ「ＣＨ」とを有する角度付き補強材が作成される。一実施形態では、２巻きの連続した真っすぐで平坦なポリカーボネートフィルムを圧延し、そのフィルムを約９０度の角度を有する型に通すことによって曲げ、その後、プラスチックにおける角度Ａ２が約１１０度から約１７０度に緩和し、補強材が所定の長さに切断されることによって、複数の細長い補強材が形成される。
【０１２３】
補強多層羽根の製作
図１の調光サブアセンブリの製作は、一般に、１つまたは複数の細長い補強材を備えた多層羽根を製作することと、その１つまたは複数の補強多層羽根を細長い平ひもに接続することとを含む。一実施形態では、サブアセンブリは、２つの羽根層を有する１つまたは複数の多層羽根と、少なくとも２つの細長い補強材とを含み、多層羽根は細長い平ひも、好ましくは１つまたは複数の内側の細長い平ひもと１つまたは複数の外側の細長い平ひもとに接続される。好ましくは、少なくとも伸展位置では、多層羽根が形成され、羽根層は羽根の長さを伸長させる空間またはセルを取り囲み、羽根層（および好ましくは１つまたは複数の補強材）が、好ましくは開口端部を有する細長いチューブまたはスリーブを形成する。
【０１２４】
多層羽根を製作することができ、図６Ａ〜図６Ｄ、図７Ａ〜図７Ｄ、図８Ａ〜図８Ｆ、または図９Ａ〜図９Ｂに示す構造を有してよく、または当業者にはわかるようにその他の構造を有してもよい。図１０Ａ〜図１０Ｆおよび図１１Ａ〜図１１Ｃに示すように細長い補強材を製作することができる。一実施形態では、細長い補強材が形成されてよく、多層羽根が製作され、次に、補強材は多層羽根に結合付けられるか、または多層羽根に沿って付設され、または多層羽根に直接または間接的に結合され、多層羽根の長さに沿って配置されて補強多層羽根を形成する。次に、この補強多層羽根が複数の細長い平ひもに結合付けられ、または直接または間接的に結合される。他の実施形態では、細長い補強材は、１つまたは複数の材料片と結合付けられ、または１つまたは複数の材料片に沿って付設され、または直接または間接的に結合され、その後、細長い補強材と組み合わされた１つまたは複数の材料片から補強多層羽根が製作され、その後、補強多層羽根は複数の細長い平ひもに結合付けられ、または直接または間接的に結合される。他の実施形態では、羽根と補強材と平ひもとは１つの統合されたプロセスで製作されてもよい。
【０１２５】
好ましくは、一実施形態では、第１の細長い補強材が、外側羽根層の内面に結合付けされ、または内面に沿って付設され、または直接または間接的に結合され、第２の細長い補強材が、内側羽根層の外面に結合付けられ、または付設され、または直接または間接的に結合される。内側羽根層は、内側または外側の細長い平ひもに結合付けられ、または付設され、または直接または間接的に結合されてよく、外側羽根層は、他の残りの細長い平ひも、例えば外側の細長い平ひもまたは内側の細長い平ひもに、結合付けられ、または付設され、または直接または間接的に結合されてよい。最も好ましくは、補強材は角度の付いた細長い補強材である。
【０１２６】
好ましくは細長い補強材が羽根の長さに沿って、より好ましくは羽根の縁領域に沿って位置づけられるように、細長い補強材を羽根に結合付け、付設し、および／または接続することで、羽根の構造的および美的な所望の特性および特質を満たすように、羽根が細長い平ひも間を隔てる距離にわたって過度にたるんだり下垂したりせずに細長い平ひも間の水平距離を埋めることができるようにして、羽根のその領域の剛性を増すように働く。また、細長い補強材は、羽根が所望の位置に動く（例えば回転、旋回する）ようにサブアセンブリが形態間で移行するときに、ねじり力を羽根、好ましくは羽根の全長にわたって加える働きもする。実施形態によっては、可撓性羽根材料の縁領域を縁に沿って補強材料または補強剤を含浸および／またはコーティングして補強縁部を作成するなどにより、細長い補強材を使用せずに羽根が羽根層の縁部に沿って補強される。
【０１２７】
巻き上げセル式建築造作覆いのサブアセンブリの様々な実施形態を、図１２Ａ〜図１２Ｅ、図１３Ａ〜図１３Ｅおよび図１４Ａ〜図１４Ｅに示す。図１２Ａ〜図１２Ｂ、図１３Ａ〜図１３Ｂおよび図１４Ａ〜図１４Ｂには、補強多層羽根の異なる実施形態の分解図を示す。図１２Ａ〜図１２Ｂ、図１３Ａ〜図１３Ｂおよび図１４Ａ〜図１４Ｂには１つの補強多層羽根１２３０、１３３０、１４３０のみが示されているが、サブアセンブリは、類似の、または異なる構造の１つまたは複数の追加の補強多層羽根１２３０、１３３０、１４３０と、非補強多層羽根、非セル型羽根を含んでもよく、さらにより少ない数の細長い平ひもまたは補強材、および／または追加の細長い平ひもまたは補強材を含んでよいものと理解される。
【０１２８】
図１２Ａ、図１３Ａ、図１４Ａを参照すると、細長い補強材の様々な構成と、補強多層羽根の様々な実施形態を形成するための細長い補強材の多層羽根への様々な接続とが示されており、以下でさらに詳細に説明する。具体的には、図１２Ａは、角度Ａ２、Ａ３が互いに反対方向になり互いに対向する向きとされ、構成された複数の角度付きの細長い補強材を有するセル式羽根の一実施形態を示す。図１３Ａは、角度Ａ２とＡ３が同じ方向になる向きとされ、構成された複数の角度付きの細長い補強材を有するセル式羽根の別の実施形態を示す。図１４Ａは、角度Ａ２とＡ３が反対方向になり互いに対向する向きとされ、構成された複数の角度付きの細長い補強材を有するセル式羽根の他の実施形態を示す。
【０１２９】
図１２Ａ〜図１２Ｂに示し、図１２Ｃに拡大図を示すように、第１の角度付き補強材１２４０が、多層羽根１２００の外側羽根層１２３２の内面１２３５に結合され、好ましくは全長に沿って延びる。第２の角度付き補強材１２５０が、多層羽根１２００の内側羽根層１２３１の外面１２３４に結合される。多層羽根１２００は、図６Ａ〜図６Ｄ、図７Ａ〜図７Ｄ、図８Ａ〜図８Ｆに示すように製作してよく、または、当業者にはわかるようにその他の構造を有することができる。図１２Ｂ〜図１２Ｃに示すように、羽根層１２３２の外側縁領域１２９６内の外側羽根層１２３２の内面１２３５に、第１の角度付き補強材１２４０の第３の面１２４３の少なくとも一部、またはその全体を直接または間接的に接続または結合することができる。図１２Ｃに示すように、例示の実施形態では角度付きの細長い補強材１２４０の第３の面１２４３の実質的に全体が、接着剤付着１２０２により外側羽根層１２３２に結合され、一方、第４の面１２４４の実質的に全体が外側羽根層１２３２に結合されない。図１２Ｂ〜図１２Ｃに示すように、第２の角度付き補強材１２５０の第４の面１２５４の少なくとも一部または全体が羽根層１２３１の内側縁領域１２９１内の内側羽根層１２３１の外面１２３４に接続または結合されてよく、一方、第３の面１２５３の実質的に全体が内側羽根層１２３１に結合されない。第１と第２の補強材の両方の羽根層への付着領域は、補強材のそれぞれの幅の約半分であり、一実施形態では、好ましくは最小約１／１６インチから最大約３／８インチであり、約１／３２インチ刻みで異なり得る。
【０１３０】
第１の角度付き補強材１２４０は、第１の面１２４１と第２の面１２４２との間に角度Ａ２を有し、クラウン高さを有する。第２の角度付き補強材１２５０は、第１の面１２５１と第２の面１２５２との間に角度Ａ３を有し、クラウン高さを有する。図１２Ａの実施形態では、細長い補強材の角度Ａ２とＡ３は異なる方向を向き、それぞれの細長い補強材が接続される羽根層から離れる向きとなっている。細長い補強材の角度Ａ２およびＡ３は、好ましくは最小約１２０度、最大約１７０度とすることができ、この間において約５度刻みで異なってよい。
【０１３１】
あるいは、図１３Ａに示すように、別の実施形態における補強材は、異なる方式で多層羽根１３３０に結合付け、付設または直接または間接的に結合されてもよい。多層羽根１３３０は、図６Ａ〜図６Ｄ、図７Ａ〜図７Ｄ、図８Ａ〜図８Ｆに示すように製作されてよく、または当業者にわかるようにその他の構造を有してもよい。図１３Ａの多層羽根１３３０においては、図１３Ｂ〜図１３Ｃに示すように、第１の角度付き補強材１３４０の第３の面１３４３の少なくとも一部、または全体が、羽根層１３３２の外側縁領域１３９６内で外側縁層１３３２の内面１３３５に直接または間接的に接続または結合されてよい。図１３Ｃに示すように、角度付き補強材１３４０の第３の面１３４３の全体に満たない部分を構成する複数の部分が、接着剤付着１３０４、１３０５により羽根層１３３２に結合される。図１３Ｂ〜図１３Ｃに示すように、第２の角度付き補強材１３５０の第２の面１３５２の少なくとも一部、または全体が、内側羽根層１３３１の内側縁領域１３９１内の内側羽根層１３３１の外面１３３４に接続または結合されてもよい。
【０１３２】
第１の角度付き補強材１３４０は、第１の面１３４１と第２の面１３４２との間に角度Ａ２を有し、クラウン高さを有し、第２の角度付き補強材１３５０は、第１の面１３５１と第２の面１３５２との間に角度Ａ３を有し、クラウン高さを有する。本実施形態では、図１３Ａに示すように、細長い補強材１３４０、１３５０の角度Ａ２、Ａ３は１８０度未満であり、好ましくは約１２０度から約１７０度であり、建築造作覆いが巻き上げられるときに細長い補強材が互いに積み重ねまたは入れ子にされることができるようにして同じ方向を向いている。
【０１３３】
また、図１４Ａに示すように、別の実施形態における補強材は、異なる方式で多層羽根１４３０に結合付け、付設、または直接または間接的に結合される。多層羽根１４３０は図９Ａ〜図９Ｂに示すように製作されてよいが、当業者にはわかるように他の構造を有してもよい。図１４Ａの多層羽根１４３０は、図１４Ｃに拡大して示されるように、第１の角度付き補強材１４４０が、第１の補強材ポケットシート１４６０と外側羽根層１４３２の内面１４３５との間に形成されたポケット１４６１内に拘束されることによって、多層羽根１４３０に接続される。第１の角度付き補強材１４４０は、図１４Ｂに示すように、羽根層１４３２の外側縁領域１４９６内で外側羽根層１４３２に対して結合付け、付設、接続、および／または拘束されている。第２の角度付き補強材１４５０も、第２の補強材ポケットシート１４７０と内側羽根層１４３１の外面１４３４との間に形成されたポケット１４７１内に拘束されることによって多層羽根１４３０に接続される。第２の角度付き補強材１４５０は、図１４Ａ〜図１４Ｂに示すように、内側羽根層１４３１の内側縁領域１４９１内で内側はね層１４３１に対して関連付け、付設、接続、および／または拘束される。
【０１３４】
第１の角度付き補強材１４４０の第１の面１４４１と第２の面１４４２とは、第１の補強材ポケットシート１４６０の方に向いた１８０度未満の角度Ａ２をなし、第１の角度付き補強材１４４０の第３の面１４４３と第４の面１４４４とは、外側羽根層１４３２の内面１４３５の方に向けられる。第２の角度付き補強材１４５０の第１の面１４５１と第２の面１４５２とは、第２の補強材ポケットシート１４７０の方に向いた１８０度未満の角度Ａ３をなし、第２の角度付き補強材１４５０の第３の面１４５３と第４の面１４５４とは、内側羽根層１４３１の外面１４３４に向けられる。図１４の実施形態では、角度付きの細長い補強材１４４０、１４５０は、好ましくは、面の向きおよび角度がわずかに変化してもよいが実質的に固定されるようにして、ポケット１４６１、１４７１内で側方に動くことができるが、ねじれまたは回転を抑止または防止されるように、それぞれのポケット１４６１、１４７１内に拘束される。
【０１３５】
各補強材の角度および各補強材のクラウン高さによって、外側羽根層と内側羽根層との間のセルの形成が促される。角度付き補強材の接続および向きと羽根の構造も、セルの形成を促す。好ましくは、セルは羽根の長さを伸長させ、羽根層とともに、好ましくは開口端部を有するスリーブ状またはチューブ状の構造体を形成する。多層羽根を角度付き補強材とともに示したが、図１１Ａ〜図１１Ｄに示すもののような補強材も使用してよく、その他の形状および大きさも考えられることがわかるであろう。
【０１３６】
図１２Ｃ、図１３Ｃ、図１４Ｃに示すように、補強材は、補強材の一面全体に沿って（図１２Ｃ）、補強材の面の各部分に沿って（図１３Ｃ）、または拘束された結合付けによって（図１４Ｃ）、羽根に直接または間接的に結合され得る。補強材は、接着剤、１つまたは複数の留め具、縫い付け、３次元織り、溶接、拘束ポケット、および／または知られている方法または将来開発される方法によって羽根に結合することができる。
【０１３７】
また、実施形態によっては、補強材は羽根の長さの一部または複数の部分に沿って結合されてもよい。他の実施形態では、補強材は羽根の全長に沿って連続的に結合されてもよい。実施形態によっては、補強材は、羽根の一部または全長に沿って羽根に断続的に結合されてもよい。角度Ａ２、Ａ３とクラウン高さとは、補強材ごとに異なっていてもよい。
【０１３８】
平ひもへの羽根の取り付け
図１２Ｂ、図１３Ｂ、図１４Ｂを参照すると、補強多層羽根の様々な構成および実施形態が、細長い平ひもに結合付け、および／または直接または間接的に接続されて、サブアセンブリの様々な実施形態を形成している様子が分解図で示されている。具体的には、図１２Ｂは、図１２Ａで説明し、図示されているように製作され、複数の細長い平ひもに向けられて結合された補強多層羽根の一実施形態の分解図を示す。図１３Ｂは、図１３Ａで説明し図示されているように製作され、複数の細長い平ひもに向けられ結合された補強多層羽根の一実施形態の分解図を示す。図１４Ｂは、図１４Ａで説明し図示されているように製作され、複数の細長い平ひもに向けられ結合された補強多層羽根の一実施形態の分解図を示す。図１２Ｃ、図１３Ｃ、図１４Ｃは、図１２Ｂ、図１３Ｂ、および図１４Ｂの実施形態のそれぞれの一部分の拡大図を示す。説明の多くは、補強羽根を対象とするが、細長い補強材を含まない多層羽根を含む羽根も考えられることがわかるであろう。
【０１３９】
図１２Ｂ、図１３Ｂ、図１４Ｂの実施形態では、サブアセンブリは、外側の細長い平ひもと内側の細長い平ひもとの間に配置され、直接結合された補強多層羽根を含む。より具体的には、補強多層羽根の長さは、第１の内側の細長い平ひもの第１の長手方向軸Ｘ１に対して横断的に向けられ、第１の外側の細長い平ひもの第２の長手方向軸Ｘ２に対して横断的に向けられ、好ましくは多層羽根の長手方向縁部が実質的にかつ好ましくは長手方向軸Ｘ１、Ｘ２に対して直角である。
【０１４０】
好ましくは、図１２Ｂの実施形態では、内側羽根層１２３１の内面１２３３が第１の内側の細長い平ひも１２１０の外面１２１４上の領域１２１８に結合される。好ましくは、外側羽根層１２３２の外面１２３６が外側の細長い平ひも１２２０の内面１２２３上の領域１２２９に直接または間接的に結合される。より好ましくは、図１２Ｃに示すように、羽根１２３２への角度付き補強材１２４０の付着部１２０２、および羽根１２３２への平ひも１２２０の付着部１２０１が少なくとも部分的に位置合わせ領域（ａ−ａ）内にあるため、外側の細長い平ひも１２２０の内面１２２３の領域１２２９が、第１の角度付き補強材１２４０の第３の面１２４３と位置合わせされ、並置される。同様に、内側羽根層１２３１の内面１２３３が内側の細長い平ひも１２１０に結合される、内側の細長い平ひも１２１０の外面１２１４の領域１２１８が、好ましくは第２の角度付き補強材１２５０の第４の面１２５４と位置合わせされ、並置される。図１２Ｂに示すように、細長い補強材の角度Ａ２、Ａ３は好ましくは異なる方向に面し、互いの方に向けられる。
【０１４１】
好ましくは、図１３Ｂの実施形態において、内側羽根層１３３１の内面１３３３が、第１の内側の細長い平ひも１３１０の外面１３１４の領域１３１８に直接または間接的に結合され、外側羽根層１３３２の外面１３３６が外側の細長い平ひも１３２０の内面１３２３の領域１３２９に直接または間接的に結合される。より好ましくは、図１３Ｃに示すように、領域１３０４、１３０５における角度付き補強材１３４０の羽根１３３２への付着部と、領域１３０１、１３０２、１３０３における平ひも１３２０の羽根１３４２への付着部とが少なくとも部分的に位置合わせ領域（ａ−ａ）内にあるため、外側の細長い平ひも１３２０の内面１３２３の領域１３２９が第１の角度付き補強材１３４０の第３の面１３４３と位置合わせされ、並置される。同様に、内側はね層１３３１の内面１３３３が内側の細長い平ひもに結合される内側の細長い平ひも１３１０の内面１３１３の領域１３１８が、好ましくは第２の角度付き補強材１３５０の第２の面１３５２と位置合わせされ、並置される。図１３Ａに示すように、細長い補強材１３４０、１３５０の角度Ａ２、Ａ３は好ましくは同じ方向に向いている。
【０１４２】
好ましくは、図１４Ｂにおいて、内側はね層１４３１の内面１４３３が、第１の内側の細長い平ひも１４１０の外面１４１４の領域１４１８に直接または間接的に結合され、外側はね層１４３２の外面１４３６が外側の細長い平ひも１４２０の内面１４２３の領域１４２９に直接または間接的に結合される。より好ましくは、図１４Ｃに示すように、角度付き補強材１４４０が拘束され、平ひも１４２０の羽根１４４２への領域１４０１、１４０２、１４０３における付着が少なくとも部分的に位置合わせ領域（ａ−ａ）内にあるため、外側の細長い平ひも１４２０の内面１４２３の領域１４２９が第１の角度付き補強材１４４０の第３の面１４４３と位置合わせされ、並置される。同様に、内側はね層１４３１の内面１４３３が内側の細長い平ひも１４１０に結合される内側の細長い平ひも１４１０の内面１４１３の領域１４１８が、第２の角度付き補強材１４５０の第４の面１４５４と位置合わせされ、並置される。図１４Ｂに示すように、細長い補強材の角度Ａ２、Ａ３は、好ましくは異なる方向に面し、互いの方に向けられる。
【０１４３】
実施形態によっては、羽根の層を、例えば直線または点などの１次元接触または接着領域に沿って細長い平ひもに直接または間接的に結合することができ、または、羽根の層を、平ひもの平面内にある２次元接触または接着領域に沿って平ひもに直接または間接的に結合することができる。例えば、接触または接着領域は、概ね矩形形状、三角形状、「Ｘ」字形状、「Ｌ」字形状、またはその他の任意の所望の形状とすることができる。図１２Ｃに示すように、細長い平ひも１２２０を、単一の付着部１２０１で羽根層１２３２に直接または間接的に結合してもよい。あるいは、図１３Ｃおよび図１４Ｃに示すように、細長い平ひもを、複数の付着領域および手段、例えば１３０１、１３０２、１３０３、１４０１、１４０２、および１４０３で、羽根層１３３２、１４３２に直接または間接的に結合してもよい。羽根層の可撓性材料は、（図１２Ｃおよび図１３Ｃに示すように）接着剤、（図１４Ｃに示すように）ステープルまたはピンなどの１つまたは複数の留め具、縫い付け、３次元織り、溶接、および／または知られているその他の方法または将来開発される方法によって、平ひもに結合してもよい。
【０１４４】
内側と外側の平ひもの互いを基準とした動きは、図１２Ｄ〜図１２Ｅ、図１３Ｄ〜図１３Ｅ、図１４Ｄ〜図１４Ｅに示すように、空間（セル）１２８０、１３８０、１４８０を拡大および縮小することができ、羽根を様々な位置に移動および／または旋回させることができ、サブアセンブリを操作して伸展形態および畳み形態の様々な状態にすることができるように、多層羽根の内側層と外側層との分離を促す。図１２Ｄ、図１３Ｄ、図１４Ｄに、中央領域が垂直または実質的に垂直の状態で多層羽根が畳まれたまたは実質的に畳まれた位置にある、サブアセンブリの様々な実施形態を示し、図１２Ｅ、図１３Ｅ、図１４Ｅに、中央部分が概ねまたは実質的に水平の状態で多層羽根が伸展または実質的に伸展位置にある、サブアセンブリの様々な実施形態を示す。好ましくは、完全に巻き広げられた伸展形態では、サブアセンブリは、１つまたは複数の内側の細長い平ひもと外側の細長い平ひもの間に配置されて延びるその長さに沿った空間またはセルを完全に取り囲む、複数のスリーブ状またはチューブ状の構造体を有する。スリーブ状またはチューブ状の構造体のセルまたは空間は、任意の断面形状を有してよい。
【０１４５】
好ましくは、図１２Ｄ、図１３Ｄおよび図１４Ｄに示すように、羽根層は、多層羽根が実質的に畳まれた位置および実質的に伸展された位置の両方のときと、羽根の少なくとも中央領域が実質的に垂直と実質的に水平の両方のときに、内側羽根層１２３１、１３３１、１４３１の内側縁領域１２９１、１３９１、１４９１が内側の細長い平ひもの一部（例えば１２１８、１３１８、１４１８）に実質的に平行になるように、細長い平ひもに接続される。外側はね層１２３２、１３３２、１４３２の外側縁領域１２９６、１３９６、１４９６も、羽根が実質的に畳まれた位置および実質的に伸展された位置の両方のときに、外側の細長い平ひもの少なくとも一部（例えば１２２９、１３２９、１４２９）に好ましくは実質的に平行になる。より好ましくは、図１２Ｄ〜図１２Ｅ、図１３Ｄ〜図１３Ｅおよび図１４Ｄ〜図１４Ｅ）に示すように、羽根が実質的に畳まれた位置および実質的に伸展された位置の両方のときに、第１の角度付き補強材１２４０、１３４０、１４４０の第３の面１２４３、１３４３、１４４３が実質的に垂直で、第２の角度付き補強材１２５０、１４５０の第４の面１２５４、１４５４が実質的に垂直である。しかし、図１３Ｄ〜図１３Ｅに示すように、第２の角度付き補強材１３５０の第２の面１３５２は、実質的に伸長された位置または実質的に畳まれた位置で実質的に垂直とならなくてもよい。
【０１４６】
また、図１２Ｄ、図１３Ｄおよび図１４Ｄに示すように羽根が実質的に畳まれた位置にあるとき、好ましくは外側の細長い平ひもの内面１２２３、１３２３、１４２３の領域１２２９、１３２９、１４２９が、内側の細長い平ひもの外面１２１４、１３１４、１４１４の領域１２１８、１３１８、１４１８から、細長い平ひもを隔てる水平方向の距離よりも大きい距離だけ垂直方向に離隔され、好ましくは、外側羽根層１２３２、１３３２、１４３２の中央領域１２９４、１３９４、１４９４が、第１の角度付き補強材１２４０、１３４０、１４４０の幅、および／または、第２の角度付き補強材１２５０、１３５０、１４５０の幅よりも小さい距離だけ、内側羽根層１２３１、１３３１、１４３１の中央領域１２９３、１３９３、１４９３から離隔される。より好ましくは、羽根が実質的に畳み位置にあるとき、羽根層の中央領域が第１の角度付き補強材のクラウン高さ程度、および／または、第２の角度付き補強材のクラウン高さ程度の距離だけ離隔される。
【０１４７】
また、図１２Ｅ、図１３Ｅおよび図１４Ｅに示すように、羽根が実質的に伸展された位置にあるとき、好ましくは外側の細長い平ひもの内面１２２３、１３２３、１４２３の領域１２２９、１３２９、１４２９が、細長い平ひもを隔てる水平方向の距離より小さい距離だけ内側の細長い平ひもの外面１２１３、１３１４、１４１４の領域１２１８、１３１８、１４１８から垂直方向に離隔され、好ましくは外側はね層の中央領域が、第１の角度付き補強材１２４０、１３４０、１４４０のクラウン高さ、および／または、第２の角度付き補強材１２５０、１３５０、１４５０のクラウン高さよりも大きい距離だけ、内側の羽根層の中央領域から離隔される。より好ましくは、羽根１２３０、１３３０、１４３０が実質的に伸展位置にあるとき、外側羽根層１２３２、１３３２、１４３２の中央領域１２９４、１３９４、１４９４が、第１の角度付き補強材１２４０、１３４０、１４４０の幅、および／または、第２の角度付き補強材１２５０、１３５０、１４５０の幅より大きい距離だけ、内側羽根層１２３１、１３３１、１４３１の中央領域１２９３、１３９３、１４９３から離隔される。
【０１４８】
当業者にはわかるように、サブアセンブリが畳み形態にあり、羽根が実質的に畳み位置にあるとき（図１２Ｄ、図１３Ｄ、図１４Ｄ）、角度付き補強材１２４０、１２５０、１３４０、１３５０、１４４０、１４５０の材料特性および角度が、羽根層１２３１、１２３２、１３３１、１３３２、１４３１、１４３２を羽根層と細長い平ひもとに作用する抵抗圧縮力によって少なくとも部分的に離隔された状態に維持されるように促す。また、サブアセンブリが巻き広げられた畳み形態（図１２Ｄ、図１３Ｄ、図１４Ｄ）から完全に巻き広げられた伸展形態（図１２Ｅ、図１３Ｅ、図１４Ｅ）に移行するとき、外側の細長い平ひも１２２０、１３２０、１４２０および内側の細長い平ひも１２１０、１３１０、１４１０が互いからさらに遠ざかり、さらに、内側の細長い平ひも１２１０、１３１０、１４１０の領域１２１８、１３１８、１４１８が上がって、それによって内側の細長い平ひも１２１０、１３１０、１４１０の領域１２１８、１３１８、１４１８を外側の細長い平ひも１２２０、１３２０、１４２０の領域１２２９、１３２９、１４２９から隔てる垂直方向の距離が縮まるように、内側の細長い平ひも１２１０、１３１０、１４１０が垂直方向にわずかに移動し得る。サブアセンブリが完全に巻き広げられた伸展形態（図１２Ｅ、図１３Ｅ、図１４Ｅ）にあるとき、内側羽根層１２３１、１３３１、１４３１を自然にそれぞれの外側羽根層１２３２、１３３２、１４３２に向かって落下させる重力に抵抗する角度付き補強材の材料特性および角度により、角度付き補強材１２４０、１２５０、１３４０、１３５０、１４４０、１４５０が羽根層１２３１、１２３２、１３３１、１３３２、１４３１、１４３２をさらに離隔させる役割を果たす。外側羽根層１２３２、１３３２、１４３２のそれぞれの内側羽根層１２３１、１３３１、１４３１と比較してより広い幅も、外側羽根層からの内側羽根層の離隔を促す。
【０１４９】
補強多層羽根を備える覆いの巻き上げ
本開示に記載のようなセル式羽根と、細長い平ひもと、細長い補強材とを含むサブアセンブリを有する覆いの操作と使用は、それらの製作および操作方法の結果として潜在的な問題を起こしやすい可能性があり、その結果、皺およびその他の不具合および調光サブアセンブリの大きく乱雑な巻きが生じる可能性がある。すなわち、多層羽根と細長い平ひもと細長い補強材の材料の複数層の結果として、きわめて大きく乱雑に巻き上がる覆いとなる可能性がある。以下で説明するいくつかの技術は、本開示に記載のサブアセンブリの巻き上げに対する可能な解決策を与えることができる。
【０１５０】
例えば、図１５に示すように多層羽根がローラの少なくとも一部の周囲に弧を描く形状を有するように多層羽根がローラの回転軸を中心として巻き上げられると、１つの羽根層（内側の羽根層またはスラット層）が他の羽根層（外側の羽根層またはスラット層）から半径方向内側に配置され、その結果、サブアセンブリに皺および座屈が生じる可能性がある。羽根層における皺または座屈の発生を抑制または防止するために、外側羽根層は内側羽根層よりも広い幅を有してよい。図１５の実施形態では、外側羽根層１５３２が、羽根１５３０の外側長手方向縁部（ＯＬＥ）と内側長手方向縁部（ＩＬＥ）との間に延びる、内側羽根層１５３１よりもより広い幅を有する。外側羽根層は、平ひもおよび羽根構造（例えば、羽根層１５３１、１５３２と、任意選択により１つまたは複数の細長い補強材１５４０、１５５０およびポケットシート１５６０、１５７０）の厚さを計算に入れるようにより広い幅を有し、その結果、外側羽根層１５３２の外周がより大きくなり、それによって羽根層、特に外側羽根層１５３２の応力および／または伸びを防ぐためにより広い幅が必要になる。直径１．５インチのローラと約３．５インチの内側羽根層幅の場合の外側羽根層と内側羽根層との幅の例示の代表的な差は約０．６インチであり、その結果として外側羽根幅は約３．５６インチとなる。内側羽根層の幅と外側羽根層の幅とのより小さい差またはより大きな差も考えられ、外側羽根層のより広い幅は、ローラの直径と羽根および平ひもの厚さとに基づいて容易に計算される。言い換えると、内側羽根層と外側羽根層との幅の差は、ローラの直径と、羽根および平ひもの厚さと、羽根の幅と、羽根の所望の美的外観とに基づき決まり得る。羽根および平ひもの厚さが増し、ローラの直径が増すにつれて、外側と内側の羽根幅間の幅の差が大きくなり得る。
【０１５１】
図１６に示すように、巻き上げ式建築造作覆い１６００は、内側の細長い平ひも１６１０と、外側の細長い平ひも１６２０と、複数の羽根１６３０と、複数の第１の細長い補強材１６４０と、複数の第２の細長い補強材１６５０とを有し、ローラ１６６０の周りに巻かれるサブアセンブリを有し得る。多数の材料層と材料の体積によって、ヘッドレールによって隠されるべき直径と材料の嵩が大きくなる可能性がある。第１の羽根１６３０の巻き上げ半径ＲＲは、ローラ１６６０とほぼ同じ曲率半径であるが、この半径は羽根が追加されるごとに大きくなる。サブアセンブリが巻かれた形態または部分的に巻き広げられた畳み形態にあるときに、羽根がローラに巻かれると複数の羽根が互いに重なり合うことがある。ローラに巻かれると、第１の端部１６１１を有する内側の細長い平ひも１６１０が、第１の端部１６２１を有する外側の細長い平ひも１６３０の対応する部分から、巻き上げ半径ＲＲに沿って半径方向内側に配置される。ローラ１６６０に巻かれたときのサブアセンブリの大きさを最小限にするために、図１６に示すように巻き上げ半径に沿って第１の細長い補強材１６４０’が第２の細長い補強材１６５０とコンパクトに位置合わせされ、重なり合うようにして、隣接する羽根１６３０、１６３０’のそれぞれの補強材１６５０、１６４０’をローラの周りに位置決めすることができる。第２の羽根１６３０’は、隣接する第１の羽根１６３０に第１の重なり領域１６０１内で重なる。第３の羽根１６３０”が、第２の重なり領域１６０２内で隣接する第２の羽根１６３０’に部分的に重なる。第４の羽根１６３０’’’が、第３の重なり領域１６０３内で隣接する第３の羽根１６３０”に部分的に重なる。実施形態によっては、それぞれの第１の補強材と第２の補強材のこのような位置合わせの結果、サブアセンブリがローラの周りに完全に巻き上がったときに、サブアセンブリの外周を小さくし得るようにしてサブアセンブリがよりコンパクトに、またはきれいにローラの周りで巻き上がる。
【０１５２】
ローラの設計および構造
実施形態によっては、ローラは任意選択のドアを含んでもよい。図１７Ａ〜図１７Ｂに、ローラ１７２０の本体上にドア１７００を設けることができる実施形態を示す。ドアは、重力によって開閉（例えば旋回）することができるように設けられ、ローラ１７２０に接続される。一実施形態では、ドアは少なくとも１つの挿入物１７８０、例えば補強材が、ドア１７００に設けられたトラック１７０４内に配置可能なように、トラック１７０４を有してもよい。図１７Ａ〜図１７Ｂに示すような好ましい実施形態によると、ドア１７００は、ローラ１７２０の第１の端部１７２２と第２の端部１７２４とによって画定される長さと、ローラ１７２０の半径方向の湾曲と実質的に一致する半径方向の湾曲と、内側端部１７０１および外側端部１７０２と、内側端部１７０１と外側端部１７０２とによって画定される幅とを有する。ドアの半径方向の湾曲により、ドア１７００上に凹面状の内面１７０８と凸面状の外面１７０９とが形成され得る。図１７Ａの例示の実施形態に示すように、ドア１７００は、ドアの内側端部１７０１にあるラッチ要素１７０５、例えば、ローラ１７２０の収容空洞１７０５Ｂ内に収容される、ドア１７００の凹面状に湾曲した内側端部１７０５Ａによって、ローラ１７２０に結合することができる。ドア１７００の外側端部１７０２は、ドア１７００がラッチ要素１７０５によって内側端部１７０１においてローラに結合されたままの状態でドアが自由に揺動して開くことができるように、その長さに沿ってローラ１７２０から取り外すことができる。ドア１７００は、ドア１７００の外側端部１７０２がローラ１７２０に向かって動くように、ラッチ要素１７０５の周りで回転することによって閉じるようにさらに操作可能である。
【０１５３】
本開示の他の実施形態では、図１７Ａに示すように、隆起部１７０３を、ドア１７００の長さに沿ってドア１７００の凹面状の内面１７０８に一体的に設けることができ、それによって隆起部１７０３とドア１７００の外側端部１７０２とがドア１７００の長さに沿って「Ｃ」字型のトラック１７０４を形成する。
【０１５４】
本開示の別の実施形態によると、図１７Ｂに示すように、ローラ１７２０の第１の端部１７２２と第２の端部１７２４とによって画定される長さと、ローラ１７２０の湾曲と実質的に一致する半径方向の湾曲と、第１の端部１７０６と、第２の端部１７０７と、収容トラック１７１０の第１の端部１７０６と第２の端部１７０７との間に画定される幅とを有する「Ｃ」字型の収容トラック１７１０を、ローラ１７２０の本体に一体的に設ける（作り込む）ことができる。図１７Ｃに示すように、ローラ１７２０上の収容トラック１７１０は、羽根１７９０で覆われた挿入物が収容トラック１７１０の一部または全長にわたって収容トラック１７１０内に配置されることができるように、羽根１７９０の一部で覆われた少なくとも１つの挿入物１７８０’（図では見えない）を収容することができ、挿入物１７８０’に重なる羽根１７９０が例えばステープル１７４２によって外側の細長い平ひも１７４０の内面に結合される。細長い平ひも１７４０は、接着、縫い付け、タックル、ピン止め、融合、溶接または現在知られているかまたは将来開発されるその他の手段など、他の手段によって挿入物１７８０’に結合されてもよい。
【０１５５】
図１７Ｄに示すように、ローラ１７２０の第２の端部１７２４において、一実施形態によると、ドア１７００上のトラック１７０４は、少なくとも１つの挿入物１７８０、たとえば細長い補強材を、挿入物１７８０がトラックの一部または全長にわたってトラック１７０４内に配置されることができるように、収容することができ、挿入物１７８０は例えばステープル１７４１によって内側の細長い平ひも１７３０の外面に結合することができる。細長い平ひも１７３０は、接着、縫い付け、仕付け縫い、ピン止め、融合、溶接または現在知られているかまたは将来開発されるその他の手段など、他の手段によって挿入物１７８０に結合してもよい。一実施形態では、挿入物１７８０は、可撓性の布製覆いによって覆われてもよい。
【０１５６】
図１７Ｅ〜図１７Ｈに、閉位置から開く過程にある図１７Ａ〜図１７Ｂに示すようなドアを含む巻き上げ式覆いの一実施形態の進行図を示す。図の実施形態によると、ローラ１７２０上のドア１７００がローラ１７２０にもたれて閉位置にあるとき、ドア１７００上のトラック１７０４がローラ１７２０の外周に沿ってトラック１７１０に隣接する。図１７Ｅに示す閉位置では、巻き上げ式覆いは、ドア１７００のトラック１７０４内に配置された少なくとも１つの挿入物１７８０と、ローラ１７２０のトラック１７１０内に配置された少なくとも１つの挿入物１７８０’とを有する。トラック１７０４内に配置された挿入物１７８０は、内側の細長い平ひも１７３０に結合付けおよび／または直接または間接的に結合され、トラック１７１０内に配置された挿入物１７８０’は、外側の細長い平ひも１７４０に結合付けおよび／または直接または間接的に結合されている。各挿入物１７８０、１７８０’はそれぞれの布製覆いで覆われてもよい。内側の細長い平ひも１７３０は、他の手段によってドア１７２０に結合付けおよび／または直接または間接的に結合されてもよく、外側の細長い平ひも１７４０は、留め具、膠、縫い付けまたは現在知られているかまたは将来開発される他の付着方法など、その他の手段によってローラに結合付けおよび／または直接または間接的に結合されてもよい。
【０１５７】
図１７Ｆにさらに示すように、ローラ１７２０がさらに矢印の方向に巻き戻されてサブアセンブリがローラから完全に巻き広げられると、ドア１７００は最初に、外側端部１７０２がローラ１７２０の本体から取り外しまたは分離され、ドア１７００が、（図１７Ａに示す）凹面状に湾曲した内側端部１７０５Ａを介して、（図１７Ａに示す）収容空洞１７０５Ｂに結合または引っかかったままとなっているラッチ要素１７０５を中心に旋回するように開く。やはり図１７Ｆに示すように、ドア１７００が図のように初期開位置１７５０にあるときに、内側の細長い平ひも１７３０からのたるみが挿入物１７８０から垂れ下がり、内側の細長い平ひも１７３０の曲げられた部分１７５０が外側の細長い平ひも１７４０に対して横断的に交わる方向、および／または、実質的に直角になり得る。
【０１５８】
図１７Ｇの実施形態では、ローラ１７２０が矢印１７２０の方向にさらに回転し、ドアがローラ１７２０に対して実質的に直角になる開位置までドア１７’’が旋回すると、最上部の羽根１７６０の中央部が平ひも１７３０、１７４０に対して実質的に直角ではなくなるように細長い平ひも１７３０、１７４０が離隔し、複数の羽根が伸展位置に移行する。
【０１５９】
図１７Ｈに示すように、ローラ１７２０が矢印の方向にさらに回転すると、ドア１７００は実質的に水平になり、巻き上げ式覆いの最上部の羽根１７６０に実質的に平行になり、ドア１７００は、羽根の中央領域が細長い平ひも１７３０、１７４０に対して横断的な方向、好ましくは実質的に直角となり、内側の細長い平ひも１７３０が外側の平ひも１７４０から完全に分離し、外側の平ひも１７４０に平行になる、完全伸展位置に覆いを保持する。ドアがローラの有効径を大きくし、それによって、ローラの直径よりも広い内側の細長い平ひもと外側の細長い平ひもとの間の羽根の使用を可能にすることができるため、ローラ内でのドアの使用が内側の平ひもを外側の平ひもから離隔するのを促す役割を果たし得るとともに、サブアセンブリおよび建築造作覆いの調光の利点と所望の美的外見とを維持することができることがわかるであろう。
【０１６０】
製作方法
巻き上げ式建築造作覆い内で使用するための補強多層羽根の製作方法を、図１８Ａ〜図１８Ｄに示す。第１の羽根材料片１８１０と第２の羽根材料片１８２０とが適切な大きさに切断される。各材料片は、第１の端部１８１１、１８２１と、第２の端部１８１２、１８２２と、第２の長手方向縁部１８１３、１８２３と、第２の長手方向縁部１８１４、１８２４と、第１の長手方向縁部１８１３、１８２３とそれぞれの第２の長手方向縁部１８１４、１８２４との間に延びる幅１８１５、１８２５と、第１の端部１８１１、１８２１とそれぞれの第２の端部１８１２、１８２２との間に延びる長さ１８１６、１８２６と、長さ１８１６、１８２６と幅１８１５、１８２５とによって画定される表面によって画定される第１の面１８１７、１８２７と、長さ１８１６、１８２６と幅１８１５、１８２５とによって画定される表面によって画定される反対の第２の表面１８１８、１８２８と、第１の面１８１７、１８２７とそれぞれの反対の第２の表面１８１８、１８２８との間の距離によって画定される厚さとを有する。第２の材料片１８２０は、好ましくは第１の材料片１８１０の幅１８１５よりも広い幅１８２５を有する。第１および第２の材料片は、それぞれの幅または長さと比較して相対的に薄くてよい。
【０１６１】
第１のポケット材料シート１８７０および第２のポケット材料シート１８６０も任意選択により設けられてよく、適切な大きさに切断されてよい。各シートは、第１の端部１８７１、１８６１と、第２の端部１８７２、１８６２と、第１の長手方向縁部１８７３、１８６３と、第２の長手方向縁部１８７４、１８６４と、第１の長手方向縁部１８７３、１８６３とそれぞれの第２の長手方向縁部１８７４、１８６４との間に延びる幅１８７５、１８６５と、第１の端部１８７１、１８６１とそれぞれの第２の端部１８６２、１８７２との間に延びる長さ１８７６、１８６６と、厚さとを有する。第１の角度付き補強材１８４０および第２の角度付き補強材１８５０が設けられてよく、各角度付き補強材１８４０、１８５０がそれぞれの第１の面１８４１、１８５１とそれぞれの第２の面１８４２、１８５２との間に１８０度未満の角度Ａ２、Ａ３を有し、各補強材もそれぞれの第３の面１８４３、１８５３とそれぞれの第４の面１８４４、１８５４とを有するように、図１０Ｅ〜図１０Ｆおよび図１１Ａ〜図１１Ｃに関して説明し、図示したように製作されてよい。
【０１６２】
第１のポケットシート１８７０は、その長さに沿って折り目付け、折り曲げ、および／または、ヒートセットされて、折り目１８７７と、長手方向縁部１８７３と折り目１８７７との間の領域１８７８とを形成する。第１のシート１８７０は、折り目１８７７と第１の羽根材料片１８１０の第１の長手方向縁部１８１３との間の距離が、第１のポケットシート１８７０の第１の長手方向縁部１８７３と第１の材料片１８１０の第１の長手方向縁部１８１３との間の距離よりも大きくなるように、図１８Ｂに示すように領域１８７８内で第１の羽根材料片１８１０の第２の面１８１８に直接または間接的に結合される。第２のポケットシート１８６０は、その長さ１８６６に沿って折り目付け、折り曲げ、および／または、ヒートセットされて、折り目１８６７と、第１の長手方向縁部１８６３と折り目１８６７との間の領域１８６８とを形成する。第２のポケットシート１８６０は、折り目１８６７と第２の材料片１８２０の第２の長手方向縁部１８２４との間の距離が、第２のポケットシート１８６０の第１の長手方向縁部１８６３と第２の羽根材料片１８２０の第２の長手方向縁部１８２４との間の距離よりも大きくなるように、図１８Ｂに示すように領域１８６８内で第２の羽根材料片１８２０の第１の面１８２７に直接または間接的に結合される。一実施形態では、ポケットシート１８６０、１８７０の領域１８６８、１８７８が、超音波溶接またはホットナイフカットシールによって羽根材料片１８１０、１８２０の面１８１８、１８２７に直接または間接的に結合される。
【０１６３】
次に、第１の細長い補強材１８４０を、第１の羽根材料片１８１０に対向する１８０度未満の角度Ａ２で第２の羽根材料片１８２０の第１の面１８２７に隣接して位置づける。図１８Ｃに示すように、第２のポケットシート１８６０の第２の長手方向縁部１８６４が第２の羽根材料片１８２０の第２の長手方向縁部１８２４において第２の長手方向縁部１８２４に位置合わせされるように、第２のポケットシート１８６０で第１の細長い補強材１８４０の周りを好ましくは約１８０度包む。このようにして、第１の細長い補強材１８４０の各面が第２の羽根材料片１８２０と第２のポケットシート１８６０とによって囲まれ、包み込まれ、第１の角度付き補強材１８４０の第１の面１８４１と第２の面１８４２との間の好ましくは１８０度未満の角度Ａ２が第２のポケットシート１８６０に対向する。同様に、第２の細長い補強材１８５０を、第２の材料片１８２０に対向する好ましくは１８０度未満の角度Ａ３で第１の羽根材料片１８１０の第２の面１８１８に隣接して位置づける。図１８Ｃに示すように、第１のポケットシート１８７０の第２の長手方向縁部１８７４が第１の材料片１８１０の第１の長手方向縁部１８１４において第１の長手方向縁部１８１４に位置合わせされるように、第１のポケットシート１８７０で第２の細長い補強材１８５０の周りを好ましくは約１８０度包む。このようにして、第２の細長い補強材１８５０の各面が、第１の羽根材料片１８１０と第１のポケットシート１８７０とによって囲まれ、包み込まれ、第２の角度付き補強材１８５０の第１の面１８５１と第２の面１８５２との間の角度Ａ３が第１のポケットシート１８７０に対向する。
【０１６４】
次に、第１の羽根材料片１８１０と第２の羽根材料片１８２０と第２のポケットシート１８６０との第２の長手方向縁部１８１４、１８２４、１８６４を、例えば超音波切削溶接によって第２の長手方向縁部１８１４、１８２４、１８６４に沿った超音波切削溶接線において互いに結合して、図１８Ｄに示すような第１の補強材ポケット１８６９を形成する。同様に、第１の羽根材料片１８１０と第２の羽根材料片１８２０の第１の長手方向縁部１８１３、１８２３と、第１のポケットシート１８７０の第２の長手方向縁部１８７４とを例えば超音波切削溶接によってそれぞれの長手方向縁部１８１３、１８２３、１８７４に沿った超音波切削溶接線において互いに結合して、図１８Ｄに示すような第２の補強材ポケット１８７９を形成する。
【０１６５】
多層羽根が、内側羽根層１８３１と、外側羽根層１８３２と、第１のポケットシート１８７０と、第２のポケットシート１８６０と、第１の角度付き補強材１８４０と、第２の角度付き補強材１８５０とを有するように、材料片の長手方向縁部を付着させることによって、補強多層羽根１８３０が形成される。第１の角度付き補強材１８４０は、外側羽根層１８３２の内面１８３５と第２のポケットシート１８６０との間の第１のポケット１８６９内に配置され、第２の角度付き補強材１８５０は、内側羽根層１８３１の外面１８３４と第１のポケットシート１８７０との間の第２のポケット１８７９内に配置され、角度付き補強材１８４０、１８５０の角度Ａ２、Ａ３は好ましくは１８０度未満であり、それぞれの補強材ポケットシート１８６０、１８７０に対向し、互いに反対方向に向けられる。本実施形態では、外側羽根層１８３２は、セル式羽根１８３０の長手方向縁部１８３７、１８３８間の内側羽根層１８３１の幅よりも広い、セル式羽根１８３０の長手方向縁部１８３７、１８３８間の幅を有する。本実施形態では、多層羽根１８３０は、内側羽根層１８３１の外面１８３４と、外側羽根層１８３２の内面１８３５と、第１のポケットシート１８６０と、第２のポケットシート１８７０との間に空間（セル）１８８０を有する。
【０１６６】
上述のように製作された、補強材ポケット１８６９、１８７９内に複数の角度付き補強材１８６０、１８７０を有する多層羽根１８３０は、サブアセンブリの一部として（図１４Ｂに関して上述したように）細長い平ひもに直接または間接的に結合されると、サブアセンブリの形態および羽根の位置が、畳まれた形態と伸展形態との間で変化するにつれて、補強多層羽根１８３０が、実質的に畳まれた位置から実質的に伸展された位置に移行および／または旋回することができるように補強される。ポケット１８６９、１８７９は、角度付きの補強材１８６０、１８７０がねじれおよび／または回転するのを抑制および／または防止することによって、角度付きの細長い補強材１８６０、１８７０の互いに対する向きおよびサブアセンブリの他の構成要素に対する向きを制約し、維持するとともに、羽根１８３０の角度付き補強材１８６０、１８７０が羽根とは異なる割合で膨張および収縮することができるように、角度付き補強材１８６０、１８７０がそれぞれの補強材ポケット１８６９、１８７９内で長さ方向に側方にある程度動くことができるようにし、それによって、補強材と羽根材料との間の異なる熱膨張率によって生じる可能性のある羽根材料の皺、膨れ、およびその他の不体裁な変形を回避する。
【０１６７】
巻き上げ式建築造作覆いの長さと幅は両方とも容易にカスタマイズ可能である。長さは所望の羽根数を選定することにより容易に調節可能であり、幅は所望の巻き上げ式覆い幅に合うように所望の羽根長を選定する（羽根を羽根材料の連続した巻物から切り取る）ことにより容易に調整可能である。羽根間隔が巻き上げ式覆いのはしごまたはその他の既存要素によって決定される必要がないため、巻き上げ式覆いの長さはさらにカスタマイズ可能である。むしろ、所望の巻き上げ式覆い長と羽根間隔とを実現するように、羽根を平ひも（またはその他の支持要素）の長さに沿った任意の所望の箇所に配置することができる。隣接羽根間の間隔全体は、必要に応じて均一であっても不均一であってもよいが、巻き上げ式覆い全体の最終的なカスタム長に基づくなどしてカスタマイズ可能である。羽根の数は、好ましくは、巻き上げ式覆いが様々な形態にあるときに羽根が所望の光変更効果をもたらすように、巻き上げ式建築造作覆いの長さに沿って十分な羽根を設けるように選定される。カスタマイズされた窓覆いを提供する１つの方式は、Ｒｏｌｌ−Ｕｐ  Ｃｏｖｅｒｉｎｇｓ  ｆｏｒ  Ａｒｃｈｉｔｅｃｔｕｒａｌ  Ｏｐｅｎｉｎｇｓ  ａｎｄ  Ｒｅｌａｔｅｄ  Ｍｅｔｈｏｄｓ，  Ｓｙｓｔｅｍｓ  ａｎｄ  Ｄｅｖｉｃｅｓという名称の国際出願ＰＣＴ／ＵＳ２０１５／０４９４４４号に記載されており、その開示は参照によりその全体が本開示に組み込まれる。
【０１６８】
当業者は、広義の発明概念から逸脱することなく上述の実施形態に変更を加えることができることがわかるであろう。したがって、本発明は、開示した特定の実施形態には限定されず、本発明の趣旨および範囲内の修正に及ぶことが意図されているものと理解される。例示の実施形態において本発明の基本的な特徴について図示し、説明したが、本発明の趣旨から逸脱することなく、当業者には、建築造作覆いの開示の実施形態の態様および詳細における省略、代替、および変更を行うことができることがわかるであろう。また、当業者にはわかるであろう通り、本発明の範囲は、本開示に記載の構成要素に対する従来から知られる変形および修正、将来開発される変形および修正に及ぶ。
【０１６９】
当業者は、本建築造作覆いには多くの用途があり、様々な方式で実施可能であり、したがって前述の実施形態および実施例によって限定されないことがわかるであろう。本開示に記載の異なる実施形態の任意の数の特徴を組み合わせて単一の実施形態とすることもできる。特定の要素、例えば細長い平ひもおよび／または補強材の位置は変更してもよい。記載されている特徴以外の追加の特徴を有する代替実施形態も可能であり、または、記載のすべての特徴より少ない特徴を有してもよい。機能の全体または一部を、現在知られている方式または今後知られるようになる方式で複数の構成要素間で分散させてもよい。
【０１７０】
求める保護の範囲の曖昧さを回避するために、明示的に定義されていない用語および語句には、その最も広い妥当な解釈が与えられるべきである。文脈が特に明確に示していない限り、本開示で使用される単数形の「ａ」、「ａｎ」および「ｔｈｅ」は複数形も含むものと意図されている場合がある。本発明の範囲は、記載されている実施例によって限定されず、本開示に添付の特許請求の範囲およびその同等物によって規定されるものと意図される。
【図１】
2018080568.tif 000003
【図２】
2018080568.tif 000004
【図３Ａ】
2018080568.tif 000005
【図３Ｂ】
2018080568.tif 000006
【図３Ｃ】
2018080568.tif 000007
【図３Ｄ】
2018080568.tif 000008
【図３Ｅ】
2018080568.tif 000009
【図４Ａ】
2018080568.tif 000010
【図４Ｂ】
2018080568.tif 000011
【図４Ｃ】
2018080568.tif 000012
【図４Ｄ】
2018080568.tif 000013
【図５Ａ】
2018080568.tif 000014
【図５Ｂ】
2018080568.tif 000015
【図５Ｃ】
2018080568.tif 000016
【図５Ｄ】
2018080568.tif 000017
【図６Ａ】
2018080568.tif 000018
【図６Ｂ】
2018080568.tif 000019
【図６Ｃ】
2018080568.tif 000020
【図６Ｄ】
2018080568.tif 000021
【図７Ａ】
2018080568.tif 000022
【図７Ｂ】
2018080568.tif 000023
【図７Ｃ】
2018080568.tif 000024
【図７Ｄ】
2018080568.tif 000025
【図８Ａ】
2018080568.tif 000026
【図８Ｂ】
2018080568.tif 000027
【図８Ｃ】
2018080568.tif 000028
【図８Ｄ】
2018080568.tif 000029
【図８Ｅ】
2018080568.tif 000030
【図８Ｆ】
2018080568.tif 000031
【図９Ａ】
2018080568.tif 000032
【図９Ｂ】
2018080568.tif 000033
【図１０Ａ】
2018080568.tif 000034
【図１０Ｂ】
2018080568.tif 000035
【図１０Ｃ】
2018080568.tif 000036
【図１０Ｄ】
2018080568.tif 000037
【図１０Ｅ】
2018080568.tif 000038
【図１０Ｆ】
2018080568.tif 000039
【図１１Ａ】
2018080568.tif 000040
【図１１Ｂ】
2018080568.tif 000041
【図１１Ｃ】
2018080568.tif 000042
【図１２Ａ】
2018080568.tif 000043
【図１２Ｂ】
2018080568.tif 000044
【図１２Ｃ】
2018080568.tif 000045
【図１２Ｄ】
2018080568.tif 000046
【図１２Ｅ】
2018080568.tif 000047
【図１３Ａ】
2018080568.tif 000048
【図１３Ｂ】
2018080568.tif 000049
【図１３Ｃ】
2018080568.tif 000050
【図１３Ｄ】
2018080568.tif 000051
【図１３Ｅ】
2018080568.tif 000052
【図１４Ａ】
2018080568.tif 000053
【図１４Ｂ】
2018080568.tif 000054
【図１４Ｃ】
2018080568.tif 000055
【図１４Ｄ】
2018080568.tif 000056
【図１４Ｅ】
2018080568.tif 000057
【図１５】
2018080568.tif 000058
【図１６】
2018080568.tif 000059
【図１７Ａ】
2018080568.tif 000060
【図１７Ｂ】
2018080568.tif 000061
【図１７Ｃ】
2018080568.tif 000062
【図１７Ｄ】
2018080568.tif 000063
【図１７Ｅ】
2018080568.tif 000064
【図１７Ｆ】
2018080568.tif 000065
【図１７Ｇ】
2018080568.tif 000066
【図１７Ｈ】
2018080568.tif 000067
【図１８Ａ】
2018080568.tif 000068
【図１８Ｂ】
2018080568.tif 000069
【図１８Ｃ】
2018080568.tif 000070
【図１８Ｄ】
2018080568.tif 000071
【手続補正書】
【提出日】平成30年1月19日(2018.1.19)
【手続補正１】
【補正対象書類名】明細書
【補正対象項目名】００１０
【補正方法】変更
【補正の内容】
【００１０】
【図１】巻き広げられ伸展された形態のサブアセンブリを有する巻き上げセル式覆いの一実施形態を示す前面透視図である。
【図２】巻き広げられ伸展された形態のサブアセンブリを有する巻き上げ覆いの別の実施形態を示す前面透視図である。
【図３Ａ】完全巻き上げ形態の巻き上げ式建築造作覆いの一実施形態を示す透視図である。
【図３Ｂ】部分的に巻き広げられた畳み形態の巻き上げ式建築造作覆いの一実施形態を示す透視図である。
【図３Ｃ】完全に巻き広げられた畳み形態の巻き上げ式建築造作覆いの一実施形態を示す透視図である。
【図３Ｄ】完全に巻き広げられた部分的伸展形態の巻き上げ式建築造作覆いの一実施形態を示す透視図である。
【図３Ｅ】完全に巻き広げられた完全伸展形態の巻き上げ式建築造作覆いの一実施形態を示す透視図である。
【図４Ａ】完全に巻き広げられた畳み形態の巻き上げセル式建築造作覆いの一実施形態の端面図を示す概略図である。
【図４Ｂ】完全に巻き広げられた部分的伸展形態の巻き上げセル式建築造作覆いの一実施形態の端面図を示す概略図である。
【図４Ｃ】完全に巻き広げられた完全伸展形態の巻き上げセル式建築造作覆いの一実施形態の端面図を示す概略図である。
【図４Ｄ】光が覆いと相互作用する完全に巻き広げられた完全伸展形態の巻き上げセル式建築造作覆いの一実施形態の端面図を示す概略図である。
【図５Ａ】可撓性材料のシートを示す斜視図である。
【図５Ｂ】図５Ａに示すシートを示す端面図である。
【図５Ｃ】実質的に伸展された位置にある非セル式羽根を示す端面図である。
【図５Ｄ】多層セル式羽根と非セル式羽根の両方を有する可撓性調光サブアセンブリの追加の実施形態の一部を示す透視図である。
【図６Ａ】多層羽根を示す斜視図である。
【図６Ｂ】図６Ａの多層羽根を示す端面図である。
【図６Ｃ】実質的に伸展位置にある図６Ａおよび図６Ｂに示す多層羽根の一実施形態を示す端面図である。
【図６Ｄ】図６Ｃの多層羽根の実施形態を示す斜視図である。
【図７Ａ】多層羽根の一実施形態として形成されるようになされた単一の材料片を示す端面図である。
【図７Ｂ】図７Ａの多層羽根を示す前面図である。
【図７Ｃ】多層羽根の別の実施形態として形成されるようになされた単一の材料片を示す端面図である。
【図７Ｄ】図７Ｃの多層羽根を示す前面図である。
【図８Ａ】多層羽根の一実施形態として形成されるようになされた複数の材料片を示す端面図である。
【図８Ｂ】図９Ａの多層羽根を示す前面図である。
【図８Ｃ】多層羽根の別の実施形態に形成されるようになされた複数の材料片を示す端面図である。
【図８Ｄ】図９Ｃの多層羽根を示す前面図である。
【図８Ｅ】多層羽根の異なる実施形態として形成されるようになされた複数の材料片を示す端面図である。
【図８Ｆ】図８Ｅの多層羽根を示す前面図である。
【図９Ａ】補強材ポケットを有する多層羽根の一実施形態として形成されるようになされた複数の材料片の一実施形態を示す端面図である。
【図９Ｂ】９Ａの多層羽根を示す前面図である。
【図１０Ａ】実質的に平面状の細長い補強材の一実施形態を示す上面斜視図である。
【図１０Ｂ】１０Ａに示すＢ−Ｂ面に沿った図１０Ａの細長い補強材を示す断面図である。
【図１０Ｃ】湾曲した細長い補強材の一実施形態を示す上面斜視図である。
【図１０Ｄ】図１０Ｃに示すＢ−Ｂ面に沿った図１０Ｃの細長い補強材を示す断面図である。
【図１０Ｅ】角度を付けた細長い補強材の一実施形態を示す上面斜視図である。
【図１０Ｆ】図１０Ｅに示す面Ｂ−Ｂに沿った図１０Ｅの細長い補強材を示す断面図である。
【図１１Ａ】角度を付けた細長い補強材を作成するプロセスを示す図である。
【図１１Ｂ】角度を付けた細長い補強材を作成するプロセスを示す図である。
【図１１Ｃ】角度を付けた細長い補強材を作成するプロセスを示す図である。
【図１２Ａ】補強多層羽根の一実施形態を示す分解端面図である。
【図１２Ｂ】図１２Ａに示す補強多層羽根と細長い平ひもとを有する可撓性調光サブアセンブリの一実施形態を示す分解端面図である。
【図１２Ｃ】多層羽根の細長い平ひもへの取り付けを示す、図１２ＢのＡ−Ａ部を示す拡大図である。
【図１２Ｄ】実質的に畳まれた形態の図１２Ｂに示す調光サブアセンブリを示す斜視図である。
【図１２Ｅ】実質的に伸展された形態の図１２Ｂに示す調光サブアセンブリを示す斜視図である。
【図１３Ａ】補強多層羽根の別の実施形態を示す分解端面図である。
【図１３Ｂ】図１３Ａに示す補強多層羽根と細長い平ひもとを有する可撓性調光サブアセンブリの一実施形態を示す分解端面図である。
【図１３Ｃ】多層羽根の細長い平ひもへの付着を示す、図１３ＢのＡ−Ａ部を示す拡大図である。
【図１３Ｄ】多層羽根が実質的に畳まれた位置にある、巻き広げられ、実質的に畳まれた形態の図１３Ｂに示すサブアセンブリを示す斜視図である。
【図１３Ｅ】多層羽根が実質的に伸展された位置にある、巻き広げられ、実質的に伸展された形態の図１３Ｂに示すサブアセンブリを示す斜視図である。
【図１４Ａ】補強多層羽根の別の実施形態を示す分解端面図である。
【図１４Ｂ】図１４Ａに示す補強多層羽根と細長い平ひもとを有する可撓性調光サブアセンブリの一実施形態を示す分解端面図である。
【図１４Ｃ】図１４ＢのＡ−Ａ部を示す拡大図である。
【図１４Ｄ】実質的に畳まれた形態の図１４Ｂに示すサブアセンブリを示す斜視図である。
【図１４Ｅ】実質的に伸展された形態の図１４Ｂに示すサブアセンブリを示す斜視図である。
【図１５】多層羽根がローラの少なくとも一部の周囲に弧を描く形状を有するように多層羽根がローラの回転軸を中心にして巻き上げられた図である。
【図１６】セル式羽根がローラの周りに巻かれた巻き上げセル式建築造作覆いの一実施形態を示す端面図である。
【図１７Ａ】サブアセンブリが部分的に巻き広げられた畳み形態の巻き上げセル式建築造作覆いの一実施形態の一部を示す端面図である。
【図１７Ｂ】サブアセンブリが部分的に巻き広げられた畳み形態の巻き上げセル式建築造作覆いの一実施形態の一部を示す端面図である。
【図１７Ｃ】サブアセンブリが部分的に巻き広げられた畳み形態の巻き上げセル式建築造作覆いの一実施形態の一部を示す端面図である。
【図１７Ｄ】サブアセンブリが部分的に巻き広げられた畳み形態の巻き上げセル式建築造作覆いの一実施形態の一部を示す端面図である。
【図１７Ｅ】サブアセンブリが部分的に巻き広げられた畳み形態の巻き上げセル式建築造作覆いの一実施形態の一部を示す端面図である。
【図１７Ｆ】サブアセンブリが部分的に巻き広げられた畳み形態の巻き上げセル式建築造作覆いの一実施形態の一部を示す端面図である。
【図１７Ｇ】サブアセンブリが部分的に巻き広げられた畳み形態の巻き上げセル式建築造作覆いの一実施形態の一部を示す端面図である。
【図１７Ｈ】サブアセンブリが部分的に巻き広げられた畳み形態の巻き上げセル式建築造作覆いの一実施形態の一部を示す端面図である。
【図１８Ａ】複数の羽根材料片と複数のポケットシート材料片とを示す斜視図である。
【図１８Ｂ】多層羽根の一実施形態として形成されるようになされた、複数の羽根材料片と複数のポケットシート材料片とを示す端面図である。
【図１８Ｃ】補強多層羽根の一実施形態として構成されるようになされた、複数のポケットシート材料片が接続された複数の羽根材料片と、複数の細長い補強材とを示す端面図である。
【図１８Ｄ】補強多層羽根の一実施形態を示す端面図である。（発明を実施するための形態）
【外国語明細書】
2018080568000001.pdf